(57)【要約】  本発明の実施例は、より良くダイナミックTDDをサポートして前方互換を保持するための、情報を送信及び受信するための方法、ユーザ装置並びに基地局を開示する。本発明の実施例における方法は、第１のデバイスにより、参照信号の位置を決定するステップと、第１のデバイスにより、参照信号の決定された位置に基づいて、参照信号を送信又は受信するステップとを含む。
2019521556.tif 000002
【特許請求の範囲】
【請求項１】
情報を送信及び受信するための方法であって、
第１のデバイスにより、参照信号の位置を決定するステップと、
前記第１のデバイスにより、前記参照信号の前記決定された位置に基づいて、前記参照信号を送信又は受信するステップと
を含む方法。
【請求項２】
前記参照信号は、第１の参照信号及び第２の参照信号を含み、第１のデバイスにより、参照信号の位置を決定するステップは、
前記第１のデバイスにより、前記第１の参照信号の位置を決定するステップであり、前記第１の参照信号は、下りリンクデータ復調に使用される、ステップと、
前記第１のデバイスにより、前記第２の参照信号の位置を決定するステップであり、前記第２の参照信号は、上りリンクデータ復調に使用される、ステップと
を含み、
前記第１の参照信号の時間ドメイン位置は、前記第２の参照信号の時間ドメイン位置と同じである、請求項１に記載の方法。
【請求項３】
前記第１の参照信号の周波数ドメイン位置は、前記第２の参照信号の周波数ドメイン位置と同じである、請求項２に記載の方法。
【請求項４】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、具体的には、前記第１の送信単位内の前記第１の参照信号の時間ドメイン位置が前記第２の送信単位内の前記第２の参照信号の時間ドメイン位置と同じであることであり、前記第１の送信単位の持続時間は、前記第２の送信単位の持続時間と等しい、請求項２に記載の方法。
【請求項５】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、前記第１の送信単位内の前記第１の参照信号の時間ドメイン位置が前記第２の送信単位内の前記第２の参照信号の時間ドメイン位置と同じであることであり、前記第１の参照信号の周波数ドメイン位置が前記第２の参照信号の周波数ドメイン位置と同じであることは、前記第１の送信単位内の前記第１の参照信号の周波数ドメイン位置が前記第２の送信単位内の前記第２の参照信号の周波数ドメイン位置と同じであることであり、前記第１の送信単位の持続時間は、前記第２の送信単位の持続時間と等しい、請求項３に記載の方法。
【請求項６】
前記第１の参照信号は、前記第１の送信単位内の第３のシンボル上に位置し、前記第２の参照信号は、前記第２の送信単位内の第３のシンボル上に位置する、請求項４又は５に記載の方法。
【請求項７】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項２に記載の方法。
【請求項８】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１の参照信号の周波数ドメイン位置が前記第２の参照信号の周波数ドメイン位置と同じであることは、前記第１のサブフレーム内の前記第１の参照信号の周波数ドメイン位置が前記第２のサブフレーム内の前記第２の参照信号の周波数ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項３に記載の方法。
【請求項９】
前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、前記第１の参照信号の送信とを含み、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、上りリンク制御送信と、上りリンクデータ送信と、前記第２の参照信号の送信とを含む、請求項７又は８に記載の方法。
【請求項１０】
前記第１のサブフレームは、前記第１のサブフレームに含まれ且つ下りリンク送信に使用されるシンボルで始まり、前記第１のサブフレームに含まれ且つ上りリンク送信に使用されるシンボルで終わり、前記第２のサブフレームは、前記第２のサブフレームに含まれ且つ下りリンク送信に使用されるシンボルで始まり、前記第２のサブフレームに含まれ且つ上りリンク送信に使用されるシンボルで終わる、請求項９に記載の方法。
【請求項１１】
前記第１のサブフレーム内の前記第１の参照信号の時間ドメイン位置が前記第２のサブフレーム内の前記第２の参照信号の時間ドメイン位置と同じであることは、具体的には、前記第１のサブフレーム内の前記第１の参照信号により占有されるシンボルのインデックスが前記第２のサブフレーム内の前記第２の参照信号により占有されるシンボルのインデックスと同じであることである、請求項７乃至１０のうちいずれか１項に記載の方法。
【請求項１２】
前記第１の参照信号は、前記第１のサブフレーム内の第３のシンボル上に位置し、前記第２の参照信号は、前記第２のサブフレーム内の第３のシンボル上に位置する、請求項１０に記載の方法。
【請求項１３】
前記第１のデバイスはユーザ装置であり、前記第１のデバイスにより、前記参照信号の前記決定された位置に基づいて、前記参照信号を送信又は受信するステップは、
前記ユーザ装置により、前記第１の参照信号の前記位置に基づいて、前記第１の参照信号を受信するステップと、
前記ユーザ装置により、前記第２の参照信号の前記位置に基づいて、前記第２の参照信号を送信するステップと
を含む、請求項２乃至１２のうちいずれか１項に記載の方法。
【請求項１４】
前記第１のデバイスは基地局であり、前記第１のデバイスにより、前記参照信号の前記決定された位置に基づいて、前記参照信号を送信又は受信するステップは、
前記基地局により、前記第１の参照信号の前記位置に基づいて、前記第１の参照信号を送信するステップと、
前記基地局により、前記第２の参照信号の前記位置に基づいて、前記第２の参照信号を受信するステップと
を含む、請求項２乃至１２のうちいずれか１項に記載の方法。
【請求項１５】
情報を受信するための方法であって、
ユーザ装置により、制御チャネルの時間周波数リソースを決定するステップと、
前記ユーザ装置により、前記制御チャネルの前記時間周波数リソースに基づいて、下りリンク制御情報を受信するステップと
を含む方法。
【請求項１６】
前記ユーザ装置により、制御チャネルの時間周波数リソースを決定するステップ、及び前記ユーザ装置により、前記制御チャネルの前記時間周波数リソースに基づいて、下りリンク制御情報を受信するステップは、
前記ユーザ装置により、第１の制御チャネルの時間周波数リソースを決定するステップと、
前記ユーザ装置により、第２の制御チャネルの時間周波数リソースを決定するステップと、
前記ユーザ装置により、前記第１の制御チャネルの前記時間周波数リソースに基づいて、第１の下りリンク制御情報を検出するステップと、
前記ユーザ装置により、前記第２の制御チャネルの前記時間周波数リソースに基づいて、第２の下りリンク制御情報を検出するステップと
を含む、請求項１５に記載の方法。
【請求項１７】
前記第１の制御チャネルの前記時間周波数リソースにより占有されるシンボルは、前記第２の制御チャネルの前記時間周波数リソースにより占有されるシンボルの前に位置する、請求項１６に記載の方法。
【請求項１８】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルli+kで始まり、kは1以上の正の整数であり、シンボルliからシンボルli+k-1は、参照信号を送信するために使用され、前記参照信号は、前記第２の制御チャネル及び／又はデータを復調するために使用される、請求項１７に記載の方法。
【請求項１９】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルliで始まるか、或いは前記第２の制御チャネルの前記時間周波数リソースは、前記シンボルli-1の後のシンボル上に位置し、前記第２の制御チャネル及び下りリンクデータは、前記シンボルli-1の後の前記シンボルに対応する時間周波数リソース上に多重される、請求項１７に記載の方法。
【請求項２０】
前記ユーザ装置により、第１の制御チャネルの時間周波数リソースを決定するステップ、及び前記ユーザ装置により、第２の制御チャネルの時間周波数リソースを決定するステップは、
前記ユーザ装置により、第１のサブフレーム内の前記第１の制御チャネルの時間周波数リソースを決定するステップと、
前記ユーザ装置により、前記第１のサブフレーム内の前記第２の制御チャネルの時間周波数リソースを決定するステップと
を含み、
前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、第１の参照信号の送信とを含み、
前記第１のサブフレームに含まれ且つ下りリンク送信に使用されるシンボルは、前記第１の制御チャネルの前記時間周波数リソースにより占有されるシンボルと、前記第２の制御チャネルの前記時間周波数リソースにより占有されるシンボルとを含む、請求項１６に記載の方法。
【請求項２１】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+k+1)のシンボルで始まり、kは1以上の正の整数であり、前記第１のサブフレーム内の第(i+1)のシンボルから第(i+k)のシンボルは、参照信号を送信するために使用され、前記参照信号は、前記第２の制御チャネル及び／又はデータを復調するために使用され、前記第１のサブフレーム内の第(l-k1)のシンボルから第lのシンボルは、前記第１のサブフレーム内で上りリンク送信に使用されるシンボルであり、lは前記第１のサブフレームに含まれるシンボル数であり、k1は1以上の正の整数である、請求項２０に記載の方法。
【請求項２２】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+1)のシンボルで始まるか、或いは前記第２の制御チャネルの前記時間周波数リソースは、前記第１のサブフレーム内の前記第iのシンボルの後のシンボル上に位置し、前記第２の制御チャネル及び下りリンクデータは、前記第１のサブフレーム内の前記第iのシンボルから前記第１のサブフレーム内の第(i+k2)のシンボルに対応する時間周波数リソース上に多重され、k2は1より大きい正の整数であり、前記第１のサブフレーム内の第(i+k2+1)のシンボルは、前記第１のサブフレーム内のガード期間GPであり、前記第１のサブフレーム内の第(i+k2+2)のシンボルから第lのシンボルは、前記第１のサブフレーム内で上りリンク送信に使用されるシンボルであり、lは前記第１のサブフレームに含まれるシンボル数である、請求項２０に記載の方法。
【請求項２３】
前記ユーザ装置により、第１の制御チャネルの時間周波数リソースを決定するステップ、及び前記ユーザ装置により、第２の制御チャネルの時間周波数リソースを決定するステップは、
前記ユーザ装置により、第２のサブフレーム内の前記第１の制御チャネルの時間周波数リソースを決定するステップと、
前記ユーザ装置により、前記第２の制御チャネルの時間周波数リソースが前記第２のサブフレーム内に存在しないと決定するステップと
を含み、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、前記第２の参照信号の送信と、上りリンクデータ送信と、上りリンク制御送信とを含む、請求項１６に記載の方法。
【請求項２４】
前記第２のサブフレームに含まれ且つ下りリンク送信に使用されるシンボルは、前記第２のサブフレーム内の第１のシンボルであり、前記第１の制御チャネルの前記時間周波数リソースは、前記第２のサブフレーム内の前記第１のシンボルを占有する、請求項２３に記載の方法。
【請求項２５】
前記ユーザ装置により、第２の制御チャネルの時間周波数リソースを決定するステップは、
前記ユーザ装置により、前記第１の下りリンク制御情報に従って、前記第２の制御チャネルの前記時間周波数リソースを決定するステップを含む、請求項１６乃至２４のうちいずれか１項に記載の方法。
【請求項２６】
前記第１の下りリンク制御情報は、サブフレームn内で搬送され、前記第２の制御チャネルは、前記サブフレームn内で搬送されるか、或いは
前記第１の下りリンク制御情報は、サブフレームn内で搬送され、前記第２の制御チャネルは、サブフレームn+1内で搬送され、
nは正の整数である、請求項２５に記載の方法。
【請求項２７】
前記ユーザ装置により、前記第１の下りリンク制御情報及び前記第２の下りリンク制御情報に従って、下りリンク共有チャネルを受信するステップを更に含み、
前記第１の下りリンク制御情報は、前記第２の下りリンク制御チャネルの前記時間周波数リソースについての情報及び／又は前記下りリンク共有チャネルの時間周波数リソースについての情報を含み、
前記第２の下りリンク制御情報は、前記下りリンク共有チャネルの変調及び符号化情報を含む、請求項１６乃至２６のうちいずれか１項に記載の方法。
【請求項２８】
前記第１の制御チャネルは、前記第１の制御チャネルの前記時間周波数リソース上で搬送された参照信号に従って復調される、請求項１６乃至２７のうちいずれか１項に記載の方法。
【請求項２９】
ユーザ装置により、制御チャネルの時間周波数リソースを決定するステップは、
前記ユーザ装置により、サブフレームn内の前記制御チャネルの時間周波数リソースを決定するステップと、
前記サブフレームnがサブフレームセット1に属する場合、前記ユーザ装置により、予め設定されたルールに従って、前記サブフレームn内の前記制御チャネルの前記時間周波数リソースを決定するステップ、又は
前記サブフレームnがサブフレームセット2に属する場合、前記ユーザ装置により、下りリンク制御シグナリングに従って、前記サブフレームn内の前記制御チャネルの前記時間周波数リソースを決定するステップと
を含み、前記サブフレームセット1は、同期信号及び／又はシステム情報を搬送するサブフレームを含み、前記サブフレームセット2は、同期信号及び／又はシステム情報を搬送するサブフレームを含まず、
nは0以上の整数である、請求項１５に記載の方法。
【請求項３０】
前記ユーザ装置により、下りリンク制御シグナリングに従って、前記サブフレームn内の前記制御チャネルの前記時間周波数リソースを決定するステップは、
前記ユーザ装置により、サブフレームn-k内で搬送された下りリンク制御シグナリングに従って、前記サブフレームn内の前記制御チャネルの前記時間周波数リソースを決定するステップであり、kは0以上の整数である、ステップを含む、請求項２９に記載の方法。
【請求項３１】
前記ユーザ装置により、下りリンク制御シグナリングに従って、前記サブフレームn内の前記制御チャネルの前記時間周波数リソースを決定するステップは、
前記ユーザ装置により、サブフレームn-1内で搬送された下りリンク制御シグナリングに従って、前記サブフレームn内の前記制御チャネルの前記時間周波数リソースを決定するステップを含む、請求項２９に記載の方法。
【請求項３２】
前記サブフレームn内の前記制御チャネルの前記時間周波数リソースは、時間ドメインにおいて２つのシンボルを占有する、請求項２９に記載の方法。
【請求項３３】
前記制御チャネルは、制御チャネルセット1を含み、ユーザ装置により、制御チャネルの時間周波数リソースを決定するステップは、
前記ユーザ装置により、前記制御チャネルセット1の時間周波数リソースを決定するステップを含み、
前記制御チャネルセット1内の前記制御チャネルは、分散型送信モードを使用する、請求項１５に記載の方法。
【請求項３４】
前記制御チャネルは、制御チャネルセット1及び制御チャネルセット2を含み、ユーザ装置により、制御チャネルの時間周波数リソースを決定するステップは、
前記ユーザ装置により、前記制御チャネルセット1の時間周波数リソースを決定するステップと、
前記ユーザ装置により、前記制御チャネルセット2の時間周波数リソースを決定するステップと
を含み、前記制御チャネルセット1内の前記制御チャネルは、分散型送信モードを使用し、前記制御チャネルセット2内の前記制御チャネルは、ローカライズ型送信モードを使用する、請求項１５に記載の方法。
【請求項３５】
前記ユーザ装置により、前記制御チャネルセット1の時間周波数リソースを決定するステップは、
前記ユーザ装置により、サブフレームn内の下りリンク制御情報を検出するステップと、
前記ユーザ装置により、前記サブフレームn内で検出された前記下りリンク制御情報に従って、サブフレームn+k内の前記制御チャネルセット1の時間周波数リソースを決定するステップであり、nは整数であり、kは1以上の正の整数である、ステップと
を含む、請求項３４に記載の方法。
【請求項３６】
前記ユーザ装置により、前記サブフレームn+k内の前記制御チャネルセット1の前記時間周波数リソースに基づいて、前記サブフレームn+k内の前記制御チャネルセット2の時間周波数リソースを決定するステップを更に含む、請求項３５に記載の方法。
【請求項３７】
前記制御チャネルを搬送するサブフレームは、同期信号及び／又はシステム情報を搬送しない、請求項３４乃至３６のうちいずれか１項に記載の方法。
【請求項３８】
ユーザ装置により、制御チャネルの時間周波数リソースを決定するステップは、
前記ユーザ装置により、前記制御チャネルの基本セットの時間周波数リソースを決定するステップと、
前記ユーザ装置により、前記基本セットの前記時間周波数リソースに基づいて、前記下りリンク制御情報を検出するステップと、
前記ユーザ装置により、前記検出された下りリンク制御情報に従って、前記制御チャネルの拡張セットの時間周波数リソースを決定するステップと
を含む、請求項１５に記載の方法。
【請求項３９】
前記ユーザ装置により、前記制御チャネルの基本セットの時間周波数リソースを決定するステップは、
前記ユーザ装置により、システム情報を受信するステップと、
前記ユーザ装置により、前記システム情報に従って、前記制御チャネルの前記基本セットの前記時間周波数リソースを決定するステップと
を含む、請求項３８に記載の方法。
【請求項４０】
前記ユーザ装置により、前記システム情報に従って、前記制御チャネルの前記基本セットの前記時間周波数リソースを決定するステップは、
前記ユーザ装置により、前記システム情報に従って、前記制御チャネルの前記基本セットの前記時間周波数リソースにより占有されるシンボル数を決定するステップ、又は
前記ユーザ装置により、前記システム情報に従って、前記制御チャネルの前記基本セットの前記時間周波数リソースにより占有される物理リソースブロック数を決定するステップ、又は
前記ユーザ装置により、前記システム情報に従って、前記制御チャネルの前記基本セットの前記時間周波数リソースに対応する制御チャネル要素CCE数を決定するステップ
を含む、請求項３９に記載の方法。
【請求項４１】
前記ユーザ装置により、前記制御チャネルの基本セットの時間周波数リソースを決定するステップは、
前記ユーザ装置により、予め設定されたルールに従って、前記制御チャネルの前記基本セットの前記時間周波数リソースを決定するステップ
を含む、請求項３８に記載の方法。
【請求項４２】
前記予め設定されたルールは、前記制御チャネルの前記基本セットの前記時間周波数リソースが１つのシンボルを占有することである、請求項４１に記載の方法。
【請求項４３】
前記ユーザ装置により、前記制御チャネルの基本セットの時間周波数リソースを決定するステップは、
前記ユーザ装置により、システム情報を受信するステップと、
前記ユーザ装置により、前記システム情報に従って、前記制御チャネルの前記基本セットの前記時間周波数リソースにより占有される物理リソースブロック数、又は前記制御チャネルの前記基本セットの前記時間周波数リソースに対応する制御チャネル要素数を決定するステップと、
前記ユーザ装置により、予め規定されたルールに従って、前記制御チャネルの前記時間周波数リソースにより占有されるシンボル数を決定するステップと
を含む、請求項３８に記載の方法。
【請求項４４】
前記ユーザ装置により、前記基本セットの前記時間周波数リソースに基づいて、前記下りリンク制御情報を検出するステップ、及び前記ユーザ装置により、前記検出された下りリンク制御情報に従って、前記制御チャネルの拡張セットの時間周波数リソースを決定するステップは、
前記ユーザ装置により、サブフレームn内の前記基本セットの時間周波数リソースに基づいて、前記下りリンク制御情報を検出するステップと、
前記ユーザ装置により、前記サブフレームn内で検出された前記下りリンク制御情報に従って、サブフレームn+k内の前記制御チャネルの前記拡張セットの時間周波数リソースを決定するステップであり、nは整数であり、kは0以上の正の整数である、ステップと
を含む、請求項３８に記載の方法。
【請求項４５】
kは1に等しい、請求項４４に記載の方法。
【請求項４６】
前記ユーザ装置により、前記検出された下りリンク制御情報に従って、前記制御チャネルの前記拡張セットが存在するか否かを決定するステップ、又は
前記ユーザ装置により、前記検出された下りリンク制御情報に従って、前記制御チャネルの前記拡張セットの送信モードを決定するステップ
を更に含む、請求項３８乃至４５のうちいずれか１項に記載の方法。
【請求項４７】
前記基本セットは、下りリンク送信に使用されるシンボルを含む全てのサブフレーム内に存在する、請求項３８乃至４６のうちいずれか１項に記載の方法。
【請求項４８】
前記拡張セットは、同期信号及び／又はシステム情報を搬送するサブフレーム内に存在しない、請求項３８乃至４７のうちいずれか１項に記載の方法。
【請求項４９】
情報を送信するための方法であって、
基地局により、制御チャネルの時間周波数リソースを決定するステップと、
前記基地局により、前記制御チャネルの前記時間周波数リソースに基づいて、下りリンク制御情報を送信するステップと
を含む方法。
【請求項５０】
基地局により、制御チャネルの時間周波数リソースを決定するステップ、及び前記基地局により、前記制御チャネルの前記時間周波数リソースに基づいて、下りリンク制御情報を送信するステップは、
前記基地局により、第１の制御チャネルの時間周波数リソースを決定するステップと、
前記基地局により、第２の制御チャネルの時間周波数リソースを決定するステップと、
前記基地局により、前記第１の制御チャネルの前記時間周波数リソースに基づいて、第１の下りリンク制御情報を送信するステップと、
前記基地局により、前記第２の制御チャネルの前記時間周波数リソースに基づいて、第２の下りリンク制御情報を送信するステップと
を含む、請求項４９に記載の方法。
【請求項５１】
前記第１の制御チャネルの前記時間周波数リソースにより占有されるシンボルは、前記第２の制御チャネルの前記時間周波数リソースにより占有されるシンボルの前に位置する、請求項５０に記載の方法。
【請求項５２】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルli+kで始まり、kは1以上の正の整数であり、シンボルliからシンボルli+k-1は、参照信号を送信するために使用され、前記参照信号は、前記第２の制御チャネル及び／又はデータを復調するために使用される、請求項５１に記載の方法。
【請求項５３】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルliで始まるか、或いは前記第２の制御チャネルの前記時間周波数リソースは、前記シンボルli-1の後のシンボル上に位置し、前記第２の制御チャネル及び下りリンクデータは、前記シンボルli-1の後の前記シンボルに対応する時間周波数リソース上に多重される、請求項５１に記載の方法。
【請求項５４】
前記基地局により、第１の制御チャネルの時間周波数リソースを決定するステップ、及び前記基地局により、第２の制御チャネルの時間周波数リソースを決定するステップは、
前記基地局により、第１のサブフレーム内の前記第１の制御チャネルの時間周波数リソースを決定するステップと、
前記基地局により、前記第１のサブフレーム内の前記第２の制御チャネルの時間周波数リソースを決定するステップと
を含み、前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、第１の参照信号の送信とを含み、
前記第１のサブフレームに含まれ且つ下りリンク送信に使用されるシンボルは、前記第１の制御チャネルの前記時間周波数リソースにより占有されるシンボルと、前記第２の制御チャネルの前記時間周波数リソースにより占有されるシンボルとを含む、請求項５０に記載の方法。
【請求項５５】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+k+1)のシンボルで始まり、kは1以上の正の整数であり、前記第１のサブフレーム内の第(i+1)のシンボルから第(i+k)のシンボルは、参照信号を送信するために使用され、前記参照信号は、前記第２の制御チャネル及び／又はデータを復調するために使用され、前記第１のサブフレーム内の第(l-k1)のシンボルから第lのシンボルは、前記第１のサブフレーム内で上りリンク送信に使用されるシンボルであり、lは前記第１のサブフレームに含まれるシンボル数であり、k1は1以上の正の整数である、請求項５４に記載の方法。
【請求項５６】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+1)のシンボルで始まるか、或いは前記第２の制御チャネルの前記時間周波数リソースは、前記第１のサブフレーム内の前記第iのシンボルの後のシンボル上に位置し、前記第２の制御チャネル及び下りリンクデータは、前記第１のサブフレーム内の前記第iのシンボルから前記第１のサブフレーム内の第(i+k2)のシンボルに対応する時間周波数リソース上に多重され、k2は1より大きい正の整数であり、前記第１のサブフレーム内の第(i+k2+1)のシンボルは、前記第１のサブフレーム内のガード期間GPであり、前記第１のサブフレーム内の第(i+k2+2)のシンボルから第lのシンボルは、前記第１のサブフレーム内で上りリンク送信に使用されるシンボルであり、lは前記第１のサブフレームに含まれるシンボル数である、請求項５４に記載の方法。
【請求項５７】
前記基地局により、第１の制御チャネルの時間周波数リソースを決定するステップ、及び前記基地局により、第２の制御チャネルの時間周波数リソースを決定するステップは、
前記基地局により、第２のサブフレーム内の前記第１の制御チャネルの時間周波数リソースを決定するステップと、
前記基地局により、前記第２の制御チャネルの時間周波数リソースが前記第２のサブフレーム内に存在しないと決定するステップと
を含み、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、前記第２の参照信号の送信と、上りリンクデータ送信と、上りリンク制御送信とを含む、請求項５０に記載の方法。
【請求項５８】
前記第２のサブフレームに含まれ且つ下りリンク送信に使用されるシンボルは、前記第２のサブフレーム内の第１のシンボルであり、前記第１の制御チャネルの前記時間周波数リソースは、前記第２のサブフレーム内の前記第１のシンボルを占有する、請求項５７に記載の方法。
【請求項５９】
前記第１の下りリンク制御情報は、前記第２の制御チャネルの前記時間周波数リソースについての情報を含む、請求項５０乃至５８のうちいずれか１項に記載の方法。
【請求項６０】
前記第１の下りリンク制御情報は、サブフレームn内で搬送され、前記第２の制御チャネルは、前記サブフレームn内で搬送されるか、或いは
前記第１の下りリンク制御情報は、サブフレームn内で搬送され、前記第２の制御チャネルは、サブフレームn+1内で搬送され、
nは正の整数である、請求項５９に記載の方法。
【請求項６１】
前記基地局により、下りリンク共有チャネルを送信するステップを更に含み、
前記第１の下りリンク制御情報は、前記第２の下りリンク制御チャネルの前記時間周波数リソースについての前記情報及び／又は前記下りリンク共有チャネルの時間周波数リソースについての情報を含み、
前記第２の下りリンク制御情報は、前記下りリンク共有チャネルの変調及び符号化情報を含む、請求項５０乃至６０のうちいずれか１項に記載の方法。
【請求項６２】
前記基地局により、前記第１の制御チャネルの前記時間周波数リソース上で参照信号を送信するステップであり、前記参照信号は、前記第１の制御チャネルを復調するために使用される、ステップを更に含む、請求項５０乃至６１のうちいずれか１項に記載の方法。
【請求項６３】
前記基地局により、下りリンク制御シグナリングを送信するステップであり、前記下りリンク制御シグナリングは、サブフレームn内の前記制御チャネルの時間周波数リソースを決定するために使用され、前記サブフレームnは、同期信号及び／又はシステム情報を搬送せず、nは0以上の整数である、ステップを更に含む、請求項４９に記載の方法。
【請求項６４】
前記基地局により、下りリンク制御情報シグナリングを送信するステップは、
前記基地局により、サブフレームn-k内で前記下りリンク制御シグナリングを送信するステップであり、kは0以上の整数である、ステップを含む、請求項６３に記載の方法。
【請求項６５】
kは1に等しい、請求項６４に記載の方法。
【請求項６６】
前記基地局により、制御チャネルの時間周波数リソースを決定するステップは、
前記基地局により、予め規定されたルールに従って、サブフレームn内の前記制御チャネルの時間周波数リソースを決定するステップを含み、
前記サブフレームnは、同期信号及び／又はシステム情報を搬送する、請求項４９に記載の方法。
【請求項６７】
前記制御チャネルは、制御チャネルセット1を含み、基地局により、制御チャネルの時間周波数リソースを決定するステップは、
前記基地局により、前記制御チャネルセット1の時間周波数リソースを決定するステップを含み、
前記方法は、
前記基地局により、分散型送信モードを使用することにより、前記制御チャネルセット1の前記時間周波数リソースに基づいて、前記制御チャネルを送信するステップを更に含む、請求項４９に記載の方法。
【請求項６８】
前記制御チャネルは、制御チャネルセット1及び制御チャネルセット2を含み、基地局により、制御チャネルの時間周波数リソースを決定するステップは、
前記基地局により、前記制御チャネルセット1の時間周波数リソースを決定するステップと、
前記基地局により、前記制御チャネルセット2の時間周波数リソースを決定するステップと
を含み、前記制御チャネルセット1内の前記制御チャネルは、分散型送信モードを使用し、前記制御チャネルセット2内の前記制御チャネルは、ローカライズ型送信モードを使用する、請求項４９に記載の方法。
【請求項６９】
前記基地局により、サブフレームn内で下りリンク制御情報を送信するステップであり、前記下りリンク制御情報は、サブフレームn+k内の前記制御チャネルセット1の時間周波数リソースについての情報を含み、nは整数であり、kは1以上の正の整数である、ステップを更に含む、請求項６８に記載の方法。
【請求項７０】
基地局により、制御チャネルの時間周波数リソースを決定するステップ、及び前記基地局により、前記制御チャネルの前記時間周波数リソースに基づいて下りリンク制御情報を送信するステップは、
前記基地局により、前記制御チャネルの基本セットの時間周波数リソースを決定するステップと、
前記基地局により、前記基本セットの前記時間周波数リソースに基づいて、前記下りリンク制御情報を送信するステップであり、前記下りリンク制御情報は、前記制御チャネルの拡張セットの時間周波数リソースについての情報を含む、ステップと
を含む、請求項４９に記載の方法。
【請求項７１】
前記基地局により、システム情報を送信するステップであり、前記システム情報は、前記制御チャネルの前記基本セットの前記時間周波数リソースについての情報を含む、ステップを更に含む、請求項７０に記載の方法。
【請求項７２】
前記システム情報が前記制御チャネルの前記基本セットの前記時間周波数リソースについての情報を含むことは、具体的には、
前記システム情報が前記制御チャネルの前記基本セットの前記時間周波数リソースにより占有されるシンボル数についての情報を含むこと、又は
前記システム情報が前記制御チャネルの前記基本セットの前記時間周波数リソースにより占有される物理リソースブロック数についての情報を含むこと、又は
前記システム情報が前記制御チャネルの前記基本セットの前記時間周波数リソースに対応する制御チャネル要素CCE数についての情報を含むこと
である、請求項７１に記載の方法。
【請求項７３】
前記基地局により、前記制御チャネルの基本セットの時間周波数リソースを決定するステップは、
前記基地局により、予め設定されたルールに従って、前記制御チャネルの前記基本セットの前記時間周波数リソースを決定するステップを含む、請求項７０に記載の方法。
【請求項７４】
前記予め設定されたルールは、前記制御チャネルの前記基本セットの前記時間周波数リソースが１つのシンボルを占有することである、請求項７２に記載の方法。
【請求項７５】
前記基地局により、前記基本セットの前記時間周波数リソースに基づいて、下りリンク制御情報を送信するステップであり、前記下りリンク制御情報は、前記制御チャネルの拡張セットの時間周波数リソースについての情報を含む、ステップは、
前記基地局により、サブフレームn内の前記基本セットの前記時間周波数リソースに基づいて、前記下りリンク制御情報を送信するステップであり、前記下りリンク制御情報は、サブフレームn+k内の前記制御チャネルの前記拡張セットの時間周波数リソースについての情報を含む、ステップを含み、
nは整数であり、kは0以上の正の整数である、請求項７０に記載の方法。
【請求項７６】
kの値は1に等しい、請求項７５に記載の方法。
【請求項７７】
前記下りリンク制御情報は、前記制御チャネルの前記拡張セットが存在するか否かを示す情報を含むか、或いは
前記下りリンク制御情報は、前記制御チャネルの前記拡張セットに対応する送信モードを示す情報を含む、請求項７０乃至７６のうちいずれか１項に記載の方法。
【請求項７８】
前記基本セットは、下りリンク送信に使用されるシンボルを含む全てのサブフレーム内に存在する、請求項７０乃至７７のうちいずれか１項に記載の方法。
【請求項７９】
前記拡張セットは、同期信号及び／又はシステム情報を搬送するサブフレーム内に存在しない、請求項７０乃至７８のうちいずれか１項に記載の方法。
【請求項８０】
第１のデバイスとして使用されるデバイスであって、
参照信号の位置を決定するように決定された決定モジュールと、
前記参照信号の前記決定された位置に基づいて、前記参照信号を送信又は受信するように構成された送受信機モジュールと
を含むデバイス。
【請求項８１】
前記参照信号は、第１の参照信号及び第２の参照信号を含み、前記決定モジュールは、前記第１の参照信号の位置を決定し、前記第１の参照信号は、下りリンクデータ復調に使用され、前記第２の参照信号の位置を決定し、前記第２の参照信号は、上りリンクデータ復調に使用され、前記第１の参照信号の時間ドメイン位置は、前記第２の参照信号の時間ドメイン位置と同じである、ように具体的に構成される、請求項８０に記載のデバイス。
【請求項８２】
前記第１の参照信号の周波数ドメイン位置は、前記第２の参照信号の周波数ドメイン位置と同じである、請求項８１に記載のデバイス。
【請求項８３】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、具体的には、前記第１の送信単位内の前記第１の参照信号の時間ドメイン位置が前記第２の送信単位内の前記第２の参照信号の時間ドメイン位置と同じであることであり、前記第１の送信単位に対応する持続時間は、前記第２の送信単位に対応する持続時間と等しい、請求項８１に記載のデバイス。
【請求項８４】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、前記第１の送信単位内の前記第１の参照信号の時間ドメイン位置が前記第２の送信単位内の前記第２の参照信号の時間ドメイン位置と同じであることであり、前記第１の参照信号の周波数ドメイン位置が前記第２の参照信号の周波数ドメイン位置と同じであることは、前記第１の送信単位内の前記第１の参照信号の周波数ドメイン位置が前記第２の送信単位内の前記第２の参照信号の周波数ドメイン位置と同じであることであり、前記第１の送信単位に対応する持続時間は、前記第２の送信単位に対応する持続時間と等しい、請求項８２に記載のデバイス。
【請求項８５】
前記第１の参照信号は、前記第１の送信単位内の第３のシンボル上に位置し、前記第２の参照信号は、前記第２の送信単位内の第３のシンボル上に位置する、請求項８３又は８４に記載のデバイス。
【請求項８６】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項８１に記載のデバイス。
【請求項８７】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１の参照信号の周波数ドメイン位置が前記第２の参照信号の周波数ドメイン位置と同じであることは、前記第１のサブフレーム内の前記第１の参照信号の周波数ドメイン位置が前記第２のサブフレーム内の前記第２の参照信号の周波数ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項８２に記載のデバイス。
【請求項８８】
前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、前記第１の参照信号の送信とを含み、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、上りリンク制御送信と、上りリンクデータ送信と、前記第２の参照信号の送信とを含む、請求項８６又は８７に記載のデバイス。
【請求項８９】
前記第１のサブフレームは、前記第１のサブフレームに含まれ且つ下りリンク送信に使用されるシンボルで始まり、前記第１のサブフレームに含まれ且つ上りリンク送信に使用されるシンボルで終わり、前記第２のサブフレームは、前記第２のサブフレームに含まれ且つ下りリンク送信に使用されるシンボルで始まり、前記第２のサブフレームに含まれ且つ上りリンク送信に使用されるシンボルで終わる、請求項８８に記載のデバイス。
【請求項９０】
前記第１のサブフレーム内の前記第１の参照信号の時間ドメイン位置が前記第２のサブフレーム内の前記第２の参照信号の時間ドメイン位置と同じであることは、具体的には、前記第１のサブフレーム内の前記第１の参照信号により占有されるシンボルのインデックスが前記第２のサブフレーム内の前記第２の参照信号により占有されるシンボルのインデックスと同じであることである、請求項８６乃至８９のうちいずれか１項に記載のデバイス。
【請求項９１】
前記第１の参照信号は、前記第１のサブフレーム内の第３のシンボル上に位置し、前記第２の参照信号は、前記第２のサブフレーム内の第３のシンボル上に位置する、請求項８９に記載のデバイス。
【請求項９２】
前記第１のデバイスはユーザ装置であり、前記送受信機モジュールは、前記第１の参照信号の前記位置に基づいて、前記第１の参照信号を受信し、前記第２の参照信号の前記位置に基づいて、前記第２の参照信号を送信するように具体的に構成される、請求項８１乃至９１のうちいずれか１項に記載のデバイス。
【請求項９３】
前記第１のデバイスは基地局であり、前記送受信機モジュールは、前記第１の参照信号の前記位置に基づいて、前記第１の参照信号を送信し、前記第２の参照信号の前記位置に基づいて、前記第２の参照信号を受信するように具体的に構成される
、請求項８１乃至９１のうちいずれか１項に記載のデバイス。
【請求項９４】
制御チャネルの時間周波数リソースを決定するように構成された決定モジュールと、
前記制御チャネルの前記時間周波数リソースに基づいて、下りリンク制御情報を受信するように構成された受信モジュールと
を含むユーザ装置。
【請求項９５】
前記決定モジュールは、第１の制御チャネルの時間周波数リソースを決定し、第２の制御チャネルの時間周波数リソースを決定するように具体的に構成され、
前記受信モジュールは、前記第１の制御チャネルの前記時間周波数リソースに基づいて、第１の下りリンク制御情報を検出し、前記第２の制御チャネルの前記時間周波数リソースに基づいて、第２の下りリンク制御情報を検出するように具体的に構成される、請求項９４に記載のユーザ装置。
【請求項９６】
前記第１の制御チャネルの前記時間周波数リソースにより占有されるシンボルは、前記第２の制御チャネルの前記時間周波数リソースにより占有されるシンボルの前に位置する、請求項９５に記載のユーザ装置。
【請求項９７】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルli+kで始まり、kは1以上の正の整数であり、シンボルliからシンボルli+k-1は、参照信号を送信するために使用され、前記参照信号は、前記第２の制御チャネル及び／又はデータを復調するために使用される、請求項９６に記載のユーザ装置。
【請求項９８】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルliで始まるか、或いは前記第２の制御チャネルの前記時間周波数リソースは、前記シンボルli-1の後のシンボル上に位置し、前記第２の制御チャネル及び下りリンクデータは、前記シンボルli-1の後の前記シンボルに対応する時間周波数リソース上に多重される、請求項９６に記載のユーザ装置。
【請求項９９】
前記決定モジュールは、第１のサブフレーム内の前記第１の制御チャネルの時間周波数リソースを決定し、前記第１のサブフレーム内の前記第２の制御チャネルの時間周波数リソースを決定するように具体的に構成され、前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、第１の参照信号の送信とを含み、前記第１のサブフレームに含まれ且つ下りリンク送信に使用されるシンボルは、前記第１の制御チャネルの前記時間周波数リソースにより占有されるシンボルと、前記第２の制御チャネルの前記時間周波数リソースにより占有されるシンボルとを含む、請求項９５に記載のユーザ装置。
【請求項１００】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+k+1)のシンボルで始まり、kは1以上の正の整数であり、前記第１のサブフレーム内の第(i+1)のシンボルから第(i+k)のシンボルは、参照信号を送信するために使用され、前記参照信号は、前記第２の制御チャネル及び／又はデータを復調するために使用され、前記第１のサブフレーム内の第(l-k1)のシンボルから第lのシンボルは、前記第１のサブフレーム内で上りリンク送信に使用されるシンボルであり、lは前記第１のサブフレームに含まれるシンボル数であり、k1は1以上の正の整数である、請求項９９に記載のユーザ装置。
【請求項１０１】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+1)のシンボルで始まるか、或いは前記第２の制御チャネルの前記時間周波数リソースは、前記第１のサブフレーム内の前記第iのシンボルの後のシンボル上に位置し、前記第２の制御チャネル及び下りリンクデータは、前記第１のサブフレーム内の前記第iのシンボルから前記第１のサブフレーム内の第(i+k2)のシンボルに対応する時間周波数リソース上に多重され、k2は1より大きい正の整数であり、前記第１のサブフレーム内の第(i+k2+1)のシンボルは、前記第１のサブフレーム内のガード期間GPであり、前記第１のサブフレーム内の第(i+k2+2)のシンボルから第lのシンボルは、前記第１のサブフレーム内で上りリンク送信に使用されるシンボルであり、lは前記第１のサブフレームに含まれるシンボル数である、請求項９９に記載のユーザ装置。
【請求項１０２】
前記決定モジュールは、第２のサブフレーム内の前記第１の制御チャネルの時間周波数リソースを決定し、前記第２の制御チャネルの時間周波数リソースが前記第２のサブフレーム内に存在しないと決定するように具体的に構成され、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、前記第２の参照信号の送信と、上りリンクデータ送信と、上りリンク制御送信とを含む、請求項９５に記載のユーザ装置。
【請求項１０３】
前記第２のサブフレームに含まれ且つ下りリンク送信に使用されるシンボルは、前記第２のサブフレーム内の第１のシンボルであり、前記第１の制御チャネルの前記時間周波数リソースは、前記第２のサブフレーム内の前記第１のシンボルを占有する、請求項１０２に記載のユーザ装置。
【請求項１０４】
前記決定モジュールは、前記第１の下りリンク制御情報に従って、前記第２の制御チャネルの前記時間周波数リソースを決定するように更に構成される、請求項９５乃至１０３のうちいずれか１項に記載のユーザ装置。
【請求項１０５】
前記第１の下りリンク制御情報は、サブフレームn内で搬送され、前記第２の制御チャネルは、前記サブフレームn内で搬送されるか、或いは
前記第１の下りリンク制御情報は、サブフレームn内で搬送され、前記第２の制御チャネルは、サブフレームn+1内で搬送され、
nは正の整数である、請求項１０４に記載のユーザ装置。
【請求項１０６】
前記受信モジュールは、前記第１の下りリンク制御情報及び前記第２の下りリンク制御情報に従って、下りリンク共有チャネルを受信するように更に構成され、前記第１の下りリンク制御情報は、前記第２の下りリンク制御チャネルの前記時間周波数リソースについての情報及び／又は前記下りリンク共有チャネルの時間周波数リソースについての情報を含み、前記第２の下りリンク制御情報は、前記下りリンク共有チャネルの変調及び符号化情報を含む、請求項９５乃至１０５のうちいずれか１項に記載のユーザ装置。
【請求項１０７】
前記第１の制御チャネルは、前記第１の制御チャネルの前記時間周波数リソース上で搬送された参照信号に従って復調される、請求項９５乃至１０６のうちいずれか１項に記載のユーザ装置。
【請求項１０８】
前記決定モジュールは、サブフレームn内の前記制御チャネルの時間周波数リソースを決定するように具体的に構成され、前記サブフレームnがサブフレームセット1に属する場合、前記決定モジュールは、予め設定されたルールに従って、前記サブフレームn内の前記制御チャネルの前記時間周波数リソースを決定するか、或いは前記サブフレームnがサブフレームセット2に属する場合、前記決定モジュールは、下りリンク制御シグナリングに従って、前記サブフレームn内の前記制御チャネルの前記時間周波数リソースを決定し、前記サブフレームセット1は、同期信号及び／又はシステム情報を搬送するサブフレームを含み、前記サブフレームセット2は、同期信号及び／又はシステム情報を搬送するサブフレームを含まず、nは0以上の整数である、請求項９４に記載のユーザ装置。
【請求項１０９】
前記決定モジュールは、サブフレームn-k内で搬送された下りリンク制御シグナリングに従って、前記サブフレームn内の前記制御チャネルの前記時間周波数リソースを決定するように具体的に構成され、kは0以上の整数である、請求項１０８に記載のユーザ装置。
【請求項１１０】
前記決定モジュールは、サブフレームn-1内で搬送された下りリンク制御シグナリングに従って、前記サブフレームn内の前記制御チャネルの前記時間周波数リソースを決定するように具体的に構成される、請求項１０８に記載のユーザ装置。
【請求項１１１】
前記サブフレームn内の前記制御チャネルの前記時間周波数リソースは、時間ドメインにおいて２つのシンボルを占有する、請求項１０８に記載のユーザ装置。
【請求項１１２】
前記制御チャネルは、制御チャネルセット1を含み、前記決定モジュールは、前記制御チャネルセット1の時間周波数リソースを決定するように具体的に構成され、前記制御チャネルセット1内の前記制御チャネルは、分散型送信モードを使用する、請求項９４に記載のユーザ装置。
【請求項１１３】
前記制御チャネルは、制御チャネルセット1及び制御チャネルセット2を含み、前記決定モジュールは、前記制御チャネルセット1の時間周波数リソースを決定し、前記制御チャネルセット2の時間周波数リソースを決定するように具体的に構成され、前記制御チャネルセット1内の前記制御チャネルは、分散型送信モードを使用し、前記制御チャネルセット2内の前記制御チャネルは、ローカライズ型送信モードを使用する、請求項９４に記載のユーザ装置。
【請求項１１４】
前記決定モジュールは、サブフレームn内の下りリンク制御情報を検出し、前記サブフレームn内で検出された前記下りリンク制御情報に従って、サブフレームn+k内の前記制御チャネルセット1の時間周波数リソースを決定するように更に構成され、nは整数であり、kは1以上の正の整数である、請求項１１３に記載のユーザ装置。
【請求項１１５】
前記決定モジュールは、前記サブフレームn+k内の前記制御チャネルセット1の前記時間周波数リソースに基づいて、前記サブフレームn+k内の前記制御チャネルセット2の時間周波数リソースを決定するように更に構成される、請求項１１４に記載のユーザ装置。
【請求項１１６】
前記制御チャネルを搬送するサブフレームは、同期信号及び／又はシステム情報を搬送しない、請求項１１３乃至１１５のうちいずれか１項に記載のユーザ装置。
【請求項１１７】
前記決定モジュールは、前記制御チャネルの基本セットの時間周波数リソースを決定し、前記基本セットの前記時間周波数リソースに基づいて、前記下りリンク制御情報を検出し、前記検出された下りリンク制御情報に従って、前記制御チャネルの拡張セットの時間周波数リソースを決定するように具体的に構成される、請求項９４に記載のユーザ装置。
【請求項１１８】
前記受信モジュールは、システム情報を受信するように更に構成され、前記決定モジュールは、前記システム情報に従って、前記制御チャネルの前記基本セットの前記時間周波数リソースを決定するように更に構成される、請求項１１７に記載のユーザ装置。
【請求項１１９】
前記決定モジュールは、前記システム情報に従って、前記制御チャネルの前記基本セットの前記時間周波数リソースにより占有されるシンボル数を決定するか、或いは前記システム情報に従って、前記制御チャネルの前記基本セットの前記時間周波数リソースにより占有される物理リソースブロック数を決定するか、或いは前記システム情報に従って、前記制御チャネルの前記基本セットの前記時間周波数リソースに対応する制御チャネル要素CCE数を決定するように更に構成される、請求項１１８に記載のユーザ装置。
【請求項１２０】
前記決定モジュールは、予め設定されたルールに従って、前記制御チャネルの前記基本セットの前記時間周波数リソースを決定するように具体的に構成される、請求項１１７に記載のユーザ装置。
【請求項１２１】
前記予め設定されたルールは、前記制御チャネルの前記基本セットの前記時間周波数リソースが１つのシンボルを占有することである、請求項１２０に記載のユーザ装置。
【請求項１２２】
前記受信モジュールは、システム情報を受信するように更に構成され、
前記決定モジュールは、前記システム情報に従って、前記制御チャネルの前記基本セットの前記時間周波数リソースにより占有される物理リソースブロック数、又は前記制御チャネルの前記基本セットの前記時間周波数リソースに対応する制御チャネル要素数を決定し、予め規定されたルールに従って、前記制御チャネルの前記時間周波数リソースにより占有されるシンボル数を決定するように具体的に構成される、請求項１１７に記載のユーザ装置。
【請求項１２３】
サブフレームn内の前記基本セットの時間周波数リソースに基づいて、前記下りリンク制御情報を検出するように構成された検出モジュールを更に含み、
前記決定モジュールは、前記サブフレームn内で検出された前記下りリンク制御情報に従って、サブフレームn+k内の前記制御チャネルの前記拡張セットの時間周波数リソースを決定するように具体的に構成され、nは整数であり、kは0以上の正の整数である、請求項１１７に記載のユーザ装置。
【請求項１２４】
kの値は1に等しい、請求項１２３に記載のユーザ装置。
【請求項１２５】
前記決定モジュールは、前記検出された下りリンク制御情報に従って、前記制御チャネルの前記拡張セットが存在するか否かを決定するか、或いは前記検出された下りリンク制御情報に従って、前記制御チャネルの前記拡張セットに対応する送信モードを決定するように更に構成される、請求項１１７乃至１２４のうちいずれか１項に記載のユーザ装置。
【請求項１２６】
前記基本セットは、下りリンク送信に使用されるシンボルを含む全てのサブフレーム内に存在する、請求項１１７乃至１２５のうちいずれか１項に記載のユーザ装置。
【請求項１２７】
前記拡張セットは、同期信号及び／又はシステム情報を搬送するサブフレーム内に存在しない、請求項１１７乃至１２６のうちいずれか１項に記載のユーザ装置。
【請求項１２８】
制御チャネルの時間周波数リソースを決定するように構成された決定モジュールと、
前記制御チャネルの前記時間周波数リソースに基づいて、下りリンク制御情報を送信するように構成された送信モジュールと
を含む基地局。
【請求項１２９】
前記決定モジュールは、第１の制御チャネルの時間周波数リソースを決定し、第２の制御チャネルの時間周波数リソースを決定するように具体的に構成され、前記送信モジュールは、前記第１の制御チャネルの前記時間周波数リソースに基づいて、第１の下りリンク制御情報を送信し、前記第２の制御チャネルの前記時間周波数リソースに基づいて、第２の下りリンク制御情報を送信するように具体的に構成される、請求項１２８に記載の基地局。
【請求項１３０】
前記第１の制御チャネルの前記時間周波数リソースにより占有されるシンボルは、前記第２の制御チャネルの前記時間周波数リソースにより占有されるシンボルの前に位置する、請求項１２９に記載の基地局。
【請求項１３１】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルli+kで始まり、kは1以上の正の整数であり、シンボルliからシンボルli+k-1は、参照信号を送信するために使用され、前記参照信号は、前記第２の制御チャネル及び／又はデータを復調するために使用される、請求項１３０に記載の基地局。
【請求項１３２】
前記第１の制御チャネルの前記時間周波数リソースは、シンボルl0,...,li-1に対応するi個のシンボルを占有し、iは1以上の正の整数であり、前記第２の制御チャネルの前記時間周波数リソースは、シンボルliで始まるか、或いは前記第２の制御チャネルの前記時間周波数リソースは、前記シンボルli-1の後のシンボル上に位置し、前記第２の制御チャネル及び下りリンクデータは、前記シンボルli-1の後の前記シンボルに対応する時間周波数リソース上に多重される、請求項１３０に記載の基地局。
【請求項１３３】
前記決定モジュールは、第１のサブフレーム内の前記第１の制御チャネルの時間周波数リソースを決定し、前記第１のサブフレーム内の前記第２の制御チャネルの時間周波数リソースを決定するように具体的に構成され、前記第１のサブフレームは、下りリンク送信に使用されるシンボルと、ガード期間GPと、上りリンク送信に使用されるシンボルとを含み、前記第１のサブフレームに含まれ且つ上りリンク送信に使用されるシンボルに対応する上りリンク送信は、ハイブリッド自動再送要求送達確認HARQ-ACK送信を含み、前記第１のサブフレームに含まれ且つ下りリンク送信に使用されるシンボルに対応する下りリンク送信は、下りリンク制御送信と、下りリンクデータ送信と、第１の参照信号の送信とを含み、前記第１のサブフレームに含まれ且つ下りリンク送信に使用されるシンボルは、前記第１の制御チャネルの前記時間周波数リソースにより占有されるシンボルと、前記第２の制御チャネルの前記時間周波数リソースにより占有されるシンボルとを含む、請求項１２９に記載の基地局。
【請求項１３４】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+k+1)のシンボルで始まり、kは1以上の正の整数であり、前記第１のサブフレーム内の第(i+1)のシンボルから第(i+k)のシンボルは、参照信号を送信するために使用され、前記参照信号は、前記第２の制御チャネル及び／又はデータを復調するために使用され、前記第１のサブフレーム内の第(l-k1)のシンボルから第lのシンボルは、前記第１のサブフレーム内で上りリンク送信に使用されるシンボルであり、lは前記第１のサブフレームに含まれるシンボル数であり、k1は1以上の正の整数である、請求項１３３に記載の基地局。
【請求項１３５】
前記第１の制御チャネルの前記時間周波数リソースは、前記第１のサブフレーム内の第１のシンボルから第iのシンボルに対応する、前記第１のサブフレーム内のi個のシンボルを占有し、iは1以上の正の整数であり、前記第２の制御チャネルの前記時間周波数リソースは、前記第１のサブフレーム内の第(i+1)のシンボルで始まるか、或いは前記第２の制御チャネルの前記時間周波数リソースは、前記第１のサブフレーム内の前記第iのシンボルの後のシンボル上に位置し、前記第２の制御チャネル及び下りリンクデータは、前記第１のサブフレーム内の前記第iのシンボルから前記第１のサブフレーム内の第(i+k2)のシンボルに対応する時間周波数リソース上に多重され、k2は1より大きい正の整数であり、前記第１のサブフレーム内の第(i+k2+1)のシンボルは、前記第１のサブフレーム内のガード期間GPであり、前記第１のサブフレーム内の第(i+k2+2)のシンボルから第lのシンボルは、前記第１のサブフレーム内で上りリンク送信に使用されるシンボルであり、lは前記第１のサブフレームに含まれるシンボル数である、請求項１３３に記載の基地局。
【請求項１３６】
前記決定モジュールは、第２のサブフレーム内の前記第１の制御チャネルの時間周波数リソースを決定し、前記第２の制御チャネルの時間周波数リソースが前記第２のサブフレーム内に存在しないと決定するように具体的に構成され、前記第２のサブフレームは、下りリンク送信に使用されるシンボルと、ガード期間GPと、上りリンク送信に使用されるシンボルとを含み、前記第２のサブフレームに含まれ且つ下りリンク送信に使用されるシンボルに対応する下りリンク送信は、下りリンク制御送信を含み、前記第２のサブフレームに含まれ且つ上りリンク送信に使用されるシンボルに対応する上りリンク送信は、前記第２の参照信号の送信と、上りリンクデータ送信と、上りリンク制御送信とを含む、請求項１２９に記載の基地局。
【請求項１３７】
前記第２のサブフレームに含まれ且つ下りリンク送信に使用されるシンボルは、前記第２のサブフレーム内の第１のシンボルであり、前記第１の制御チャネルの前記時間周波数リソースは、前記第２のサブフレーム内の前記第１のシンボルを占有する、請求項１３６に記載の基地局。
【請求項１３８】
前記第１の下りリンク制御情報は、前記第２の制御チャネルの前記時間周波数リソースについての情報を含む、請求項１２９乃至１３７のうちいずれか１項に記載の基地局。
【請求項１３９】
前記第１の下りリンク制御情報は、サブフレームn内で搬送され、前記第２の制御チャネルは、前記サブフレームn内で搬送されるか、或いは前記第１の下りリンク制御情報は、サブフレームn内で搬送され、前記第２の制御チャネルは、サブフレームn+1内で搬送され、nは正の整数である、請求項１３８に記載の基地局。
【請求項１４０】
前記送信モジュールは、下りリンク共有チャネルを送信するように更に構成され、前記第１の下りリンク制御情報は、前記第２の下りリンク制御チャネルの前記時間周波数リソースについての前記情報及び／又は前記下りリンク共有チャネルの時間周波数リソースについての情報を含み、前記第２の下りリンク制御情報は、前記下りリンク共有チャネルの変調及び符号化情報を含む、請求項１２９乃至１３９のうちいずれか１項に記載の基地局。
【請求項１４１】
前記送信モジュールは、前記第１の制御チャネルの前記時間周波数リソース上で参照信号を送信するように更に構成され、前記参照信号は、前記第１の制御チャネルを復調するために使用される、請求項１２９乃至１４０のうちいずれか１項に記載の基地局。
【請求項１４２】
前記送信モジュールは、下りリンク制御シグナリングを送信するように更に構成され、前記下りリンク制御シグナリングは、サブフレームn内の前記制御チャネルの時間周波数リソースを決定するために使用され、前記サブフレームnは、同期信号及び／又はシステム情報を搬送せず、nは0以上の整数である、請求項１２８に記載の基地局。
【請求項１４３】
前記送信モジュールは、サブフレームn-k内で前記下りリンク制御シグナリングを送信するように更に構成され、kは0以上の整数である、請求項１４２に記載の基地局。
【請求項１４４】
kは1に等しい、請求項１４３に記載の基地局。
【請求項１４５】
前記決定モジュールは、予め規定されたルールに従って、サブフレームn内の前記制御チャネルの時間周波数リソースを決定するように具体的に構成され、前記サブフレームnは、同期信号及び／又はシステム情報を搬送する、請求項１２８に記載の基地局。
【請求項１４６】
前記制御チャネルは、制御チャネルセット1を含み、前記決定モジュールは、前記制御チャネルセット1の時間周波数リソースを決定するように具体的に構成され、前記送信モジュールは、分散型送信モードを使用することにより、前記制御チャネルセット1の前記時間周波数リソースに基づいて、前記制御チャネルを送信するように更に構成される、請求項１２８に記載の基地局。
【請求項１４７】
前記制御チャネルは、制御チャネルセット1及び制御チャネルセット2を含み、前記決定モジュールは、前記制御チャネルセット1の時間周波数リソースを決定し、前記制御チャネルセット2の時間周波数リソースを決定するように具体的に構成され、前記制御チャネルセット1内の前記制御チャネルは、分散型送信モードを使用し、前記制御チャネルセット2内の前記制御チャネルは、ローカライズ型送信モードを使用する、請求項１２８に記載の基地局。
【請求項１４８】
前記送信モジュールは、サブフレームn内で下りリンク制御情報を送信するように更に構成され、前記下りリンク制御情報は、サブフレームn+k内の前記制御チャネルセット1の時間周波数リソースについての情報を含み、nは整数であり、kは1以上の正の整数である、請求項１４７に記載の基地局。
【請求項１４９】
前記決定モジュールは、前記制御チャネルの基本セットの時間周波数リソースを決定するように具体的に構成され、前記送信モジュールは、前記基本セットの前記時間周波数リソースに基づいて、前記下りリンク制御情報を送信するように具体的に構成され、前記下りリンク制御情報は、前記制御チャネルの拡張セットの時間周波数リソースについての情報を含む、請求項１２８に記載の基地局。
【請求項１５０】
前記送信モジュールは、システム情報を送信するように更に構成され、前記システム情報は、前記制御チャネルの前記基本セットの前記時間周波数リソースについての情報を含む、請求項１４９に記載の基地局。
【請求項１５１】
前記システム情報が前記制御チャネルの前記基本セットの前記時間周波数リソースについての情報を含むことは、具体的には、前記システム情報が前記制御チャネルの前記基本セットの前記時間周波数リソースにより占有されるシンボル数についての情報を含むこと、又は前記システム情報が前記制御チャネルの前記基本セットの前記時間周波数リソースにより占有される物理リソースブロック数についての情報を含むこと、又は前記システム情報が前記制御チャネルの前記基本セットの前記時間周波数リソースに対応する制御チャネル要素CCE数についての情報を含むことである、請求項１５０に記載の基地局。
【請求項１５２】
前記決定モジュールは、予め設定されたルールに従って、前記制御チャネルの前記基本セットの前記時間周波数リソースを決定するように具体的に構成される、請求項１４９に記載の基地局。
【請求項１５３】
前記予め設定されたルールは、前記制御チャネルの前記基本セットの前記時間周波数リソースが１つのシンボルを占有することである、請求項１５１に記載の基地局。
【請求項１５４】
前記送信モジュールは、サブフレームn内の前記基本セットの前記時間周波数リソースに基づいて、前記下りリンク制御情報を送信するように具体的に構成され、前記下りリンク制御情報は、サブフレームn+k内の前記制御チャネルの前記拡張セットの時間周波数リソースについての情報を含み、nは整数であり、kは0以上の正の整数である、請求項１４９に記載の基地局。
【請求項１５５】
kの値は1に等しい、請求項１５４に記載の基地局。
【請求項１５６】
前記下りリンク制御情報は、前記制御チャネルの前記拡張セットが存在するか否かを示す情報を含むか、或いは前記下りリンク制御情報は、前記制御チャネルの前記拡張セットに対応する送信モードを示す情報を含む、請求項１４９乃至１５５のうちいずれか１項に記載の基地局。
【請求項１５７】
前記基本セットは、下りリンク送信に使用されるシンボルを含む全てのサブフレーム内に存在する、請求項１４９乃至１５６のうちいずれか１項に記載の基地局。
【請求項１５８】
前記拡張セットは、同期信号及び／又はシステム情報を搬送するサブフレーム内に存在しない、請求項１４９乃至１５７のうちいずれか１項に記載の基地局。
【発明の詳細な説明】
【技術分野】
【０００１】
［関連出願への相互参照］
この出願は、2016年5月11日に中国特許庁に出願された「METHOD  FOR  TRANSMITTING  AND  RECEIVING  INFORMATION,  USER  EQUIPMENT,  AND  BASE  STATION」という名称の中国特許出願第CN201610309302.6号の優先権を主張し、その全内容を参照により援用する。
【０００２】
［技術分野］
この出願は、通信技術の分野に関し、特に情報を送信及び受信するための方法、ユーザ装置並びに基地局に関する。
【背景技術】
【０００３】
第５世代移動通信技術（英文フルネーム：5-Generation、略称：5G）通信システムは、より高いシステム性能をサポートすることに専念している。5G通信システムは、異なるサービス、異なる展開シナリオ及び異なるスペクトルをサポートする。異なるサービスは、エンハンスト・モバイル・ブロードバンド（英文フルネーム：enhanced  Mobile  Broadband、略称：eMBB）、マシンタイプ通信（英文フルネーム：Machine  Type  Communication、略称：MTC）、超高信頼且つ低遅延通信（英文フルネーム：Ultra-reliable  and  low  latency  communications、略称：URLLC）、マルチメディア・ブロードキャスト・マルチキャスト・サービス（英文フルネーム：Multimedia  Broadcast  Multicast  Service、略称：MBMS）、測位等を含む。異なる展開シナリオは、室内ホットスポット（Indoor  hotspot）、高密度都市部（dense  urban）、郊外部、都市部マクロ（Urban  Macro）カバレッジ、高速鉄道のシナリオ等を含む。5Gは、100GHzまでのスペクトル範囲をサポートする。ダイナミック時分割複信（フルネーム：Time  Division  Duplex、略称：TDD）は、5G通信システムにおける重要な技術である。ダイナミックTDDは、サブフレームの送信方向を動的に調整することにより、より良くリアルタイムのサービス要件にマッチし、通信システムのスペクトル効率を改善し、より良く低遅延サービスの要件を満たす。5G通信システム設計は、ダイナミックTDDのより良い適用を可能にする必要がある。5G通信システムは、前方互換をサポートする必要がある。具体的には、5G通信システムは、将来の未知の機能の導入を柔軟に許容でき、既存の5G通信システムの設計のみをサポートするユーザ装置は未知の機能を有するシステムのもとで依然として動作できる。5G通信システム設計は、前方互換をサポートする必要がある。
【０００４】
5G通信システムの研究は始まったばかりであるため、5G通信システムのもとでより良くダイナミックTDDをサポートして前方互換を保持することを可能にできるチャネル及び信号を設計するための方法は、従来技術において現在提供されていない。
【発明の概要】
【０００５】
本発明の実施例は、より良くダイナミックTDDをサポートして前方互換を保持するための、情報を送信及び受信するための方法、ユーザ装置並びに基地局を提供する。
【０００６】
このことを鑑みて、本発明の第１の態様は、情報を送信及び受信するための方法を提供し、方法は、
第１のデバイスにより、参照信号の位置を決定するステップと、
第１のデバイスにより、参照信号の決定された位置に基づいて、参照信号を送信又は受信するステップと
を含む。
【０００７】
ここで、第１のデバイスはユーザ装置でもよく、或いは基地局でもよい。参照信号は、第１の参照信号及び第２の参照信号を含んでもよく、第１の参照信号は、第１の復調参照信号DMRSと呼ばれてもよく、第２の参照信号は、第２の復調参照信号DMRSと呼ばれてもよい。第１の参照信号は、上りリンクデータ復調に使用されてもよく、第２の参照信号は、下りリンクデータ復調に使用されてもよい。第１の参照信号の位置（時間ドメイン位置及び／又は周波数ドメイン位置）は、第２の参照信号の位置（時間ドメイン位置及び／又は周波数ドメイン位置）と同じでもよい。
【０００８】
さらに、第１の参照信号の位置（時間ドメイン位置及び／又は周波数ドメイン位置）が第２の参照信号の位置（時間ドメイン位置及び／又は周波数ドメイン位置）と同じである場合、第１のデバイスは、第１の参照信号及び第２の参照信号を使用することにより、より良く上りリンク下りリンク干渉推定を実行し、したがって、より良く上りリンク下りリンク干渉除去を実行し、それにより、より良くTDDを使用し、より良く実際のサービスにマッチし、システムのスペクトル効率を改善し、より良く低遅延サービスを提供できる。
【０００９】
いくつかの可能な実現方式では、参照信号は、第１の参照信号及び第２の参照信号を含み、第１のデバイスにより、参照信号の位置を決定するステップは、第１のデバイスにより、第１の参照信号の位置を決定するステップであり、第１の参照信号は、下りリンクデータ復調に使用される、ステップと、第１のデバイスにより、第２の参照信号の位置を決定するステップであり、第２の参照信号は、上りリンクデータ復調に使用される、ステップとを含む。
【００１０】
任意選択で、第１のデバイスは、第１の参照信号の位置に基づいて、第１の参照信号を受信し、第２の参照信号の位置に基づいて、第２の参照信号を送信するか、或いは第１のデバイスは、第１の参照信号の位置に基づいて、第２の参照信号を送信し、第２の参照信号の位置に基づいて、第２の参照信号を受信する。
【００１１】
第１の参照信号の時間ドメイン位置は、第２の参照信号の時間ドメイン位置と同じである。
【００１２】
さらに、決定された第１の参照信号の位置及び第２の参照信号の位置に基づいて、第１のデバイスは、第１の参照信号を送信し、第２の参照信号を受信するか、或いは第１の参照信号を受信し、第２の参照信号を送信する。
【００１３】
他の可能な実現方式では、第１の参照信号の周波数ドメイン位置は、第２の参照信号の周波数ドメイン位置と同じである。
【００１４】
他の可能な実現方式では、第１の参照信号は、第１の送信単位内で搬送され、第１の参照信号の位置は、第１の送信単位内の第１の参照信号の位置であり、第２の参照信号は、第２の送信単位内で搬送され、第２の参照信号の位置は、第２の送信単位内の第２の参照信号の位置であり、第１の参照信号の時間ドメイン位置が第２の参照信号の時間ドメイン位置と同じであることは、具体的には、第１の送信単位内の第１の参照信号の時間ドメイン位置が第２の送信単位内の第２の参照信号の時間ドメイン位置と同じであることであり、第１の送信単位に対応する持続時間は、第２の送信単位に対応する持続時間と等しい。
【００１５】
さらに、送信単位の送信方向は、ダイナミックTDD機構では動的に変化してもよく、すなわち、送信単位は、上りリンクデータ送信又は下りリンクデータ送信に動的に適用されてもよいため、より良く現在のサービス要件にマッチできる。
【００１６】
他の可能な実現方式では、第１の参照信号は、第１の送信単位内で搬送され、第１の参照信号の位置は、第１の送信単位内の第１の参照信号の位置であり、第２の参照信号は、第２の送信単位内で搬送され、第２の参照信号の位置は、第２の送信単位内の第２の参照信号の位置であり、第１の参照信号の時間ドメイン位置が第２の参照信号の時間ドメイン位置と同じであることは、第１の送信単位内の第１の参照信号の時間ドメイン位置が第２の送信単位内の第２の参照信号の時間ドメイン位置と同じであることであり、第１の参照信号の周波数ドメイン位置が第２の参照信号の周波数ドメイン位置と同じであることは、第１の送信単位内の第１の参照信号の周波数ドメイン位置が第２の送信単位内の第２の参照信号の周波数ドメイン位置と同じであることであり、第１の送信単位に対応する持続時間は、第２の送信単位に対応する持続時間と等しい。
【００１７】
さらに、サブフレームの送信方向は、ダイナミックTDD機構では動的に変化してもよく、すなわち、サブフレーム、上りリンクデータ送信又は下りリンクデータ送信に動的に適用されてもよいため、より良く現在のサービス要件にマッチできる。
【００１８】
他の可能な実現方式では、第１の参照信号は、第１の送信単位内の第３のシンボル上に位置し、第２の参照信号は、第２の送信単位内の第３のシンボル上に位置する。
【００１９】
本発明では、シンボルは、時間ドメインシンボルでもよく、例えば、シングルキャリア周波数分割多元接続（英文フルネーム：Single-carrier  Frequency  Division  Multiple  Access、略称：SC-FDMA）シンボルでもよく、或いは直交周波数分割多重（英文フルネーム：Orthogonal  Frequency  Division  Multiplexing、略称：OFDM）シンボルでもよい。
【００２０】
他の可能な実現方式では、第１の参照信号は、第１のサブフレーム内で搬送され、第１の参照信号の位置は、第１のサブフレーム内の第１の参照信号の位置であり、第２の参照信号は、第２のサブフレーム内で搬送され、第２の参照信号の位置は、第２のサブフレーム内の第２の参照信号の位置であり、第１の参照信号の時間ドメイン位置が第２の参照信号の時間ドメイン位置と同じであることは、第１のサブフレーム内の第１の参照信号の時間ドメイン位置が第２のサブフレーム内の第２の参照信号の時間ドメイン位置と同じであることであり、第１のサブフレーム内で下りリンク送信に使用されるシンボル数は、第１のサブフレーム内で上りリンク送信に使用されるシンボル数より多く、第２のサブフレーム内で下りリンク送信に使用されるシンボル数は、第２のサブフレーム内で上りリンク送信に使用されるシンボル数未満である。
【００２１】
他の可能な実現方式では、第１の参照信号は、第１のサブフレーム内で搬送され、第１の参照信号の位置は、第１のサブフレーム内の第１の参照信号の位置であり、第２の参照信号は、第２のサブフレーム内で搬送され、第２の参照信号の位置は、第２のサブフレーム内の第２の参照信号の位置であり、第１の参照信号の時間ドメイン位置が第２の参照信号の時間ドメイン位置と同じであることは、第１のサブフレーム内の第１の参照信号の時間ドメイン位置が第２のサブフレーム内の第２の参照信号の時間ドメイン位置と同じであることであり、第１の参照信号の周波数ドメイン位置が第２の参照信号の周波数ドメイン位置と同じであることは、第１のサブフレーム内の第１の参照信号の周波数ドメイン位置が第２のサブフレーム内の第２の参照信号の周波数ドメイン位置と同じであることであり、第１のサブフレーム内で下りリンク送信に使用されるシンボル数は、第１のサブフレーム内で上りリンク送信に使用されるシンボル数より多く、第２のサブフレーム内で下りリンク送信に使用されるシンボル数は、第２のサブフレーム内で上りリンク送信に使用されるシンボル数未満である。
【００２２】
他の可能な実現方式では、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、上りリンク制御送信と、上りリンクデータ送信と、第２の参照信号の送信とを含む。
【００２３】
他の可能な実現方式では、第１のサブフレームは、第１のサブフレームに含まれ且つ下りリンク送信に使用されるシンボルで始まり、第１のサブフレームに含まれ且つ上りリンク送信に使用されるシンボルで終わり、第２のサブフレームは、第２のサブフレームに含まれ且つ下りリンク送信に使用されるシンボルで始まり、第２のサブフレームに含まれ且つ上りリンク送信に使用されるシンボルで終わる。
【００２４】
他の可能な実現方式では、第１のサブフレーム内の第１の参照信号の時間ドメイン位置が第２のサブフレーム内の第２の参照信号の時間ドメイン位置と同じであることは、具体的には、第１のサブフレーム内の第１の参照信号により占有されるシンボルのインデックスが第２のサブフレーム内の第２の参照信号により占有されるシンボルのインデックスと同じであることである。
【００２５】
他の可能な実現方式では、第１の参照信号は、第１のサブフレーム内の第３のシンボル上に位置し、第２の参照信号は、第２のサブフレーム内の第３のシンボル上に位置する。
【００２６】
他の可能な実現方式では、第１のデバイスはユーザ装置であり、第１のデバイスにより、参照信号の決定された位置に基づいて、参照信号を送信又は受信するステップは、ユーザ装置により、第１の参照信号の位置に基づいて、第１の参照信号を受信するステップと、ユーザ装置により、第２の参照信号の位置に基づいて、第２の参照信号を送信するステップとを含む。
【００２７】
他の可能な実現方式では、第１のデバイスは基地局であり、第１のデバイスにより、参照信号の決定された位置に基づいて、参照信号を送信又は受信するステップは、
基地局により、第１の参照信号の位置に基づいて、第１の参照信号を送信するステップと、
基地局により、第２の参照信号の位置に基づいて、第２の参照信号を受信するステップと
を含む。
【００２８】
本発明の第２の態様は、情報を受信するための方法を提供し、方法は、
ユーザ装置により、制御チャネルの時間周波数リソースを決定するステップと、
ユーザ装置により、制御チャネルの時間周波数リソースに基づいて、下りリンク制御情報を受信するステップと
を含む。
【００２９】
いくつかの可能な実現方式では、ユーザ装置により、制御チャネルの時間周波数リソースを決定するステップ、及びユーザ装置により、制御チャネルの時間周波数リソースに基づいて、下りリンク制御情報を受信するステップは、ユーザ装置により、第１の制御チャネルの時間周波数リソースを決定するステップと、ユーザ装置により、第２の制御チャネルの時間周波数リソースを決定するステップと、ユーザ装置により、第１の制御チャネルの時間周波数リソースに基づいて、第１の下りリンク制御情報を検出するステップと、ユーザ装置により、第２の制御チャネルの時間周波数リソースに基づいて、第２の下りリンク制御情報を検出するステップとを含む。
【００３０】
他の可能な実現方式では、第１の制御チャネルの時間周波数リソースにより占有されるシンボルは、第２の制御チャネルの時間周波数リソースにより占有されるシンボルの前に位置する。
【００３１】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用される。
【００３２】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【００３３】
他の可能な実現方式では、ユーザ装置により、第１の制御チャネルの時間周波数リソースを決定するステップ、及びユーザ装置により、第２の制御チャネルの時間周波数リソースを決定するステップは、ユーザ装置により、第１のサブフレーム内の第１の制御チャネルの時間周波数リソースを決定するステップと、ユーザ装置により、第１のサブフレーム内の第２の制御チャネルの時間周波数リソースを決定するステップとを含み、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含む。
【００３４】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数である。
【００３５】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【００３６】
他の可能な実現方式では、ユーザ装置により、第１の制御チャネルの時間周波数リソースを決定するステップ、及びユーザ装置により、第２の制御チャネルの時間周波数リソースを決定するステップは、
ユーザ装置により、第２のサブフレーム内の第１の制御チャネルの時間周波数リソースを決定するステップと、
ユーザ装置により、第２の制御チャネルの時間周波数リソースが第２のサブフレーム内に存在しないと決定するステップと
を含み、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含む。
【００３７】
他の可能な実現方式では、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【００３８】
他の可能な実現方式では、ユーザ装置により、第２の制御チャネルの時間周波数リソースを決定するステップは、ユーザ装置により、第１の下りリンク制御情報に従って、第２の制御チャネルの時間周波数リソースを決定するステップを含む。
【００３９】
他の可能な実現方式では、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+1内で搬送され、nは正の整数である。
【００４０】
他の可能な実現方式では、方法は、ユーザ装置により、第１の下りリンク制御情報及び第２の下りリンク制御情報に従って、下りリンク共有チャネルを受信するステップを更に含み、第１の下りリンク制御情報は、第２の下りリンク制御チャネルの時間周波数リソースについての情報及び／又は下りリンク共有チャネルの時間周波数リソースについての情報を含み、第２の下りリンク制御情報は、下りリンク共有チャネルの変調及び符号化情報を含む。
【００４１】
他の可能な実現方式では、第１の制御チャネルは、第１の制御チャネルの時間周波数リソース上で搬送された参照信号に従って復調される。
【００４２】
他の可能な実現方式では、ユーザ装置により、制御チャネルの時間周波数リソースを決定するステップは、ユーザ装置により、サブフレームn内の制御チャネルの時間周波数リソースを決定するステップと、サブフレームnがサブフレームセット1に属する場合、ユーザ装置により、予め設定されたルールに従って、サブフレームn内の制御チャネルの時間周波数リソースを決定するステップ、又はサブフレームnがサブフレームセット2に属する場合、ユーザ装置により、下りリンク制御シグナリングに従って、サブフレームn内の制御チャネルの時間周波数リソースを決定するステップとを含み、サブフレームセット1は、同期信号及び／又はシステム情報を搬送するサブフレームを含み、サブフレームセット2は、同期信号及び／又はシステム情報を搬送するサブフレームを含まず、nは0以上の整数である。
【００４３】
他の可能な実現方式では、ユーザ装置により、下りリンク制御シグナリングに従って、サブフレームn内の制御チャネルの時間周波数リソースを決定するステップは、ユーザ装置により、サブフレームn-k内で搬送された下りリンク制御シグナリングに従って、サブフレームn内の制御チャネルの時間周波数リソースを決定するステップであり、kは0以上の整数である、ステップを含む。
【００４４】
例えば、kの値が1である場合、ユーザ装置は、サブフレームn-1内で搬送された下りリンク制御シグナリングに従って、サブフレームn内の制御チャネルの時間周波数リソースを決定する。サブフレームn-kは、サブフレームnから前方に数えて第kのサブフレームを表してもよく、サブフレームn-k及びサブフレームnは、同じ無線フレーム内にあってもよく、或いは同じ無線フレーム内になくてもよい点に留意すべきである。これらが同じ無線フレーム内にない場合、サブフレームn-k及びサブフレームnは２つの隣接する無線フレーム内にある。ここで、下りリンク制御シグナリングは、下りリンク制御情報、又は下りリンク制御情報フォーマットで搬送される情報でもよい。
【００４５】
他の可能な実現方式では、ユーザ装置により、下りリンク制御シグナリングに従って、サブフレームn内の制御チャネルの時間周波数リソースを決定するステップは、ユーザ装置により、サブフレームn-1内で搬送された下りリンク制御シグナリングに従って、サブフレームn内の制御チャネルの時間周波数リソースを決定するステップを含む。
【００４６】
他の可能な実現方式では、サブフレームn内の制御チャネルの時間周波数リソースは、時間ドメインにおいて２つのシンボルを占有する。
【００４７】
他の可能な実現方式では、制御チャネルは、制御チャネルセット1を含み、ユーザ装置により、制御チャネルの時間周波数リソースを決定するステップは、ユーザ装置により、制御チャネルセット1の時間周波数リソースを決定するステップを含み、制御チャネルセット1内の制御チャネルは、分散型送信モードを使用する。
【００４８】
ここで、制御チャネルが分散型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソースに渡って分散されることを意味してもよい。例えば、具体的には、下りリンク制御情報DCIフォーマットを搬送する制御チャネルに対応するリソースエレメントグループ（resource  element  group）は、制御チャネルの時間周波数リソースに渡って分散される。制御チャネルが分散型モードで送信されるため、より多くのダイバーシチ利得が取得でき、制御チャネルの性能が改善される。
【００４９】
他の可能な実現方式では、制御チャネルは、制御チャネルセット1及び制御チャネルセット2を含み、ユーザ装置により、制御チャネルの時間周波数リソースを決定するステップは、ユーザ装置により、制御チャネルセット1の時間周波数リソースを決定するステップと、ユーザ装置により、制御チャネルセット2の時間周波数リソースを決定するステップとを含み、制御チャネルセット1内の制御チャネルは、分散型送信モードを使用し、制御チャネルセット2内の制御チャネルは、ローカライズ型送信モードを使用する。
【００５０】
ここで、制御チャネルがローカライズ型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソース上で局在化されることを意味してもよい。例えば、具体的には、下りリンク制御情報DCIフォーマットを搬送する制御チャネルに対応するリソースエレメントグループ（resource  element  group）が制御チャネルの時間周波数リソースの一部の上で局在化される。制御チャネルがローカライズ型モードで送信されるため、ビームフォーミング送信モードが使用でき、制御チャネルは対応するビーム方向に集中し、制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく制御チャネルの性能が改善される。
【００５１】
他の可能な実現方式では、ユーザ装置により、制御チャネルセット1の時間周波数リソースを決定するステップは、ユーザ装置により、サブフレームn内の下りリンク制御情報を検出するステップと、ユーザ装置により、サブフレームn内で検出された下りリンク制御情報に従って、サブフレームn+k内の制御チャネルセット1の時間周波数リソースを決定するステップであり、nは整数であり、kは1以上の正の整数である、ステップとを含む。他の可能な実現方式では、方法は、ユーザ装置により、サブフレームn+k内の制御チャネルセット1の時間周波数リソースに基づいて、サブフレームn+k内の制御チャネルセット2の時間周波数リソースを決定するステップを更に含む。
【００５２】
他の可能な実現方式では、制御チャネルを搬送するサブフレームは、同期信号及び／又はシステム情報を搬送しない。
【００５３】
他の可能な実現方式では、ユーザ装置により、制御チャネルの時間周波数リソースを決定するステップは、ユーザ装置により、制御チャネルの基本セットの時間周波数リソースを決定するステップと、ユーザ装置により、基本セットの時間周波数リソースに基づいて、下りリンク制御情報を検出するステップと、ユーザ装置により、検出された下りリンク制御情報に従って、制御チャネルの拡張セットの時間周波数リソースを決定するステップとを含む。
【００５４】
他の可能な実現方式では、ユーザ装置により、制御チャネルの基本セットの時間周波数リソースを決定するステップは、ユーザ装置により、システム情報を受信するステップと、ユーザ装置により、システム情報に従って、制御チャネルの基本セットの時間周波数リソースを決定するステップとを含む。
【００５５】
他の可能な実現方式では、ユーザ装置により、システム情報に従って、制御チャネルの基本セットの時間周波数リソースを決定するステップは、ユーザ装置により、システム情報に従って、制御チャネルの基本セットの時間周波数リソースにより占有されるシンボル数を決定するステップ、又はユーザ装置により、システム情報に従って、制御チャネルの基本セットの時間周波数リソースにより占有される物理リソースブロック数を決定するステップ、又はユーザ装置により、システム情報に従って、制御チャネルの基本セットの時間周波数リソースに対応する制御チャネル要素CCE数を決定するステップを含む。
【００５６】
他の可能な実現方式では、ユーザ装置により、制御チャネルの基本セットの時間周波数リソースを決定するステップは、ユーザ装置により、予め設定されたルールに従って、制御チャネルの基本セットの時間周波数リソースを決定するステップを含む。
【００５７】
他の可能な実現方式では、予め設定されたルールは、制御チャネルの基本セットの時間周波数リソースが１つのシンボルを占有することである。
【００５８】
他の可能な実現方式では、ユーザ装置により、制御チャネルの基本セットの時間周波数リソースを決定するステップは、ユーザ装置により、システム情報を受信するステップと、ユーザ装置により、システム情報に従って、制御チャネルの基本セットの時間周波数リソースにより占有される物理リソースブロック数、又は制御チャネルの基本セットの時間周波数リソースに対応する制御チャネル要素数を決定するステップと、ユーザ装置により、予め規定されたルールに従って、制御チャネルの時間周波数リソースにより占有されるシンボル数を決定するステップとを含み、予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよい。
【００５９】
他の可能な実現方式では、ユーザ装置により、基本セットの時間周波数リソースに基づいて、下りリンク制御情報を検出するステップ、及びユーザ装置により、検出された下りリンク制御情報に従って、制御チャネルの拡張セットの時間周波数リソースを決定するステップは、ユーザ装置により、サブフレームn内の基本セットの時間周波数リソースに基づいて、下りリンク制御情報を検出するステップと、ユーザ装置により、サブフレームn内で検出された下りリンク制御情報に従って、サブフレームn+k内の制御チャネルの拡張セットの時間周波数リソースを決定するステップであり、nは整数であり、kは0以上の正の整数である、ステップとを含む。任意選択で、kの値は1に等しい。
【００６０】
他の可能な実現方式では、方法は、ユーザ装置により、検出された下りリンク制御情報に従って、制御チャネルの拡張セットが存在するか否かを決定するステップ、又はユーザ装置により、検出された下りリンク制御情報に従って、制御チャネルの拡張セットに対応する送信モードを決定するステップを更に含む。
【００６１】
他の可能な実現方式では、基本セットは、下りリンク送信に使用されるシンボルを含む全てのサブフレーム内に存在する。
【００６２】
他の可能な実現方式では、拡張セットは、同期信号及び／又はシステム情報を搬送するサブフレーム内に存在しない。
【００６３】
本発明の第３の態様は、情報を送信するための方法を提供し、方法は、
基地局により、制御チャネルの時間周波数リソースを決定するステップと、
基地局により、制御チャネルの時間周波数リソースに基づいて、下りリンク制御情報を送信するステップと
を含む。
【００６４】
いくつかの可能な実現方式では、基地局により、制御チャネルの時間周波数リソースを決定するステップ、及び基地局により、制御チャネルの時間周波数リソースに基づいて、下りリンク制御情報を送信するステップは、基地局により、第１の制御チャネルの時間周波数リソースを決定するステップと、基地局により、第２の制御チャネルの時間周波数リソースを決定するステップと、基地局により、第１の制御チャネルの時間周波数リソースに基づいて、第１の下りリンク制御情報を送信するステップと、基地局により、第２の制御チャネルの時間周波数リソースに基づいて、第２の下りリンク制御情報を送信するステップとを含む。
【００６５】
他の可能な実現方式では、第１の制御チャネルの時間周波数リソースにより占有されるシンボルは、第２の制御チャネルの時間周波数リソースにより占有されるシンボルの前に位置する。
【００６６】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用される。
【００６７】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【００６８】
他の可能な実現方式では、基地局により、第１の制御チャネルの時間周波数リソースを決定するステップ、及び基地局により、第２の制御チャネルの時間周波数リソースを決定するステップは、基地局により、第１のサブフレーム内の第１の制御チャネルの時間周波数リソースを決定するステップと、基地局により、第１のサブフレーム内の第２の制御チャネルの時間周波数リソースを決定するステップとを含み、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含む。
【００６９】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数である。
【００７０】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【００７１】
他の可能な実現方式では、基地局により、第１の制御チャネルの時間周波数リソースを決定するステップ、及び基地局により、第２の制御チャネルの時間周波数リソースを決定するステップは、基地局により、第２のサブフレーム内の第１の制御チャネルの時間周波数リソースを決定するステップと、基地局により、第２の制御チャネルの時間周波数リソースが第２のサブフレーム内に存在しないと決定するステップとを含み、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含む。
【００７２】
他の可能な実現方式では、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【００７３】
他の可能な実現方式では、第１の下りリンク制御情報は、第２の制御チャネルの時間周波数リソースについての情報を含む。
【００７４】
他の可能な実現方式では、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+1内で搬送され、nは正の整数である。
【００７５】
他の可能な実現方式では、方法は、基地局により、下りリンク共有チャネルを送信するステップを更に含み、第１の下りリンク制御情報は、第２の下りリンク制御チャネルの時間周波数リソースについての情報及び／又は下りリンク共有チャネルの時間周波数リソースについての情報を含み、第２の下りリンク制御情報は、下りリンク共有チャネルの変調及び符号化情報を含む。
【００７６】
他の可能な実現方式では、方法は、基地局により、第１の制御チャネルの時間周波数リソース上で参照信号を送信するステップであり、参照信号は、第１の制御チャネルを復調するために使用される、ステップを更に含む。
【００７７】
他の可能な実現方式では、方法は、基地局により、下りリンク制御シグナリングを送信するステップであり、下りリンク制御シグナリングは、サブフレームn内の制御チャネルの時間周波数リソースを決定するために使用され、サブフレームnは、同期信号及び／又はシステム情報を搬送せず、nは0以上の整数である、ステップを更に含む。
【００７８】
他の可能な実現方式では、基地局により、下りリンク制御情報シグナリングを送信するステップは、基地局により、サブフレームn-k内で下りリンク制御シグナリングを送信するステップであり、kは0以上の整数である、ステップを含む。任意選択で、kは1に等しい。
【００７９】
他の可能な実現方式では、基地局により、制御チャネルの時間周波数リソースを決定するステップは、基地局により、予め規定されたルールに従って、サブフレームn内の制御チャネルの時間周波数リソースを決定するステップを含み、サブフレームnは、同期信号及び／又はシステム情報を搬送する。予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよい。
【００８０】
他の可能な実現方式では、制御チャネルは、制御チャネルセット1を含み、基地局により、制御チャネルの時間周波数リソースを決定するステップは、基地局により、制御チャネルセット1の時間周波数リソースを決定するステップを含み、方法は、基地局により、分散型送信モードを使用することにより、制御チャネルセット1の時間周波数リソースに基づいて、制御チャネルを送信するステップを更に含む。
【００８１】
他の可能な実現方式では、制御チャネルは、制御チャネルセット1及び制御チャネルセット2を含み、基地局により、制御チャネルの時間周波数リソースを決定するステップは、基地局により、制御チャネルセット1の時間周波数リソースを決定するステップと、基地局により、制御チャネルセット2の時間周波数リソースを決定するステップとを含み、制御チャネルセット1内の制御チャネルは、分散型送信モードを使用し、制御チャネルセット2内の制御チャネルは、ローカライズ型送信モードを使用する。
【００８２】
他の可能な実現方式では、方法は、基地局により、サブフレームn内で下りリンク制御情報を送信するステップであり、下りリンク制御情報は、サブフレームn+k内の制御チャネルセット1の時間周波数リソースについての情報を含み、nは整数であり、kは1以上の正の整数である、ステップを更に含む。
【００８３】
他の可能な実現方式では、基地局により、制御チャネルの時間周波数リソースを決定するステップ、及び基地局により、制御チャネルの時間周波数リソースに基づいて下りリンク制御情報を送信するステップは、基地局により、制御チャネルの基本セットの時間周波数リソースを決定するステップと、基地局により、基本セットの時間周波数リソースに基づいて、下りリンク制御情報を送信するステップであり、下りリンク制御情報は、制御チャネルの拡張セットの時間周波数リソースについての情報を含む、ステップとを含む。
【００８４】
他の可能な実現方式では、方法は、基地局により、システム情報を送信するステップであり、システム情報は、制御チャネルの基本セットの時間周波数リソースについての情報を含む、ステップを更に含む。
【００８５】
他の可能な実現方式では、システム情報が制御チャネルの基本セットの時間周波数リソースについての情報を含むことは、具体的には、システム情報が制御チャネルの基本セットの時間周波数リソースにより占有されるシンボル数についての情報を含むこと、又はシステム情報が制御チャネルの基本セットの時間周波数リソースにより占有される物理リソースブロック数を含むこと、又はシステム情報が制御チャネルの基本セットの時間周波数リソースにより占有される物理リソースブロック数についての情報を含むこと、又はシステム情報が制御チャネルの基本セットの時間周波数リソースにより占有されるリソースブロックペア数についての情報を含むこと、又はシステム情報が制御チャネルの基本セットの時間周波数リソースにより占有されるサブキャリア数についての情報を含むこと、又はシステム情報が制御チャネルの基本セットの時間周波数リソースに対応する制御チャネル要素CCE数についての情報を含むことである。
【００８６】
他の可能な実現方式では、基地局により、制御チャネルの基本セットの時間周波数リソースを決定するステップは、基地局により、予め設定されたルールに従って、制御チャネルの基本セットの時間周波数リソースを決定するステップを含む。
【００８７】
他の可能な実現方式では、予め設定されたルールは、制御チャネルの基本セットの時間周波数リソースが１つのシンボルを占有することである。
【００８８】
他の可能な実現方式では、基地局により、基本セットの時間周波数リソースに基づいて、下りリンク制御情報を送信するステップであり、下りリンク制御情報は、制御チャネルの拡張セットの時間周波数リソースについての情報を含む、ステップは、基地局により、サブフレームn内の基本セットの時間周波数リソースに基づいて、下りリンク制御情報を送信するステップであり、下りリンク制御情報は、サブフレームn+k内の制御チャネルの拡張セットの時間周波数リソースについての情報を含む、ステップを含み、nは整数であり、kは0以上の正の整数である。任意選択で、kの値は1に等しい。
【００８９】
他の可能な実現方式では、下りリンク制御情報は、制御チャネルの拡張セットが存在するか否かを示す情報を含むか、或いは下りリンク制御情報は、制御チャネルの拡張セットに対応する送信モードを示す情報を含む。
【００９０】
他の可能な実現方式では、基本セットは、下りリンク送信に使用されるシンボルを含む全てのサブフレーム内に存在する。
【００９１】
他の可能な実現方式では、拡張セットは、同期信号及び／又はシステム情報を搬送するサブフレーム内に存在しない。
【００９２】
本発明の第４の態様は、第１のデバイスとして使用されるデバイスを提供し、
参照信号の位置を決定するように構成された決定モジュールと、
参照信号の決定された位置に基づいて、参照信号を送信又は受信するように構成された送受信機モジュールと
を含む。
【００９３】
いくつかの可能な実現方式では、参照信号は、第１の参照信号及び第２の参照信号を含み、決定モジュールは、第１の参照信号の位置を決定し、第１の参照信号は、下りリンクデータ復調に使用され、第２の参照信号の位置を決定し、第２の参照信号は、上りリンクデータ復調に使用され、第１の参照信号の時間ドメイン位置は、第２の参照信号の時間ドメイン位置と同じである、ように具体的に構成される。
【００９４】
任意選択で、送受信機モジュールは、第１の参照信号の位置に基づいて、第１の参照信号を受信し、第２の参照信号の位置に基づいて、第２の参照信号を送信するように具体的に構成されるか、或いは第１のデバイスは、第１の参照信号の位置に基づいて、第２の参照信号を送信し、第２の参照信号の位置に基づいて、第２の参照信号を受信する。
【００９５】
他の可能な実現方式では、第１の参照信号の周波数ドメイン位置は、第２の参照信号の周波数ドメイン位置と同じである。
【００９６】
他の可能な実現方式では、第１の参照信号は、第１の送信単位内で搬送され、第１の参照信号の位置は、第１の送信単位内の第１の参照信号の位置であり、第２の参照信号は、第２の送信単位内で搬送され、第２の参照信号の位置は、第２の送信単位内の第２の参照信号の位置であり、第１の参照信号の時間ドメイン位置が第２の参照信号の時間ドメイン位置と同じであることは、具体的には、第１の送信単位内の第１の参照信号の時間ドメイン位置が第２の送信単位内の第２の参照信号の時間ドメイン位置と同じであることであり、第１の送信単位に対応する持続時間は、第２の送信単位に対応する持続時間と等しい。
【００９７】
他の可能な実現方式では、第１の参照信号は、第１の送信単位内で搬送され、第１の参照信号の位置は、第１の送信単位内の第１の参照信号の位置であり、第２の参照信号は、第２の送信単位内で搬送され、第２の参照信号の位置は、第２の送信単位内の第２の参照信号の位置であり、第１の参照信号の時間ドメイン位置が第２の参照信号の時間ドメイン位置と同じであることは、第１の送信単位内の第１の参照信号の時間ドメイン位置が第２の送信単位内の第２の参照信号の時間ドメイン位置と同じであることであり、第１の参照信号の周波数ドメイン位置が第２の参照信号の周波数ドメイン位置と同じであることは、第１の送信単位内の第１の参照信号の周波数ドメイン位置が第２の送信単位内の第２の参照信号の周波数ドメイン位置と同じであることであり、第１の送信単位に対応する持続時間は、第２の送信単位に対応する持続時間と等しい。
【００９８】
他の可能な実現方式では、第１の参照信号は、第１の送信単位内の第３のシンボル上に位置し、第２の参照信号は、第２の送信単位内の第３のシンボル上に位置する。
【００９９】
他の可能な実現方式では、第１の参照信号は、第１のサブフレーム内で搬送され、第１の参照信号の位置は、第１のサブフレーム内の第１の参照信号の位置であり、第２の参照信号は、第２のサブフレーム内で搬送され、第２の参照信号の位置は、第２のサブフレーム内の第２の参照信号の位置であり、第１の参照信号の時間ドメイン位置が第２の参照信号の時間ドメイン位置と同じであることは、第１のサブフレーム内の第１の参照信号の時間ドメイン位置が第２のサブフレーム内の第２の参照信号の時間ドメイン位置と同じであることであり、第１のサブフレーム内で下りリンク送信に使用されるシンボル数は、第１のサブフレーム内で上りリンク送信に使用されるシンボル数より多く、第２のサブフレーム内で下りリンク送信に使用されるシンボル数は、第２のサブフレーム内で上りリンク送信に使用されるシンボル数未満である。
【０１００】
他の可能な実現方式では、第１の参照信号は、第１のサブフレーム内で搬送され、第１の参照信号の位置は、第１のサブフレーム内の第１の参照信号の位置であり、第２の参照信号は、第２のサブフレーム内で搬送され、第２の参照信号の位置は、第２のサブフレーム内の第２の参照信号の位置であり、第１の参照信号の時間ドメイン位置が第２の参照信号の時間ドメイン位置と同じであることは、第１のサブフレーム内の第１の参照信号の時間ドメイン位置が第２のサブフレーム内の第２の参照信号の時間ドメイン位置と同じであることであり、第１の参照信号の周波数ドメイン位置が第２の参照信号の周波数ドメイン位置と同じであることは、第１のサブフレーム内の第１の参照信号の周波数ドメイン位置が第２のサブフレーム内の第２の参照信号の周波数ドメイン位置と同じであることであり、第１のサブフレーム内で下りリンク送信に使用されるシンボル数は、第１のサブフレーム内で上りリンク送信に使用されるシンボル数より多く、第２のサブフレーム内で下りリンク送信に使用されるシンボル数は、第２のサブフレーム内で上りリンク送信に使用されるシンボル数未満である。
【０１０１】
他の可能な実現方式では、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、上りリンク制御送信と、上りリンクデータ送信と、第２の参照信号の送信とを含む。
【０１０２】
他の可能な実現方式では、第１のサブフレームは、第１のサブフレームに含まれ且つ下りリンク送信に使用されるシンボルで始まり、第１のサブフレームに含まれ且つ上りリンク送信に使用されるシンボルで終わり、第２のサブフレームは、第２のサブフレームに含まれ且つ下りリンク送信に使用されるシンボルで始まり、第２のサブフレームに含まれ且つ上りリンク送信に使用されるシンボルで終わる。
【０１０３】
他の可能な実現方式では、第１のサブフレーム内の第１の参照信号の時間ドメイン位置が第２のサブフレーム内の第２の参照信号の時間ドメイン位置と同じであることは、具体的には、第１のサブフレーム内の第１の参照信号により占有されるシンボルのインデックスが第２のサブフレーム内の第２の参照信号により占有されるシンボルのインデックスと同じであることである。
【０１０４】
他の可能な実現方式では、第１の参照信号は、第１のサブフレーム内の第３のシンボル上に位置し、第２の参照信号は、第２のサブフレーム内の第３のシンボル上に位置する。
【０１０５】
他の可能な実現方式では、第１のデバイスはユーザ装置であり、送受信機モジュールは、第１の参照信号の位置に基づいて、第１の参照信号を受信し、第２の参照信号の位置に基づいて、第２の参照信号を送信するように具体的に構成される。
【０１０６】
他の可能な実現方式では、第１のデバイスは基地局であり、送受信機モジュールは、第１の参照信号の位置に基づいて、第１の参照信号を送信し、第２の参照信号の位置に基づいて、第２の参照信号を受信するように具体的に構成される。
【０１０７】
本発明の第５の態様は、ユーザ装置を提供し、
制御チャネルの時間周波数リソースを決定するように構成された決定モジュールと、
制御チャネルの時間周波数リソースに基づいて、下りリンク制御情報を受信するように構成された受信モジュールと
を含む。
【０１０８】
いくつかの可能な実現方式では、決定モジュールは、第１の制御チャネルの時間周波数リソースを決定し、第２の制御チャネルの時間周波数リソースを決定するように具体的に構成され、受信モジュールは、第１の制御チャネルの時間周波数リソースに基づいて、第１の下りリンク制御情報を検出し、第２の制御チャネルの時間周波数リソースに基づいて、第２の下りリンク制御情報を検出するように具体的に構成される。
【０１０９】
他の可能な実現方式では、第１の制御チャネルの時間周波数リソースにより占有されるシンボルは、第２の制御チャネルの時間周波数リソースにより占有されるシンボルの前に位置する。
【０１１０】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用される。
【０１１１】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【０１１２】
他の可能な実現方式では、決定モジュールは、第１のサブフレーム内の第１の制御チャネルの時間周波数リソースを決定し、第１のサブフレーム内の第２の制御チャネルの時間周波数リソースを決定するように具体的に構成され、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含む。
【０１１３】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数である。
【０１１４】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【０１１５】
他の可能な実現方式では、決定モジュールは、第２のサブフレーム内の第１の制御チャネルの時間周波数リソースを決定し、第２の制御チャネルの時間周波数リソースが第２のサブフレーム内に存在しないと決定するように具体的に構成され、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含む。
【０１１６】
他の可能な実現方式では、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【０１１７】
他の可能な実現方式では、決定モジュールは、第１の下りリンク制御情報に従って、第２の制御チャネルの時間周波数リソースを決定するように更に構成される。
【０１１８】
他の可能な実現方式では、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+1内で搬送され、nは正の整数である。
【０１１９】
他の可能な実現方式では、受信モジュールは、第１の下りリンク制御情報及び第２の下りリンク制御情報に従って、下りリンク共有チャネルを受信するように更に構成され、第１の下りリンク制御情報は、第２の下りリンク制御チャネルの時間周波数リソースについての情報及び／又は下りリンク共有チャネルの時間周波数リソースについての情報を含み、第２の下りリンク制御情報は、下りリンク共有チャネルの変調及び符号化情報を含む。
【０１２０】
他の可能な実現方式では、第１の制御チャネルは、第１の制御チャネルの時間周波数リソース上で搬送された参照信号に従って復調される。
【０１２１】
他の可能な実現方式では、決定モジュールは、サブフレームn内の制御チャネルの時間周波数リソースを決定するように具体的に構成され、サブフレームnがサブフレームセット1に属する場合、決定モジュールは、予め設定されたルールに従って、サブフレームn内の制御チャネルの時間周波数リソースを決定するか、或いはサブフレームnがサブフレームセット2に属する場合、決定モジュールは、下りリンク制御シグナリングに従って、サブフレームn内の制御チャネルの時間周波数リソースを決定し、サブフレームセット1は、同期信号及び／又はシステム情報を搬送するサブフレームを含み、サブフレームセット2は、同期信号及び／又はシステム情報を搬送するサブフレームを含まず、nは0以上の整数である。
【０１２２】
他の可能な実現方式では、決定モジュールは、サブフレームn-k内で搬送された下りリンク制御シグナリングに従って、サブフレームn内の制御チャネルの時間周波数リソースを決定するように具体的に構成され、kは0以上の整数である。
【０１２３】
他の可能な実現方式では、決定モジュールは、サブフレームn-1内で搬送された下りリンク制御シグナリングに従って、サブフレームn内の制御チャネルの時間周波数リソースを決定するように具体的に構成される。
【０１２４】
他の可能な実現方式では、サブフレームn内の制御チャネルの時間周波数リソースは、時間ドメインにおいて２つのシンボルを占有する。
【０１２５】
他の可能な実現方式では、制御チャネルは、制御チャネルセット1を含み、決定モジュールは、制御チャネルセット1の時間周波数リソースを決定するように具体的に構成され、制御チャネルセット1内の制御チャネルは、分散型送信モードを使用する。
【０１２６】
他の可能な実現方式では、制御チャネルは、制御チャネルセット1及び制御チャネルセット2を含み、決定モジュールは、制御チャネルセット1の時間周波数リソースを決定し、制御チャネルセット2の時間周波数リソースを決定するように具体的に構成され、制御チャネルセット1内の制御チャネルは、分散型送信モードを使用し、制御チャネルセット2内の制御チャネルは、ローカライズ型送信モードを使用する。
【０１２７】
他の可能な実現方式では、決定モジュールは、サブフレームn内の下りリンク制御情報を検出し、サブフレームn内で検出された下りリンク制御情報に従って、サブフレームn+k内の制御チャネルセット1の時間周波数リソースを決定ように更に構成され、nは整数であり、kは1以上の正の整数である。
【０１２８】
他の可能な実現方式では、決定モジュールは、サブフレームn+k内の制御チャネルセット1の時間周波数リソースに基づいて、サブフレームn+k内の制御チャネルセット2の時間周波数リソースを決定するように更に構成される。
【０１２９】
他の可能な実現方式では、制御チャネルを搬送するサブフレームは、同期信号及び／又はシステム情報を搬送しない。
【０１３０】
他の可能な実現方式では、決定モジュールは、制御チャネルの基本セットの時間周波数リソースを決定し、基本セットの時間周波数リソースに基づいて、下りリンク制御情報を検出し、検出された下りリンク制御情報に従って、制御チャネルの拡張セットの時間周波数リソースを決定するように具体的に構成される。
【０１３１】
他の可能な実現方式では、受信モジュールは、システム情報を受信するように更に構成され、決定モジュールは、システム情報に従って、制御チャネルの基本セットの時間周波数リソースを決定するように更に構成される。
【０１３２】
他の可能な実現方式では、決定モジュールは、システム情報に従って、制御チャネルの基本セットの時間周波数リソースにより占有されるシンボル数を決定するか、或いはシステム情報に従って、制御チャネルの基本セットの時間周波数リソースにより占有される物理リソースブロック数を決定するか、或いはシステム情報に従って、制御チャネルの基本セットの時間周波数リソースにより占有される物理リソースブロック数についての情報を決定するか、或いはシステム情報に従って、制御チャネルの基本セットの時間周波数リソースにより占有されるリソースブロックペア数についての情報を決定するか、或いはシステム情報に従って、制御チャネルの基本セットの時間周波数リソースにより占有されるサブキャリア数についての情報を決定するか、或いはシステム情報に従って、制御チャネルの基本セットの時間周波数リソースに対応する制御チャネル要素CCE数を決定するように更に構成される。
【０１３３】
他の可能な実現方式では、決定モジュールは、予め設定されたルールに従って、制御チャネルの基本セットの時間周波数リソースを決定するように具体的に構成される。
【０１３４】
他の可能な実現方式では、予め設定されたルールは、制御チャネルの基本セットの時間周波数リソースが１つのシンボルを占有することである。
【０１３５】
他の可能な実現方式では、受信モジュールは、システム情報を受信するように更に構成され、決定モジュールは、システム情報に従って、制御チャネルの基本セットの時間周波数リソースにより占有される物理リソースブロック数、又は制御チャネルの基本セットの時間周波数リソースに対応する制御チャネル要素数、又は制御チャネルの基本セットの時間周波数リソースにより占有される物理リソースブロック数、又は制御チャネルの基本セットの時間周波数リソースにより占有されるリソースブロック数、又は制御チャネルの基本セットの時間周波数リソースにより占有されるサブキャリア数を決定し、ユーザ装置により、予め規定されたルールに従って、制御チャネルの時間周波数リソースにより占有されるシンボル数を決定するように具体的に構成され、予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよい。
【０１３６】
他の可能な実現方式では、ユーザ装置は、サブフレームn内の基本セットの時間周波数リソースに基づいて、下りリンク制御情報を検出するように構成された検出モジュールを更に含み、決定モジュールは、サブフレームn内で検出された下りリンク制御情報に従って、サブフレームn+k内の制御チャネルの拡張セットの時間周波数リソースを決定するように具体的に構成され、nは整数であり、kは0以上の正の整数である。任意選択で、kの値は1に等しい。
【０１３７】
他の可能な実現方式では、決定モジュールは、検出された下りリンク制御情報に従って、制御チャネルの拡張セットが存在するか否かを決定するか、或いは検出された下りリンク制御情報に従って、制御チャネルの拡張セットに対応する送信モードを決定するように更に構成される。
【０１３８】
他の可能な実現方式では、基本セットは、下りリンク送信に使用されるシンボルを含む全てのサブフレーム内に存在する。
【０１３９】
他の可能な実現方式では、拡張セットは、同期信号及び／又はシステム情報を搬送するサブフレーム内に存在しない。
【０１４０】
本発明の第６の態様は、基地局を提供し、
制御チャネルの時間周波数リソースを決定するように構成された決定モジュールと、
制御チャネルの時間周波数リソースに基づいて、下りリンク制御情報を送信するように構成された送信モジュールと
を含む。
【０１４１】
いくつかの可能な実現方式では、決定モジュールは、第１の制御チャネルの時間周波数リソースを決定し、第２の制御チャネルの時間周波数リソースを決定するように具体的に構成され、送信モジュールは、第１の制御チャネルの時間周波数リソースに基づいて、第１の下りリンク制御情報を送信し、第２の制御チャネルの時間周波数リソースに基づいて、第２の下りリンク制御情報を送信するように具体的に構成される。
【０１４２】
他の可能な実現方式では、第１の制御チャネルの時間周波数リソースにより占有されるシンボルは、第２の制御チャネルの時間周波数リソースにより占有されるシンボルの前に位置する。
【０１４３】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用される。
【０１４４】
他の可能な実現方式では、第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【０１４５】
他の可能な実現方式では、決定モジュールは、第１のサブフレーム内の第１の制御チャネルの時間周波数リソースを決定し、第１のサブフレーム内の第２の制御チャネルの時間周波数リソースを決定するように具体的に構成され、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含む。
【０１４６】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数である。
【０１４７】
他の可能な実現方式では、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【０１４８】
他の可能な実現方式では、決定モジュールは、第２のサブフレーム内の第１の制御チャネルの時間周波数リソースを決定し、第２の制御チャネルの時間周波数リソースが第２のサブフレーム内に存在しないと決定するように具体的に構成され、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含む。
【０１４９】
他の可能な実現方式では、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【０１５０】
他の可能な実現方式では、第１の下りリンク制御情報は、第２の制御チャネルの時間周波数リソースについての情報を含む。
【０１５１】
他の可能な実現方式では、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+1内で搬送され、nは正の整数である。
【０１５２】
他の可能な実現方式では、送信モジュールは、下りリンク共有チャネルを送信するように更に構成され、第１の下りリンク制御情報は、第２の下りリンク制御チャネルの時間周波数リソースについての情報及び／又は下りリンク共有チャネルの時間周波数リソースについての情報を含み、第２の下りリンク制御情報は、下りリンク共有チャネルの変調及び符号化情報を含む。
【０１５３】
他の可能な実現方式では、送信モジュールは、第１の制御チャネルの時間周波数リソース上で参照信号を送信するように更に構成され、参照信号は、第１の制御チャネルを復調するために使用される。
【０１５４】
他の可能な実現方式では、送信モジュールは、下りリンク制御シグナリングを送信するように更に構成され、下りリンク制御シグナリングは、サブフレームn内の制御チャネルの時間周波数リソースを決定するために使用され、サブフレームnは、同期信号及び／又はシステム情報を搬送せず、nは0以上の整数である。
【０１５５】
他の可能な実現方式では、送信モジュールは、サブフレームn-k内で下りリンク制御シグナリングを送信するように更に構成され、kは0以上の整数である。任意選択で、kは1に等しい。
【０１５６】
他の可能な実現方式では、決定モジュールは、予め規定されたルールに従って、サブフレームn内の制御チャネルの時間周波数リソースを決定するように具体的に構成され、サブフレームnは、同期信号及び／又はシステム情報を搬送する。予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよい。
【０１５７】
他の可能な実現方式では、制御チャネルは、制御チャネルセット1を含み、決定モジュールは、制御チャネルセット1の時間周波数リソースを決定するように具体的に構成され、送信モジュールは、分散型送信モードを使用することにより、制御チャネルセット1の時間周波数リソースに基づいて、制御チャネルを送信するように更に構成される。
【０１５８】
他の可能な実現方式では、制御チャネルは、制御チャネルセット1及び制御チャネルセット2を含み、決定モジュールは、制御チャネルセット1の時間周波数リソースを決定し、制御チャネルセット2の時間周波数リソースを決定するように具体的に構成され、制御チャネルセット1内の制御チャネルは、分散型送信モードを使用し、制御チャネルセット2内の制御チャネルは、ローカライズ型送信モードを使用する。
【０１５９】
他の可能な実現方式では、送信モジュールは、サブフレームn内で下りリンク制御情報を送信するように更に構成され、下りリンク制御情報は、サブフレームn+k内の制御チャネルセット1の時間周波数リソースについての情報を含み、nは整数であり、kは1以上の正の整数である。
【０１６０】
他の可能な実現方式では、決定モジュールは、制御チャネルの基本セットの時間周波数リソースを決定するように具体的に構成され、送信モジュールは、基本セットの時間周波数リソースに基づいて、下りリンク制御情報を送信するように具体的に構成され、下りリンク制御情報は、制御チャネルの拡張セットの時間周波数リソースについての情報を含む。
【０１６１】
他の可能な実現方式では、送信モジュールは、システム情報を送信するように更に構成され、システム情報は、制御チャネルの基本セットの時間周波数リソースについての情報を含む。
【０１６２】
他の可能な実現方式では、システム情報が制御チャネルの基本セットの時間周波数リソースについての情報を含むことは、具体的には、システム情報が制御チャネルの基本セットの時間周波数リソースにより占有されるシンボル数についての情報を含むこと、又はシステム情報が制御チャネルの基本セットの時間周波数リソースにより占有される物理リソースブロックペア数を含むこと、又はシステム情報が制御チャネルの基本セットの時間周波数リソースにより占有される物理リソースブロック数についての情報を含むこと、又はシステム情報が制御チャネルの基本セットの時間周波数リソースにより占有されるリソースブロック数についての情報を含むこと、又はシステム情報が制御チャネルの基本セットの時間周波数リソースにより占有されるサブキャリア数についての情報を含むこと、又はシステム情報が制御チャネルの基本セットの時間周波数リソースに対応する制御チャネル要素CCE数についての情報を含むことである。
【０１６３】
他の可能な実現方式では、決定モジュールは、予め設定されたルールに従って、制御チャネルの基本セットの時間周波数リソースを決定するように具体的に構成される。
【０１６４】
他の可能な実現方式では、予め設定されたルールは、制御チャネルの基本セットの時間周波数リソースが１つのシンボルを占有することである。
【０１６５】
他の可能な実現方式では、送信モジュールは、サブフレームn内の基本セットの時間周波数リソースに基づいて、下りリンク制御情報を送信するように具体的に構成され、下りリンク制御情報は、サブフレームn+k内の制御チャネルの拡張セットの時間周波数リソースについての情報を含み、nは整数であり、kは0以上の正の整数である。任意選択で、kの値は1に等しい。
【０１６６】
他の可能な実現方式では、下りリンク制御情報は、制御チャネルの拡張セットが存在するか否かを示す情報を含むか、或いは下りリンク制御情報は、制御チャネルの拡張セットに対応する送信モードを示す情報を含む。
【０１６７】
他の可能な実現方式では、基本セットは、下りリンク送信に使用されるシンボルを含む全てのサブフレーム内に存在する。
【０１６８】
他の可能な実現方式では、拡張セットは、同期信号及び／又はシステム情報を搬送するサブフレーム内に存在しない。
【０１６９】
前述の技術的解決策から認識できるように、本発明の実施例は以下の利点を有する。参照信号の位置を決定することにより、第１のデバイスは、参照信号を使用することにより、上りリンク下りリンク干渉推定を実行し、より良く参照信号を送信又は受信し、それにより、より良くダイナミックTDDをサポートして前方互換を保持できる。
【図面の簡単な説明】
【０１７０】
【図１】本発明の実施例に従って情報を送信及び受信するための方法の実施例の概略図である。
【図２】本発明の実施例に従って情報を送信及び受信するための方法の他の実施例の概略図である。
【図３】本発明の実施例による第１のサブフレーム内の第１の参照信号の位置の概略図である。
【図４】本発明の実施例による第２のサブフレーム内の第２の参照信号の位置の概略図である。
【図５】本発明の実施例による第１のサブフレーム内の第１の参照信号の位置の他の概略図である。
【図６】本発明の実施例による第２のサブフレーム内の第２の参照信号の位置の他の概略図である。
【図７】本発明の実施例に従って情報を送信及び受信するための方法の他の実施例の概略図である。
【図８】本発明の実施例に従って情報を受信するための方法の実施例の概略図である。
【図９】本発明の実施例に従って情報を送信するための方法の実施例の概略図である。
【図１０】本発明の実施例による時間ドメインにおける第１のサブフレームの概略構成図である。
【図１１】本発明の実施例による時間ドメインにおける第１のサブフレームの他の概略構成図である。
【図１２】本発明の実施例によるデバイスの実施例の概略図である。
【図１３】本発明の実施例によるユーザ装置の実施例の概略図である。
【図１４】本発明の実施例による基地局の実施例の概略図である。
【発明を実施するための形態】
【０１７１】
本発明の実施例は、より良くダイナミックTDDをサポートして前方互換を保持するための、情報を送信及び受信するための方法、ユーザ装置並びに基地局を提供する。
【０１７２】
本発明の明細書、特許請求の範囲及び添付図面において、「第１」、「第２」、「第３」、「第４」等の用語は、同様の物の間を区別することを意図するものであり、必ずしも特定の順序又はシーケンスを示すとは限らない。このように呼ばれるデータは、適切な状況で交換可能であり、それにより、ここに記載の本発明の実施例は、ここに例示又は記載の順序以外の順序で実現できることが理解されるべきである。さらに、「含む」、「包含する」及び他の変形は、非排他的包含をカバーすることを意味し、例えば、ステップ又はユニットのリストを含むプロセス、方法、システム、プロダクト又はデバイスは、必ずしもこれらのユニットに限定されず、明示的に挙げられていないか、或いはこのようなプロセス、方法、システム、プロダクト又はデバイスに固有の他のユニットを含んでもよい。さらに、本発明のこの明細書及び特許請求の範囲において、「及び／又は」という用語は、関連する物を記述する関連付け関係のみを記述しており、３つの関係が存在してもよいことを表す。例えば、A及び／又はBは、以下の３つの場合、すなわち、Aのみが存在する場合、AとBとの双方が存在する場合、及びBのみが存在する場合を表してもよい。さらに、この明細書において、「／」という文字は、関係する物の間の「又は」の関係を示す。
【０１７３】
本発明は、主に5G通信システム、ロングタームエボリューション（英文フルネーム：Long  Term  Evolution、略称：LTE）システム又はLTEアドバンストシステムに適用され、単一のキャリア又は複数のキャリアに適用されてもよい。
【０１７４】
以下に、特定の実施例を参照して、本発明の技術的解決策について説明する。
【０１７５】
図１を参照して、本発明の実施例において情報を送信及び受信するための方法の実施例は以下のステップを含む。
【０１７６】
101.第１のデバイスは、参照信号の位置を決定する。
【０１７７】
この実施例では、第１のデバイスはユーザ装置でもよく、或いは基地局でもよい。参照信号は、第１の参照信号及び第２の参照信号を含んでもよく、第１の参照信号は、第１の復調参照信号DMRSと呼ばれてもよく、第２の参照信号は、第２の復調参照信号DMRSと呼ばれてもよい。第１の参照信号は、上りリンクデータ復調に使用されてもよく、第２の参照信号は、下りリンクデータ復調に使用されてもよい。第１の参照信号の位置（時間ドメイン位置及び／又は周波数ドメイン位置）は、第２の参照信号の位置（時間ドメイン位置及び／又は周波数ドメイン位置）と同じでもよい。
【０１７８】
さらに、第１の参照信号の位置（時間ドメイン位置及び／又は周波数ドメイン位置）が第２の参照信号の位置（時間ドメイン位置及び／又は周波数ドメイン位置）と同じである場合、第１のデバイスは、第１の参照信号及び第２の参照信号を使用することにより、より良く上りリンク下りリンク干渉推定を実行し、したがって、より良く上りリンク下りリンク干渉除去を実行し、それにより、より良くTDDを使用し、より良く実際のサービスにマッチし、システムのスペクトル効率を改善し、より良く低遅延サービスを提供できる。
【０１７９】
102.第１のデバイスは、参照信号の決定された位置に基づいて、参照信号を送信又は受信する。
【０１８０】
この実施例では、第１のデバイスが参照信号の位置を決定した後に、第１のデバイスは、参照信号の決定された位置に基づいて、参照信号を送信又は受信する。
【０１８１】
任意選択で、第１のデバイスは、第１の参照信号の位置に基づいて、第１の参照信号を受信し、第２の参照信号の位置に基づいて、第２の参照信号を送信するか、或いは第１のデバイスは、第１の参照信号の位置に基づいて、第２の参照信号を送信し、第２の参照信号の位置に基づいて、第２の参照信号を受信する。
【０１８２】
この実施例では、第１のデバイスはユーザ装置でもよく、或いは基地局でもよいため、本発明の技術的解決策を理解するのを容易にするために、第１のデバイスがユーザ装置であるものと、第１のデバイスが基地局であるものとの２つの場合について、具体的な実施例を参照して以下に別々に説明する。
【０１８３】
1.参照信号が第１の参照信号及び第２の参照信号を含み、第１のデバイスがユーザ装置であるとき、図２を参照して、本発明のこの実施例において情報を送信及び受信するための方法の他の実施例は以下のステップを含む。
【０１８４】
201.ユーザ装置は、第１の参照信号の位置を決定し、第１の参照信号は、下りリンクデータ復調に使用される。
【０１８５】
202.ユーザ装置は、第２の参照信号の位置を決定し、第２の参照信号は、上りリンクデータ復調に使用される。
【０１８６】
この実施例では、ステップ201及びステップ202のシーケンスは限定されず、ステップ201とステップ202との間の相互依存関係も限定されない。
【０１８７】
この実施例では、第１の参照信号の時間ドメイン位置は、第２の参照信号の時間ドメイン位置と同じであるか、或いは第１の参照信号の時間ドメイン位置及び周波数ドメイン位置は、第２の参照信号の時間ドメイン位置及び周波数ドメイン位置と同じである点に留意すべきである。
【０１８８】
任意選択で、第１の参照信号の時間ドメイン位置は、第２の参照信号の時間ドメイン位置と同じである。第１の参照信号の時間ドメイン位置が第２の参照信号の時間ドメイン位置と同じであることはまた、第１の参照信号により占有されるシンボルのシンボルインデックスが第２の参照信号により占有されるシンボルのシンボルインデックスと同じであることである。
【０１８９】
さらに任意選択で、第１の参照信号の周波数ドメイン位置は、第２の参照信号の周波数ドメイン位置と同じである。
【０１９０】
さらに任意選択で、ユーザ装置は、参照信号を搬送するために送信単位を使用してもよく、或いはユーザ装置は、参照信号を搬送するためにサブフレームを使用してもよい。
【０１９１】
方式１：送信単位
第１の参照信号は、第１の送信単位内で搬送され、第１の参照信号の位置は、第１の送信単位内の第１の参照信号の位置であり、第２の参照信号は、第２の送信単位内で搬送され、第２の参照信号の位置は、第２の送信単位内の第２の参照信号の位置であり、第１の参照信号の時間ドメイン位置が第２の参照信号の時間ドメイン位置と同じであることは、具体的には、第１の送信単位内の第１の参照信号の時間ドメイン位置が第２の送信単位内の第２の参照信号の時間ドメイン位置と同じであることであり、第１の送信単位に対応する持続時間は、第２の送信単位に対応する持続時間と等しい。
【０１９２】
本発明の全ての実施例における送信単位は、送信時間単位とも呼ばれてもよい点に留意すべきである。送信時間単位はサブフレームでもよく、或いは送信時間間隔でもよく、或いは共有チャネルに対応する制御チャネルの送信と参照信号の送信と共有チャネルの送信とを含む、共有チャネルの送信を完了するために必要な持続時間でもよい。
【０１９３】
さらに任意選択で、第１の参照信号の周波数ドメイン位置が第２の参照信号の周波数ドメイン位置と同じであることは、第１の送信単位内の第１の参照信号の周波数ドメイン位置が第２の送信単位内の第２の参照信号の周波数ドメイン位置と同じであることである。
【０１９４】
さらに任意選択で、第１の送信単位内の第１の参照信号の時間周波数リソース位置は、第２の送信単位内の時間周波数リソース位置と同じである。
【０１９５】
さらに任意選択で、第１の参照信号は、第１の送信単位内の第３のシンボル上に位置し、第２の参照信号は、第２の送信単位内の第３のシンボル上に位置する。
【０１９６】
方式２：サブフレーム
第１の参照信号は、第１のサブフレーム内で搬送され、第１の参照信号の位置は、第１のサブフレーム内の第１の参照信号の位置であり、第２の参照信号は、第２のサブフレーム内で搬送され、第２の参照信号の位置は、第２のサブフレーム内の第２の参照信号の位置であり、第１の参照信号の時間ドメイン位置が第２の参照信号の時間ドメイン位置と同じであることは、第１のサブフレーム内の第１の参照信号の時間ドメイン位置が第２のサブフレーム内の第２の参照信号の時間ドメイン位置と同じであることであり、第１の参照信号の周波数ドメイン位置が第２の参照信号の周波数ドメイン位置と同じであることは、第１のサブフレーム内の第１の参照信号の周波数ドメイン位置が第２のサブフレーム内の第２の参照信号の周波数ドメイン位置と同じであることであり、第１のサブフレーム内で下りリンク送信に使用されるシンボル数は、第１のサブフレーム内で上りリンク送信に使用されるシンボル数より多く、第２のサブフレーム内で下りリンク送信に使用されるシンボル数は、第２のサブフレーム内で上りリンク送信に使用されるシンボル数未満である。
【０１９７】
ここで、第１のサブフレーム内の第１の参照信号の周波数ドメイン位置が第２のサブフレーム内の第２の参照信号の周波数ドメイン位置と同じであることは、第１のサブフレーム内で第１の参照信号により占有される周波数ドメインリソースのインデックスが第２のサブフレーム内で第２の参照信号により占有される周波数ドメインリソースのインデックスと同じであること、又は第１のサブフレーム内で第１の参照信号により占有されるリソースエレメント（英文フルネーム：Resource  element、略称：RE）のインデックスが第２のサブフレーム内で第２の参照信号により占有されるリソースエレメントのインデックスと同じであることでもよい。第１の参照信号により占有される周波数帯域及び第２の参照信号により占有される周波数帯域は、同じ周波数帯域でもよく、或いは異なる周波数帯域でもよい。
【０１９８】
さらに任意選択で、第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含む。
【０１９９】
さらに任意選択で、第１のサブフレームは、第１のサブフレームに含まれ且つ下りリンク送信に使用されるシンボルで始まり、第１のサブフレームに含まれ且つ上りリンク送信に使用されるシンボルで終わる。
【０２００】
さらに任意選択で、第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、上りリンク制御送信と、上りリンクデータ送信と、第２の参照信号の送信とを含む。
【０２０１】
さらに任意選択で、第２のサブフレームは、第２のサブフレームに含まれ且つ下りリンク送信に使用されるシンボルで始まり、第２のサブフレームに含まれ且つ上りリンク送信に使用されるシンボルで終わる。
【０２０２】
さらに任意選択で、第１のサブフレーム内の第１の参照信号の時間ドメイン位置が第２のサブフレーム内の第２の参照信号の時間ドメイン位置と同じであることは、具体的には、第１のサブフレーム内の第１の参照信号により占有されるシンボルのインデックスが第２のサブフレーム内の第２の参照信号により占有されるシンボルのインデックスと同じであることである。
【０２０３】
さらに任意選択で、第１の参照信号は、第１のサブフレーム内の第３のシンボル上に位置し、第２の参照信号は、第２のサブフレーム内の第３のシンボル上に位置する。
【０２０４】
サブフレームが14個のシンボルを含む例では、第１のサブフレーム内の第１の参照信号の位置及び第２のサブフレーム内の第２の参照信号の位置は、それぞれ図３及び図４に示され得る。図３は、第１のサブフレームの時間ドメイン構成の例１を提供する。図３では、第１のサブフレーム内の第１のシンボルは、下りリンク制御送信に使用されるシンボルであり、第１の参照信号は、第１のサブフレーム内の第３のシンボル上で搬送され、GPは、第１のサブフレーム内の第１３のシンボルを占有し、第１のサブフレーム内の第１４のシンボルは、上りリンク制御送信に使用される。図４は、第２のサブフレームの時間ドメイン構成の例１を提供する。図４では、第２のサブフレーム内の第１のシンボルは、下りリンク制御送信に使用されるシンボルであり、第２の参照信号は、第２のサブフレーム内の第３のシンボル上で搬送され、GPは、第２のサブフレーム内の第２のシンボルを占有し、任意選択で、第２のサブフレーム内の第１４のシンボルは、上りリンク制御送信に使用される。図面から認識できるように、図３及び図４では、第１のサブフレーム内の第１の参照信号の位置は、第２のサブフレーム内の第２の参照信号の位置と同じである。図３及び図４では、参照信号は、サブフレーム内の第３のシンボル上に前方に配置される。したがって、データ復調及び復号化が迅速に実行でき、一方で、第１の参照信号の位置が第２の参照信号の位置と同じであることが確保される。
【０２０５】
サブフレームが14個のシンボルを含む他の例では、第１のサブフレーム内の第１の参照信号の位置及び第２のサブフレーム内の第２の参照信号の位置は、それぞれ図５及び図６に示され得る。図５は、第１のサブフレームの時間ドメイン構成の例２を提供する。図５では、第１のサブフレーム内の第１のシンボルは、下りリンク制御送信に使用されるシンボルであり、第１の参照信号は、第１のサブフレーム内の第３のシンボル及び第４のシンボル上のいくつかのリソースエレメントRE上で搬送され、第３のシンボル及び第４のシンボル上の残りのREは、他の参照信号を送信するために使用されてもよく、或いは下りリンクデータを送信するために使用されてもよい。図５では、周波数ドメインにおいて隣接しており且つ第１の参照信号に使用される２つのREは、第１の参照信号の異なるアンテナポートにそれぞれ対応してもよく、GPは、第１のサブフレーム内の第１３のシンボルを占有し、第１のサブフレーム内の第１４のシンボルは、上りリンク制御送信に使用される。図６は、第２のサブフレームの時間ドメイン構成の例２を提供する。図６では、第２のサブフレーム内の第１のシンボルは、下りリンク制御送信に使用されるシンボルであり、第２の参照信号は、第２のサブフレーム内の第３のシンボル及び第４のシンボル上のいくつかのリソースエレメントRE上で搬送され、第３のシンボル及び第４のシンボル上の残りのREは、他の参照信号を送信するために使用されてもよく、或いは上りリンクデータを送信するために使用されてもよい。図６では、周波数ドメインにおいて隣接しており且つ第１の参照信号に使用される２つのREは、第１の参照信号の異なるアンテナポートにそれぞれ対応してもよく、GPは、第２のサブフレーム内の第２のシンボルを占有し、任意選択で、第２のサブフレーム内の第１４のシンボルは、上りリンク制御送信に使用される。図面から認識できるように、図５及び図６では、第１のサブフレーム内の第１の参照信号の位置は、第２のサブフレーム内の第２の参照信号の位置と同じである。
【０２０６】
さらに任意選択で、第１のサブフレームは、DL中心サブフレーム（DL  dominate  subframe又はDL  centric  subframe）でもよい。さらに任意選択で、第２のサブフレームは、UL中心サブフレーム（UL  dominate  subframe又はUL  centric  subframe）でもよく、上りリンクサブフレーム内の全てのシンボルは、上りリンク送信に使用される。
【０２０７】
本発明のこの実施例では、第１の参照信号は、第１の復調参照信号（DMRS）とも呼ばれてもよく、第２の参照信号は、第２の復調参照信号（DMRS）とも呼ばれてもよい。
【０２０８】
本発明の全ての実施例では、シンボルは、時間ドメインシンボルでもよく、例えば、直交周波数分割多重（英文フルネーム：Orthogonal  Frequency  Division  Multiplexing、略称：OFDM）シンボルでもよく、或いはシングルキャリア周波数分割多元接続（英文フルネーム：Single-carrier  Frequency  Division  Multiple  Access、略称：SC-FDMA）シンボルでもよい。
【０２０９】
203.ユーザ装置は、第１の参照信号の位置に基づいて、第１の参照信号を受信する。
【０２１０】
204.ユーザ装置は、第２の参照信号の位置に基づいて、第２の参照信号を送信する。
【０２１１】
この実施例では、ステップ203及びステップ204のシーケンスは限定されず、ステップ203とステップ204との間の相互依存関係も限定されない。
【０２１２】
この実施例では、下りリンクデータ復調に使用される第１の参照信号の位置は、上りリンクデータ復調に使用される第２の参照信号の位置（時間ドメイン位置及び／又は周波数ドメイン位置）と同じであるため、参照信号を使用することにより、上りリンク下りリンク干渉推定がより良く実行でき、したがって、上りリンク下りリンク干渉除去がより良く実行し、それにより、より良くダイナミックTDDを使用し、より良く実際のサービスにマッチし、システムのスペクトル効率を改善し、より良く低遅延サービスを提供できる。
【０２１３】
ダイナミックTDD機構では、サブフレーム又は送信単位の送信方向は動的に変化してもよく、すなわち、サブフレーム又は送信単位は、上りリンクデータ送信又は下りリンクデータ送信に動的に適用されてもよく、それにより、より良く現在のサービス要件にマッチする。例えば、現在のサービスにおいて下りリンクトラヒックが上りリンクトラヒックより大きい場合、ダイナミックTDDは、下りリンクデータ送信のためにほとんどのサブフレームを動的に変化させてもよい。したがって、下りリンクトラヒックは、より良くより迅速に送信でき、システムのスペクトル効率が改善され、下りリンクデータパケットの待ち時間が低減される。しかし、サブフレーム方向が動的に変化してもよいため、異なるセルは、同じサブフレーム又は同じ送信単位内で異なる方向を使用してもよい。その結果、深刻な上りリンク下りリンク干渉が引き起こされ、ダイナミックTDDがより良く適用できないか、或いはダイナミックTDDの適用シナリオが制限される。
【０２１４】
本発明のこの実施例では、第１の参照信号の位置は、第２の参照信号の位置と同じであり、第１の参照信号及び第２の参照信号のシーケンスは予め規定されたシーケンスでもよく、それにより、異なるセルは、参照信号を使用することにより、より良く干渉推定及び干渉除去を実行できる。したがって、上りリンク下りリンク干渉がかなり低減され、ダイナミックTDDの性能が改善される。
【０２１５】
他方、本発明のこの実施例では、自己完結型の制御及びパイロットの送信が、第１のサブフレーム及び第２のサブフレームの双方の中で可能になる。具体的には、現在のサブフレームのデータに対応する制御は、他のサブフレームに依存せずに、現在のサブフレーム内でフィードバック又は送信されてもよく、それにより、他のサブフレームは、常に将来のサービスにより占有されてもよく、すなわち、より良く前方互換をサポートできる。
【０２１６】
2.参照信号が第１の参照信号及び第２の参照信号を含み、第１のデバイスが基地局であるとき、図７を参照して、本発明のこの実施例において情報を送信及び受信するための方法の他の実施例は以下のステップを含む。
【０２１７】
301.基地局は、第１の参照信号の位置を決定し、第１の参照信号は、下りリンクデータ復調に使用される。
【０２１８】
302.基地局は、第２の参照信号の位置を決定し、第２の参照信号は、上りリンクデータ復調に使用される。
【０２１９】
この実施例では、ステップ301及びステップ302のシーケンスは限定されず、ステップ301とステップ302との間の相互依存関係も限定されない。
【０２２０】
この実施例におけるステップ301及びステップ302は、前述の実施例におけるステップ201及びステップ202と同様であり、この実施例において再び説明しない点に留意すべきである。
【０２２１】
303.基地局は、第１の参照信号の位置に基づいて、第１の参照信号を送信する。
【０２２２】
304.基地局は、第２の参照信号の位置に基づいて、第２の参照信号を受信する。
【０２２３】
この実施例では、ステップ303及びステップ304のシーケンスは限定されず、ステップ303とステップ304との間の相互依存関係も限定されない。
【０２２４】
前述の実施例では、本発明の技術的解決策は、主に送信単位及びサブフレームの観点から記載されている。以下に、制御チャネルの構成の観点から、本発明の技術的解決策を説明する。
【０２２５】
図８を参照して、本発明の実施例において情報を受信するための方法の実施例は以下のステップを含む。
【０２２６】
401.ユーザ装置は、制御チャネルの時間周波数リソースを決定する。
【０２２７】
402.ユーザ装置は、制御チャネルの時間周波数リソースに基づいて、下りリンク制御情報を受信する。
【０２２８】
以下に、いくつかの具体的な実現方式を使用することにより、ステップ401及びステップ402を対応して説明する。本発明により提供されるいくつかの実現方式は、本発明の技術的解決策を限定するのではなく、より良く技術的解決策を説明することを意図するものである点に留意すべきである。本発明では、他の実現方式も、対応する説明に使用されてもよく、したがって、ここでは限定されない。本発明のこの実施例の実現方式は以下の通りでもよい。
【０２２９】
任意選択で、ユーザ装置が、制御チャネルの時間周波数リソースを決定することは、
ユーザ装置が、サブフレームn内の制御チャネルの時間周波数リソースを決定し、
サブフレームnがサブフレームセット1に属する場合、ユーザ装置が、予め設定されたルールに従って、サブフレームn内の制御チャネルの時間周波数リソースを決定するか、或いは
サブフレームnがサブフレームセット2に属する場合、ユーザ装置が、下りリンク制御シグナリングに従って、サブフレームn内の制御チャネルの時間周波数リソースを決定し、
サブフレームセット1は、同期信号及び／又はシステム情報を搬送するサブフレームを含み、サブフレームセット2は、同期信号及び／又はシステム情報を搬送するサブフレームを含まず、
nは0以上の整数であることを含む。
【０２３０】
ここで、サブフレームセット1は、同期信号及び／又はシステム情報を搬送するサブフレームを含み、サブフレームセット2は、同期信号及び／又はシステム情報を搬送するサブフレームを含まない。具体的には、例えば、サブフレームセット1は、同期信号及び／又はシステム情報を搬送するサブフレームでもよく、サブフレームセット2は、無線フレーム内で同期信号及び／又はシステム情報を搬送するサブフレーム以外の、下りリンク制御チャネルを搬送してもよいサブフレームでもよい。ここで、システム情報は、マスター情報ブロック（Master  information  Block)）でもよい。
【０２３１】
さらに任意選択で、ユーザ装置が、下りリンク制御シグナリングに従って、サブフレームn内の制御チャネルの時間周波数リソースを決定することは、ユーザ装置が、サブフレームn-k内で搬送された下りリンク制御シグナリングに従って、サブフレームn内の制御チャネルの時間周波数リソースを決定し、kは0以上の整数であることを含む。例えば、kの値が1に等しい場合、ユーザ装置は、サブフレームn-1内で搬送された下りリンク制御シグナリングに従って、サブフレームn内の制御チャネルの時間周波数リソースを決定する。サブフレームn-kは、サブフレームnから数えて第kのサブフレームを表してもよく、サブフレームn-k及びサブフレームnは、同じ無線フレーム内にあってもよく、或いは同じ無線フレーム内になくてもよい点に留意すべきである。これらが同じ無線フレーム内にない場合、サブフレームn-k及びサブフレームnは２つの隣接する無線フレーム内にある。ここで、下りリンク制御シグナリングは、下りリンク制御情報、又は下りリンク制御情報フォーマットで搬送される情報でもよい。
【０２３２】
さらに任意選択で、ユーザ装置が、予め設定されたルールに従って、サブフレームn内の制御チャネルの時間周波数リソースを決定することは、サブフレームn内の制御チャネルの時間周波数リソースが２つのシンボルを占有することでもよく、或いはサブフレームn内の制御チャネルの時間周波数リソースがN1個のシンボルを占有し、N1が1以上且つ4未満の正の整数であることでもよく、或いはサブフレームn内の制御チャネルの時間周波数リソースにより占有されるシンボル数がシステム情報により示され、すなわち、MIBにより示されてもよい。
【０２３３】
明らかに、サブフレームセット1内の制御チャネルリソースは予め設定されたルールに従って決定されるため、サブフレームセット1内の制御チャネルリソースは、予め規定されるか、或いは固定され、ユーザ装置は、下りリンク制御チャネルを検出し、セル内でアクセスを完了できる。さらに、本発明のこの実施例では、サブフレームセット2内の制御チャネルの時間周波数リソースは下りリンク制御シグナリングを使用することにより決定されるため、サブフレームセット2内の制御チャネルリソースは動的に変更できる。したがって、制御チャネルリソースは、実際の要件に従って設定でき、固定の下りリンクリソースが最小化され、上りリンク及び下りリンク方向の動的な変化がより多くのリソースに適用でき、ダイナミックTDDがより良く使用できる。他方、サブフレームセット2内の制御チャネルリソースは下りリンク制御シグナリングを使用することにより示されるため、前方互換がより良くサポートできる。例えば、サブフレームセット2内のいくつかのサブフレームが将来の機能に動的に使用されるとき、下りリンク制御シグナリングは、下りリンク制御チャネルリソースがサブフレーム内に存在しないことをレガシーのユーザ装置に示すために使用されてもよく、それにより、新たな機能がサポートでき、一方で、レガシーのユーザ装置も共存できる。
【０２３４】
さらに任意選択で、制御チャネルは、制御チャネルセット1を含み、ユーザ装置が、制御チャネルの時間周波数リソースを決定することは、
ユーザ装置が、制御チャネルセット1の時間周波数リソースを決定し、
制御チャネルセット1内の制御チャネルは、分散型送信モードを使用することを含んでもよい。
【０２３５】
ここで、制御チャネルが分散型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソースに渡って分散されることを意味してもよい。例えば、具体的には、下りリンク制御情報DCIフォーマットを搬送する制御チャネルに対応するリソースエレメントグループ（resource  element  group）は、制御チャネルの時間周波数リソースに渡って分散される。制御チャネルが分散型モードで送信されるため、より多くのダイバーシチ利得が取得でき、制御チャネルの性能が改善される。
【０２３６】
代替として、さらに任意選択で、制御チャネルは、制御チャネルセット1及び制御チャネルセット2を含み、ユーザ装置が、制御チャネルの時間周波数リソースを決定することは、
ユーザ装置が、制御チャネルセット1の時間周波数リソースを決定し、
ユーザ装置が、制御チャネルセット2の時間周波数リソースを決定し、
制御チャネルセット1内の制御チャネルは、分散型送信モードを使用し、制御チャネルセット2内の制御チャネルは、ローカライズ型送信モードを使用することを含む。
【０２３７】
ここで、制御チャネルがローカライズ型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソース上で局在化されることを意味してもよい。例えば、具体的には、下りリンク制御情報DCIフォーマットを搬送する制御チャネルに対応するリソースエレメントグループ（resource  element  group）が制御チャネルの時間周波数リソースの一部の上で局在化される。制御チャネルがローカライズ型モードで送信されるため、ビームフォーミング送信モードが使用でき、制御チャネルは対応するビーム方向に集中し、制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく制御チャネルの性能が改善される。
【０２３８】
さらに任意選択で、ユーザ装置が、制御チャネルセット1の時間周波数リソースを決定することは、
ユーザ装置が、サブフレームn内の下りリンク制御情報を検出し、
ユーザ装置が、サブフレームn内で検出された下りリンク制御情報に従って、サブフレームn+k内の制御チャネルセット1の時間周波数リソースを決定し、nは整数であり、kは1以上の正の整数であることを含んでもよい。
【０２３９】
さらに任意選択で、ユーザ装置は、サブフレームn+k内の制御チャネルセット1の時間周波数リソースに基づいて、サブフレームn+k内の制御チャネルセット2の時間周波数リソースを決定し、具体的には、ユーザ装置は、制御チャネルの時間周波数リソースの全体から制御チャネルセット1の時間周波数リソースを減算することにより、制御チャネルセット2の時間周波数リソースを取得してもよく、或いは
さらに、ユーザ装置は、サブフレームn内で検出された下りリンク制御情報に従って、サブフレームn+k内の制御チャネルセット2の時間周波数リソースを決定し、nは整数であり、kは1以上の正の整数である。
【０２４０】
さらに、制御チャネルセット2を搬送するサブフレームは、同期信号及び／又はシステム情報を搬送するサブフレームではない。
【０２４１】
さらに任意選択で、サブフレームセット1内の制御チャネルは、制御チャネルセット1のみを含み、サブフレームセット2内の制御チャネルは、制御チャネルセット1及び制御チャネルセット2を含んでもよく、サブフレームセット2内の制御チャネルが制御チャネルセット2を含むか否か、及び制御チャネルセット2の時間周波数リソースは動的に示されてもよい。
【０２４２】
さらに、本発明のこの実施例では、制御チャネルセット2は、動的なシグナリングを使用することにより、サブフレームセット2に取り入れられる。制御チャネルセット2内の制御チャネルは、ローカライズ型モードで送信されるため、制御チャネルはビームフォーミングモードで送信でき、制御チャネルは対応するビーム方向に集中し、制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく制御チャネルの性能が改善される。
【０２４３】
本発明のこの実施例の他の実現方式は以下の通りでもよい。
【０２４４】
任意選択で、ユーザ装置が、制御チャネルの時間周波数リソースを決定することは、
ユーザ装置が、制御チャネルの基本セットの時間周波数リソースを決定し、
ユーザ装置が、基本セットの時間周波数リソースに基づいて、下りリンク制御情報を検出し、
ユーザ装置が、検出された下りリンク制御情報に従って、制御チャネルの拡張セットの時間周波数リソースを決定することを含む。
【０２４５】
さらに任意選択で、ユーザ装置が、制御チャネルの基本セットの時間周波数リソースを決定することは、
ユーザ装置が、システム情報を受信し、
ユーザ装置が、システム情報に従って、制御チャネルの基本セットの時間周波数リソースを決定することを含む。
【０２４６】
さらに任意選択で、ユーザ装置が、システム情報に従って、制御チャネルの基本セットの時間周波数リソースを決定することは、
ユーザ装置が、システム情報に従って、制御チャネルの基本セットの時間周波数リソースにより占有されるシンボル数を決定すること、又は
ユーザ装置が、システム情報に従って、制御チャネルの基本セットの時間周波数リソースにより占有される物理リソースブロックペア数を決定すること、又は
ユーザ装置が、システム情報に従って、制御チャネルの基本セットの時間周波数リソースにより占有される物理リソースブロック数を決定すること、又は
ユーザ装置が、システム情報に従って、制御チャネルの基本セットの時間周波数リソースにより占有されるリソースブロック数を決定すること、又は
ユーザ装置が、システム情報に従って、制御チャネルの基本セットの時間周波数リソースにより占有されるサブキャリア数を決定すること、又は
ユーザ装置が、システム情報に従って、制御チャネルの基本セットの時間周波数リソースに対応する制御チャネル要素CCE数を決定することを含む。
【０２４７】
代替として、さらに任意選択で、ユーザ装置が、制御チャネルの基本セットの時間周波数リソースを決定することは、
ユーザ装置が、予め設定されたルールに従って、制御チャネルの基本セットの時間周波数リソースを決定することを含む。
【０２４８】
予め設定されたルールは、制御チャネルの基本セットの時間周波数リソースが１つのシンボルを占有することである。
【０２４９】
代替として、さらに任意選択で、ユーザ装置が、制御チャネルの基本セットの時間周波数リソースを決定することは、
ユーザ装置が、システム情報を受信し、
ユーザ装置が、システム情報に従って、制御チャネルの基本セットの時間周波数リソースにより占有される物理リソースブロックペア数を決定するか、或いはユーザ装置が、システム情報に従って、制御チャネルの基本セットの時間周波数リソースにより占有される物理リソースブロック数を決定するか、或いはユーザ装置が、システム情報に従って、制御チャネルの基本セットの時間周波数リソースにより占有されるリソースブロック数を決定するか、或いはユーザ装置が、システム情報に従って、制御チャネルの基本セットの時間周波数リソースにより占有されるサブキャリア数を決定するか、或いはユーザ装置が、システム情報に従って、制御チャネルの基本セットの時間周波数リソースに対応する制御チャネル要素数を決定し、
ユーザ装置が、予め規定されたルールに従って、制御チャネルの時間周波数リソースにより占有されるシンボル数を決定し、予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることを含む。
【０２５０】
さらに任意選択で、ユーザ装置が、基本セットの時間周波数リソースに基づいて、下りリンク制御情報を検出すること、及びユーザ装置が、検出された下りリンク制御情報に従って、制御チャネルの拡張セットの時間周波数リソースを決定することは、
ユーザ装置が、サブフレームn内の基本セットの時間周波数リソースに基づいて、下りリンク制御情報を検出し、
ユーザ装置が、サブフレームn内で検出された下りリンク制御情報に従って、サブフレームn+k内の制御チャネルの拡張セットの時間周波数リソースを決定し、nは整数であり、kは0以上の正の整数であることを含む。任意選択で、kの値は1に等しい。
【０２５１】
さらに、方法は、
ユーザ装置が、検出された下りリンク制御情報に従って、制御チャネルの拡張セットが存在するか否かを決定すること、又は
ユーザ装置が、検出された下りリンク制御情報に従って、制御チャネルの拡張セットに対応する送信モードを決定することを更に含む。例えば、拡張セットに対応する送信モードは、ローカライズ型送信モード又は分散型送信モードとして動的に示される。
【０２５２】
さらに任意選択で、基本セットは、下りリンク送信に使用されるシンボルを含む全てのサブフレーム内に存在する。
【０２５３】
さらに任意選択で、拡張セットは、同期信号及び／又はシステム情報を搬送するサブフレーム内に存在しない。
【０２５４】
明らかに、制御チャネルの基本セットの時間周波数リソースは、予め設定されたルールに従って決定され、下りリンク制御情報は、基本セットの時間周波数リソースに基づいて検出され、制御チャネルの拡張セットの時間周波数リソースは、検出された下りリンク制御情報に従って決定される。したがって、固定の下りリンクリソースが最小化されて基本セットの時間周波数リソースとして使用され、ダイナミックTDDがより良く使用できる。他方、拡張セット内のリソースが動的に示されるため、前方互換がより良くサポートできる。例えば、サブフレームセット2内のいくつかのサブフレームが将来の機能に動的に使用されるとき、拡張セット内の下りリンク制御チャネルリソースがサブフレーム内に存在しないことが、レガシーのユーザ装置に動的に示されてもよく、それにより、新たな機能がサポートでき、一方で、レガシーのユーザ装置も共存できる。
【０２５５】
さらに、本発明のこの実施例では、拡張セットの送信モードが動的なシグナリングを使用することにより示されるため、より良く制御チャネルの送信モードにマッチできる。例えば、拡張制御チャネルが共通制御シグナリングに主に使用されるとき、拡張セットの送信モードは、分散型モードとして示されてもよく、或いは拡張セットのシグナリングがユーザ装置専用のシグナリングに主に使用されるとき、ローカライズ型送信モードが示されてもよく、それにより、より良く制御チャネルの送信モードにマッチする。
【０２５６】
本発明の他の実現方式は以下の通りでもよい。
【０２５７】
ユーザ装置が、制御チャネルの時間周波数リソースを決定することは、ユーザ装置が、第１の制御チャネルの時間周波数リソースを決定し、ユーザ装置が、第２の制御チャネルの時間周波数リソースを決定することでもよい。
【０２５８】
任意選択で、ユーザ装置が、第１の制御チャネルの時間周波数リソースを決定することは、
ユーザ装置が、サブフレームn内の第１の制御チャネルの時間周波数リソースを決定し、
サブフレームnがサブフレームセット1に属する場合、ユーザ装置が、予め設定されたルールに従って、サブフレームn内の第１の制御チャネルの時間周波数リソースを決定するか、或いは
サブフレームnがサブフレームセット2に属する場合、ユーザ装置が、下りリンク制御シグナリングに従って、サブフレームn内の第１の制御チャネルの時間周波数リソースを決定し、
サブフレームセット1は、同期信号及び／又はシステム情報を搬送するサブフレームを含み、サブフレームセット2は、同期信号及び／又はシステム情報を搬送するサブフレームを含まず、
nは0以上の整数であることでもよい。
【０２５９】
さらに任意選択で、ユーザ装置が、下りリンク制御シグナリングに従って、サブフレームn内の第１の制御チャネルの時間周波数リソースを決定することは、
ユーザ装置が、サブフレームn-k内で搬送された下りリンク制御シグナリングに従って、サブフレームn内の第１の制御チャネルの時間周波数リソースを決定し、kは0以上の整数であることを含む。
【０２６０】
代替として、さらに任意選択で、ユーザ装置が、下りリンク制御シグナリングに従って、サブフレームn内の第１の制御チャネルの時間周波数リソースを決定することは、
ユーザ装置が、サブフレームn-1内で搬送された下りリンク制御シグナリングに従って、サブフレームn内の第１の制御チャネルの時間周波数リソースを決定することを含む。
【０２６１】
代替として、さらに任意選択で、ユーザ装置が、予め設定されたルールに従って、サブフレームn内の第１の制御チャネルの時間周波数リソースを決定することは、
サブフレームn内の第１の制御チャネルの時間周波数リソースが時間ドメインにおいて２つのシンボルを占有することを含む。
【０２６２】
任意選択で、第１の制御チャネルは、第１の制御チャネルセット1を含み、ユーザ装置が、第１の制御チャネルの時間周波数リソースを決定することは、
ユーザ装置が、第１の制御チャネルセット1の時間周波数リソースを決定し、
第１の制御チャネルセット1内の第１の制御チャネルは、分散型送信モードを使用することを含む。
【０２６３】
ここで、第１の制御チャネルが分散型送信モードを使用することは、第１の制御チャネルの時間周波数リソース上で送信され且つ下りリンク制御情報DCIフォーマットを搬送する第１の制御チャネルにより占有される時間周波数リソースが、制御チャネルの時間周波数リソースに渡って分散されることを意味してもよい。例えば、具体的には、下りリンク制御情報DCIフォーマットを搬送する制御チャネルに対応するリソースエレメントグループ（resource  element  group）は、制御チャネルの時間周波数リソースに渡って分散される。制御チャネルが分散型モードで送信されるため、より多くのダイバーシチ利得が取得でき、制御チャネルの性能が改善される。
【０２６４】
代替として、任意選択で、第１の制御チャネルは、第１の制御チャネルセット1及び第１の制御チャネルセット2を含み、ユーザ装置が、第１の制御チャネルの時間周波数リソースを決定することは、
ユーザ装置が、第１の制御チャネルセット1の時間周波数リソースを決定し、
ユーザ装置が、第１の制御チャネルセット2の時間周波数リソースを決定し、
第１の制御チャネルセット1内の第１の制御チャネルは、分散型送信モードを使用し、第１の制御チャネルセット2内の第１の制御チャネルは、ローカライズ型送信モードを使用することを含む。
【０２６５】
ここで、第１の制御チャネルがローカライズ型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソース上で局在化されることを意味してもよい。例えば、具体的には、下りリンク制御情報DCIフォーマットを搬送する制御チャネルに対応するリソースエレメントグループ（resource  element  group）が制御チャネルの時間周波数リソースの一部の上で局在化される。制御チャネルがローカライズ型モードで送信されるため、ビームフォーミング送信モードが使用でき、第１の制御チャネルは対応するビーム方向に集中し、第１の制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく第１の制御チャネルの性能が改善される。
【０２６６】
さらに任意選択で、ユーザ装置が、第１の制御チャネルセット1の時間周波数リソースを決定することは、
ユーザ装置が、サブフレームn内の下りリンク制御情報を検出し、
ユーザ装置が、サブフレームn内で検出された下りリンク制御情報に従って、サブフレームn+k内の第１の制御チャネルセット1の時間周波数リソースを決定し、nは整数であり、kは1以上の正の整数であることを含む。
【０２６７】
さらに任意選択で、方法は、
ユーザ装置が、サブフレームn+k内の第１の制御チャネルセット1の時間周波数リソースに基づいて、サブフレームn+k内の第１の制御チャネルセット2の時間周波数リソースを決定することを更に含む。
【０２６８】
さらに任意選択で、第１の制御チャネルを搬送するサブフレームは、同期信号及び／又はシステム情報を搬送しない。
【０２６９】
この実現方式はまた、以下の２レベルの制御チャネル方式における２レベルの制御チャネル内の第１の制御チャネルにも適用可能である点に留意すべきである。
【０２７０】
本発明のこの実施例の他の実現方式は以下の通りでもよい。
【０２７１】
ユーザ装置が、制御チャネルの時間周波数リソースを決定することは、ユーザ装置が、第１の制御チャネルの時間周波数リソースを決定し、ユーザ装置が、第２の制御チャネルの時間周波数リソースを決定することでもよい。
【０２７２】
任意選択で、ユーザ装置が、第１の制御チャネルの時間周波数リソースを決定することは、
ユーザ装置が、第１の制御チャネルの基本セットの時間周波数リソースを決定し、
ユーザ装置が、基本セットの時間周波数リソースに基づいて、下りリンク制御情報を検出し、
ユーザ装置が、検出された下りリンク制御情報に従って、第１の制御チャネルの拡張セットの時間周波数リソースを決定することでもよい。
【０２７３】
さらに任意選択で、ユーザ装置が、第１の制御チャネルの基本セットの時間周波数リソースを決定することは、
ユーザ装置が、システム情報を受信し、
ユーザ装置が、システム情報に従って、第１の制御チャネルの基本セットの時間周波数リソースを決定することを含む。
【０２７４】
代替として、さらに任意選択で、ユーザ装置が、システム情報に従って、第１の制御チャネルの基本セットの時間周波数リソースを決定することは、
ユーザ装置が、システム情報に従って、第１の制御チャネルの基本セットの時間周波数リソースにより占有されるシンボル数を決定すること、又は
ユーザ装置が、システム情報に従って、第１の制御チャネルの基本セットの時間周波数リソースにより占有される物理リソースブロックペア数を決定すること、又は
ユーザ装置が、システム情報に従って、第１の制御チャネルの基本セットの時間周波数リソースにより占有される物理リソースブロック数を決定すること、又は
ユーザ装置が、システム情報に従って、第１の制御チャネルの基本セットの時間周波数リソースにより占有されるリソースブロック数を決定すること、又は
ユーザ装置が、システム情報に従って、第１の制御チャネルの基本セットの時間周波数リソースにより占有されるサブキャリア数を決定すること、又は
ユーザ装置が、システム情報に従って、第１の制御チャネルの基本セットの時間周波数リソースに対応する制御チャネル要素CCE数を決定することを含む。
【０２７５】
代替として、さらに任意選択で、ユーザ装置が、第１の制御チャネルの基本セットの時間周波数リソースを決定することは、
ユーザ装置が、予め設定されたルールに従って、第１の制御チャネルの基本セットの時間周波数リソースを決定することを含む。
【０２７６】
さらに任意選択で、予め設定されたルールは、第１の制御チャネルの基本セットの時間周波数リソースが１つのシンボルを占有することでもよい。
【０２７７】
任意選択で、ユーザ装置が、第１の制御チャネルの基本セットの時間周波数リソースを決定することは、
ユーザ装置が、システム情報を受信し、
ユーザ装置が、システム情報に従って、第１の制御チャネルの基本セットの時間周波数リソースにより占有される物理リソースブロックペア数、又は第１の制御チャネルの基本セットの時間周波数リソースにより占有される物理リソースブロック数、又は第１の制御チャネルの基本セットの時間周波数リソースにより占有されるリソースブロック数、又は第１の制御チャネルの基本セットの時間周波数リソースにより占有されるサブキャリア数、又は第１の制御チャネルの基本セットの時間周波数リソースに対応する制御チャネル要素数を決定し、
ユーザ装置が、予め規定されたルールに従って、第１の制御チャネルの時間周波数リソースにより占有されるシンボル数を決定することを含む。予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよい。
【０２７８】
任意選択で、ユーザ装置が、基本セットの時間周波数リソースに基づいて、下りリンク制御情報を検出こと、及びユーザ装置が、検出された下りリンク制御情報に従って、第１の制御チャネルの拡張セットの時間周波数リソースを決定することは、
ユーザ装置が、サブフレームn内の基本セットの時間周波数リソースに基づいて、下りリンク制御情報を検出し、
ユーザ装置が、サブフレームn内で検出された下りリンク制御情報に従って、サブフレームn+k内の第１の制御チャネルの拡張セットの時間周波数リソースを決定し、nは整数であり、kは0以上の正の整数であることを含む。任意選択で、kの値は1に等しい。
【０２７９】
任意選択で、方法は、
ユーザ装置が、検出された下りリンク制御情報に従って、第１の制御チャネルの拡張セットが存在するか否かを決定すること、又は
ユーザ装置が、検出された下りリンク制御情報に従って、第１の制御チャネルの拡張セットに対応する送信モードを決定することを更に含む。
【０２８０】
任意選択で、基本セットは、下りリンク送信に使用されるシンボルを含む全てのサブフレーム内に存在する。
【０２８１】
任意選択で、拡張セットは、同期信号及び／又はシステム情報を搬送するサブフレーム内に存在しない。
【０２８２】
この実現方式はまた、以下の２レベルの制御チャネル方式における２レベルの制御チャネル内の第１の制御チャネルにも適用可能である点に留意すべきである。
【０２８３】
本発明のこの実施例の他の実現方式は、２レベルの制御チャネル方式でもよい。
【０２８４】
ユーザ装置が、制御チャネルの時間周波数リソースを決定すること、及びユーザ装置が、制御チャネルの時間周波数リソースに基づいて、下りリンク制御情報を受信することは、
ユーザ装置が、第１の制御チャネルの時間周波数リソースを決定し、
ユーザ装置が、第２の制御チャネルの時間周波数リソースを決定し、
ユーザ装置が、第１の制御チャネルの時間周波数リソースに基づいて、第１の下りリンク制御情報を検出し、
ユーザ装置が、第２の制御チャネルの時間周波数リソースに基づいて、第２の下りリンク制御情報を検出することを具体的に含んでもよい。
【０２８５】
さらに任意選択で、第１の制御チャネルの時間周波数リソースにより占有されるシンボルは、第２の制御チャネルの時間周波数リソースにより占有されるシンボルの前に位置する。
【０２８６】
さらに任意選択で、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用されるか、或いは
第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【０２８７】
ここで、第１の制御チャネル、第２の制御チャネル、及び第２の制御チャネル及び／又はデータを復調するために使用される参照信号は、前方に配置され、それにより、検出が迅速に実行でき、待ち時間が低減できる。さらに、第２の制御チャネル及び／又はデータを復調するために使用される参照信号は、第１の制御チャネルの後且つ第２の制御チャネルの前に配置され、それにより、第２の制御チャネル及びデータが迅速に検出できる。第２の制御チャネル及びデータは多重され、それにより、多重効率が改善でき、スペクトル効率が改善される。
【０２８８】
任意選択で、ユーザ装置が、第１の制御チャネルの時間周波数リソースを決定すること、及びユーザ装置が、第２の制御チャネルの時間周波数リソースを決定することは、
ユーザ装置が、第１のサブフレーム内の第１の制御チャネルの時間周波数リソースを決定し、
ユーザ装置が、第１のサブフレーム内の第２の制御チャネルの時間周波数リソースを決定し、
第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、
第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含むことを含む。
【０２８９】
さらに任意選択で、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数であるか、或いは
第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【０２９０】
第１の制御チャネル、第２の制御チャネル、及び第２の制御チャネル及び／又はデータを復調するために使用される参照信号は、第１のサブフレーム内で前方に配置され、それにより、検出が迅速に実行でき、待ち時間が低減できる。さらに、第２の制御チャネル及び／又はデータを復調するために使用される参照信号は、第１のサブフレーム内で第１の制御チャネルの後且つ第２の制御チャネルの前に配置され、それにより、第２の制御チャネル及びデータが迅速に検出できる。第２の制御チャネル及びデータは多重され、それにより、多重効率が改善でき、スペクトル効率が改善される。第１のサブフレームの設計は、自己完結型の制御及びパイロットの送信を可能にする。具体的には、現在のサブフレームのデータに対応する制御は、他のサブフレームに依存せずに、現在のサブフレーム内でフィードバック又は送信されてもよく、それにより、他のサブフレームは、常に将来のサービスにより占有されてもよく、すなわち、より良く前方互換をサポートできる。
【０２９１】
任意選択で、ユーザ装置が、第１の制御チャネルの時間周波数リソースを決定すること、及びユーザ装置が、第２の制御チャネルの時間周波数リソースを決定することは、
ユーザ装置が、第２のサブフレーム内の第１の制御チャネルの時間周波数リソースを決定し、
ユーザ装置が、第２の制御チャネルの時間周波数リソースが第２のサブフレーム内に存在しないと決定し、
第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含むことを含む。
【０２９２】
さらに、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【０２９３】
ここで、第２のサブフレームは、上りリンクデータ送信に主に使用され、第１の制御チャネルを含み、自己完結型の上りリンクデータのスケジューリングが可能になる。具体的には、サブフレームの上りリンクデータ送信は、第１の下りリンク制御チャネルを使用することによりスケジューリングされ、それにより、自己完結型の制御及びパイロットの送信が可能になる。具体的には、現在のサブフレームのデータに対応する制御は、他のサブフレームに依存せずに、現在のサブフレーム内でフィードバック又は送信されてもよく、それにより、他のサブフレームは、常に将来のサービスにより占有されてもよく、すなわち、より良く前方互換をサポートできる。
【０２９４】
さらに任意選択で、ユーザ装置が、第２の制御チャネルの時間周波数リソースを決定することは、
ユーザ装置が、第１の下りリンク制御情報に従って、第２の制御チャネルの時間周波数リソースを決定することを含む。
【０２９５】
さらに任意選択で、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+1内で搬送され、nは正の整数である。例えば、kは1に等しい。
【０２９６】
第２の制御チャネルの時間周波数リソースは、第１の下りリンク制御情報を使用することにより示されるため、制御チャネルリソースは動的に変更できる。したがって、制御チャネルリソースは、実際の要件に従って設定でき、固定の下りリンクリソースが最小化され、上りリンク及び下りリンク方向の動的な変化がより多くのリソースに適用でき、ダイナミックTDDがより良く使用できる。他方、サブフレームn+k内の第２の制御チャネルリソースがサブフレームn内の第１の下りリンク制御情報を使用することにより示されるとき、第２の制御チャネルリソースが動的に示され、したがって、前方互換がより良くサポートできる。例えば、サブフレームn+kが将来の機能に使用されるとき、下りリンク制御シグナリングは、第２の下りリンク制御チャネルリソースがサブフレーム内に存在しないことをレガシーのユーザ装置に示すために使用されてもよく、それにより、新たな機能がサポートでき、一方で、レガシーのユーザ装置も共存できる。
【０２９７】
任意選択で、方法は、
ユーザ装置が、第１の下りリンク制御情報及び第２の下りリンク制御情報に従って、下りリンク共有チャネルを受信し、
第１の下りリンク制御情報は、第２の下りリンク制御チャネルの時間周波数リソースについての情報及び／又は下りリンク共有チャネルの時間周波数リソースについての情報を含み、
第２の下りリンク制御情報は、下りリンク共有チャネルの変調及び符号化情報を含むことを更に含む。
【０２９８】
第２の制御チャネルリソースは、第１の制御チャネルを使用することにより示され、第１の制御情報及び第２の制御情報は、一緒に下りリンク共有チャネルをスケジューリングする。したがって、低待ち時間サービスが短い送信時間単位又は短い送信時間間隔でスケジューリングでき、短い送信時間単位又は短い送信時間間隔での制御チャネルのオーバーヘッドが低減でき、一方で、低待ち時間サービスが迅速にスケジューリングされる。
【０２９９】
さらに任意選択で、第１の制御チャネルは、第１の制御チャネルの時間周波数リソース上で搬送された参照信号のみに従って復調される。自己完結型の第１の制御チャネルが可能になり、それにより、第１の制御チャネルの復調は、他のリソースに依存しない。これは、前方互換をサポートするのに役立つ。
【０３００】
前述の実現方式において実現される第１の制御チャネルの説明を参照して、サブフレームセット1内の第１の制御チャネルリソースは予め設定されたルールに従って決定されるため、サブフレームセット1内の制御チャネルリソースは、予め規定されるか、或いは固定され、ユーザ装置は、下りリンク制御チャネルを検出し、セル内でアクセスを完了できることが認識できる。さらに、本発明のこの実施例では、サブフレームセット2内の第１の制御チャネルの時間周波数リソースは下りリンク制御シグナリングを使用することにより決定されるため、サブフレームセット2内の第１の制御チャネルリソースは動的に変更できる。したがって、制御チャネルリソースは、実際の要件に従って設定でき、固定の下りリンクリソースが最小化され、上りリンク及び下りリンク方向の動的な変化がより多くのリソースに適用でき、ダイナミックTDDがより良く使用できる。他方、サブフレームセット2内の第１の制御チャネルリソースは下りリンク制御シグナリングを使用することにより示されるため、前方互換がより良くサポートできる。例えば、サブフレームセット2内のいくつかのサブフレームが将来の機能に動的に使用されるとき、下りリンク制御シグナリングは、第１の下りリンク制御チャネルリソースがサブフレーム内に存在しないことをレガシーのユーザ装置に示すために使用されてもよく、それにより、新たな機能がサポートでき、一方で、レガシーのユーザ装置も共存できる。
【０３０１】
第１の制御チャネルの基本セットの時間周波数リソースは、予め決定されたルールに従って決定され、下りリンク制御情報は、基本セットの時間周波数リソースに基づいて検出され、第１の制御チャネルの拡張セットの時間周波数リソースは、検出された下りリンク制御情報に従って決定される。したがって、固定の下りリンクリソースが最小化されて基本セットの時間周波数リソースとして使用され、ダイナミックTDDがより良く使用できる。他方、拡張セット内のリソースが動的に示されるため、前方互換がより良くサポートできる。例えば、サブフレームセット2内のいくつかのサブフレームが将来の機能に動的に使用されるとき、拡張セット内の下りリンク制御チャネルリソースがサブフレーム内に存在しないことが、レガシーのユーザ装置に動的に示されてもよく、それにより、新たな機能がサポートでき、一方で、レガシーのユーザ装置も共存できる。
【０３０２】
さらに、拡張セットの送信モードが動的なシグナリングを使用することにより示されるため、より良く制御チャネルの送信モードにマッチできる。例えば、拡張制御チャネルが共通制御シグナリングに主に使用されるとき、拡張セットの送信モードは、分散型モードとして示されてもよく、或いは拡張セットのシグナリングがユーザ装置専用のシグナリングに主に使用されるとき、ローカライズ型送信モードが示されてもよく、それにより、より良く制御チャネルの送信モードにマッチする。
【０３０３】
図９を参照して、本発明の実施例において情報を送信するための方法の実施例は以下のステップを含む。
【０３０４】
501.基地局は、制御チャネルの時間周波数リソースを決定する。
【０３０５】
502.基地局は、制御チャネルの時間周波数リソースに基づいて、下りリンク制御情報を送信する。
【０３０６】
以下に、いくつかの具体的な実現方式を使用することにより、ステップ501及びステップ502を対応して説明する。本発明により提供されるいくつかの実現方式は、本発明の技術的解決策を限定するのではなく、より良く技術的解決策を説明することを意図するものである点に留意すべきである。本発明では、他の実現方式も、対応する説明に使用されてもよく、したがって、ここでは限定されない。本発明のこの実施例の実現方式は以下の通りでもよい。
【０３０７】
任意選択で、基地局が、制御チャネルの時間周波数リソースを決定することは、
基地局が、下りリンク制御シグナリングを送信し、下りリンク制御シグナリングは、サブフレームn内の制御チャネルの時間周波数リソースを決定するために使用され、サブフレームnは、同期信号及び／又はシステム情報を搬送せず、nは0以上の整数であることを含む。
【０３０８】
さらに任意選択で、基地局が、下りリンク制御シグナリングを送信することは、
基地局が、サブフレームn-k内で下りリンク制御シグナリングを送信し、kは0以上の整数であることを含む。例えば、kは1に等しい。
【０３０９】
さらに任意選択で、基地局が、制御チャネルの時間周波数リソースを決定することは、
基地局が、予め規定されたルールに従って、サブフレームn内の制御チャネルの時間周波数リソースを決定し、予め規定されたルールは、制御チャネルの時間周波数リソースにより占有されるシンボル数が固定値であること、又は制御チャネルの時間周波数リソースにより占有されるシンボル数が予め設定された値、例えば、２つのシンボルであることでもよいことを含む。
【０３１０】
サブフレームnは、サブフレームセット1に属してもよく、サブフレームセット1は、同期信号及び／又はシステム情報を搬送するサブフレームを含む。
【０３１１】
さらに、基地局が、予め設定されたルールに従って、サブフレームn内の制御チャネルの時間周波数リソースを決定することは、サブフレームn内の制御チャネルの時間周波数リソースが２つのシンボルを占有することでもよく、或いはサブフレームn内の制御チャネルの時間周波数リソースがN1個のシンボルを占有し、N1が1以上且つ4未満の正の整数であることでもよい。
【０３１２】
さらに任意選択で、制御チャネルは、制御チャネルセット1を含み、基地局が、制御チャネルの時間周波数リソースを決定することは、
基地局が、制御チャネルセット1の時間周波数リソースを決定し、
基地局が、分散型送信モードを使用することにより、制御チャネルセット1の時間周波数リソースに基づいて、制御チャネルを送信することを更に含んでもよい。
【０３１３】
ここで、制御チャネルが分散型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソースに渡って分散されることを意味してもよい。例えば、具体的には、下りリンク制御情報DCIフォーマットを搬送する制御チャネルに対応するリソースエレメントグループ（resource  element  group）は、制御チャネルの時間周波数リソースに渡って分散される。制御チャネルが分散型モードで送信されるため、より多くのダイバーシチ利得が取得でき、制御チャネルの性能が改善される。
【０３１４】
代替として、さらに任意選択で、制御チャネルは、制御チャネルセット1及び制御チャネルセット2を含み、基地局が、制御チャネルの時間周波数リソースを決定することは、
基地局が、制御チャネルセット1の時間周波数リソースを決定し、
基地局が、制御チャネルセット2の時間周波数リソースを決定し、
制御チャネルセット1内の制御チャネルは、分散型送信モードを使用し、制御チャネルセット2内の制御チャネルは、ローカライズ型送信モードを使用することを含む。
【０３１５】
ここで、制御チャネルがローカライズ型送信モードを使用することは、制御チャネルの時間周波数リソース上で送信され且つ下りリンク制御情報DCIフォーマットを搬送する制御チャネルにより占有される時間周波数リソースが、制御チャネルの時間周波数リソース上で局在化されることを意味してもよい。例えば、具体的には、下りリンク制御情報DCIフォーマットを搬送する制御チャネルに対応するリソースエレメントグループ（resource  element  group）が制御チャネルの時間周波数リソースの一部の上で局在化される。制御チャネルがローカライズ型モードで送信されるため、ビームフォーミング送信モードが使用でき、制御チャネルは対応するビーム方向に集中し、制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく制御チャネルの性能が改善される。
【０３１６】
本発明のこの実施例の他の実現方式は以下の通りでもよい。
【０３１７】
このステップにおいて、基地局が、制御チャネルの時間周波数リソースを決定することは、
基地局が、制御チャネルの基本セットの時間周波数リソースを決定し、
基地局が、基本セットの時間周波数リソースに基づいて、下りリンク制御情報を送信し、下りリンク制御情報は、制御チャネルの拡張セットの時間周波数リソースについての情報を含むことを更に含んでもよい。
【０３１８】
さらに任意選択で、方法は、
基地局が、システム情報を送信し、システム情報は、制御チャネルの基本セットの時間周波数リソースについての情報を含むことを更に含む。
【０３１９】
さらに任意選択で、システム情報が制御チャネルの基本セットの時間周波数リソースについての情報を含むことは、
システム情報が制御チャネルの基本セットの時間周波数リソースにより占有されるシンボル数についての情報を含むこと、又は
システム情報が制御チャネルの基本セットの時間周波数リソースにより占有される物理リソースブロックペア数についての情報を含むこと、又は
システム情報が制御チャネルの基本セットの時間周波数リソースにより占有される物理リソースブロック数についての情報を含むこと、又は
システム情報が制御チャネルの基本セットの時間周波数リソースにより占有されるリソースブロック数についての情報を含むこと、又は
システム情報が制御チャネルの基本セットの時間周波数リソースにより占有されるサブキャリア数についての情報を含むこと、又は
システム情報が制御チャネルの基本セットの時間周波数リソースに対応する制御チャネル要素CCE数についての情報を含むことを含む。
【０３２０】
さらに任意選択で、基地局が、制御チャネルの基本セットの時間周波数リソースを決定することは、
基地局が、予め設定されたルールに従って、制御チャネルの基本セットの時間周波数リソースを決定することを含む。
【０３２１】
さらに任意選択で、予め設定されたルールは、制御チャネルの基本セットの時間周波数リソースが１つのシンボルを占有することでもよい。
【０３２２】
さらに任意選択で、基地局が、基本セットの時間周波数リソースに基づいて、下りリンク制御情報を送信し、下りリンク制御情報は、制御チャネルの拡張セットの時間周波数リソースについての情報を含むことは、
基地局が、サブフレームn内の基本セットの時間周波数リソースに基づいて、下りリンク制御情報を送信し、下りリンク制御情報は、サブフレームn+k内の制御チャネルの拡張セットの時間周波数リソースについての情報を含み、
nは整数であり、kは0以上の正の整数であることを含む。例えば、kの値は1に等しい。
【０３２３】
任意選択で、方法は、
下りリンク制御情報は、制御チャネルの拡張セットが存在するか否かを示す情報を含むこと、又は
下りリンク制御情報は、制御チャネルの拡張セットに対応する送信モードを示す情報を含むことを更に含む。
【０３２４】
任意選択で、基本セットは、下りリンク送信に使用されるシンボルを含む全てのサブフレーム内に存在する。
【０３２５】
任意選択で、拡張セットは、同期信号及び／又はシステム情報を搬送するサブフレーム内に存在しない。
【０３２６】
本発明のこの実施例の他の実現方式は以下の通りでもよい。
【０３２７】
このステップにおいて、基地局が、制御チャネルの時間周波数リソースを決定することは、
基地局が、下りリンク制御シグナリングを送信し、下りリンク制御シグナリングは、サブフレームn内の第１の制御チャネルの時間周波数リソースを決定するために使用され、サブフレームnは、同期信号及び／又はシステム情報を搬送せず、nは0以上の整数であることを更に含んでもよい。
【０３２８】
任意選択で、基地局が、下りリンク制御情報シグナリングを送信することは、
基地局が、サブフレームn-k内で下りリンク制御シグナリングを送信し、kは0以上の整数であることを含む。例えば、kは1に等しい。
【０３２９】
任意選択で、基地局が、第１の制御チャネルの時間周波数リソースを決定することは、
基地局が、予め規定されたルールに従って、サブフレームn内の第１の制御チャネルの時間周波数リソースを決定し、
サブフレームnは、同期信号及び／又はシステム情報を搬送することを含む。
【０３３０】
代替として、任意選択で、第１の制御チャネルは、第１の制御チャネルセット1を含み、基地局が、第１の制御チャネルの時間周波数リソースを決定することは、
基地局が、第１の制御チャネルセット1の時間周波数リソースを決定し、
基地局が、分散型送信モードを使用することにより、第１の制御チャネルセット1の時間周波数リソースに基づいて、第１の制御チャネルを送信することを含む。
【０３３１】
ここで、第１の制御チャネルが分散型送信モードを使用することは、第１の制御チャネルの時間周波数リソース上で送信され且つ下りリンク制御情報DCIフォーマットを搬送する第１の制御チャネルにより占有される時間周波数リソースが、制御チャネルの時間周波数リソースに渡って分散されることを意味してもよい。例えば、具体的には、下りリンク制御情報DCIフォーマットを搬送する制御チャネルに対応するリソースエレメントグループ（resource  element  group）は、制御チャネルの時間周波数リソースに渡って分散される。制御チャネルが分散型モードで送信されるため、より多くのダイバーシチ利得が取得でき、第１の制御チャネルの性能が改善される。
【０３３２】
代替として、任意選択で、第１の制御チャネルは、第１の制御チャネルセット1及び第１の制御チャネルセット2を含み、基地局が、第１の制御チャネルの時間周波数リソースを決定することは、
基地局が、第１の制御チャネルセット1の時間周波数リソースを決定し、
基地局が、第１の制御チャネルセット2の時間周波数リソースを決定し、
第１の制御チャネルセット1内の第１の制御チャネルは、分散型送信モードを使用し、第１の制御チャネルセット2内の第１の制御チャネルは、ローカライズ型送信モードを使用することを含む。
【０３３３】
ここで、第１の制御チャネルがローカライズ型送信モードを使用することは、制御チャネルの時間周波数リソース上で送信され且つ下りリンク制御情報DCIフォーマットを搬送する第１の制御チャネルにより占有される時間周波数リソースが、制御チャネルの時間周波数リソース上で局在化されることを意味してもよい。例えば、具体的には、下りリンク制御情報DCIフォーマットを搬送する制御チャネルに対応するリソースエレメントグループ（resource  element  group）が制御チャネルの時間周波数リソースの一部の上で局在化される。制御チャネルがローカライズ型モードで送信されるため、ビームフォーミング送信モードが使用でき、制御チャネルは対応するビーム方向に集中し、制御チャネルのカバレッジが改善される。さらに、ローカライズ型送信では、ユーザは、チャネル推定を実行するために、局在化されたリソース上の参照信号を結合でき、それにより、チャネル推定の性能が改善され、ビーム送信モードに基づく第１の制御チャネルの性能が改善される。
【０３３４】
さらに、方法は、
基地局が、サブフレームn内で下りリンク制御情報を送信し、下りリンク制御情報は、サブフレームn+k内の第１の制御チャネルセット1の時間周波数リソースについての情報を含み、nは整数であり、kは1以上の正の整数であることを更に含む。
【０３３５】
図１０は、具体的な事例を提供する。図１０において、第１の制御チャネルの時間周波数リソースは、第１のサブフレーム内の第１のシンボルから第iのシンボルに対応する、第１のサブフレーム内のi個のシンボルを占有し、iは1以上の正の整数であり、iは2に等しく、第１の制御チャネルは、第１の制御チャネルセット1（分散型送信モードを使用する）及び第１の制御チャネルセット2（ローカライズ型送信モードを使用する）を含み、第１のサブフレーム内の第３のシンボルは、参照信号を送信するために使用され、参照信号は、第２の制御チャネル及び／又はデータを復調するために使用され、第２の制御チャネルの時間周波数リソースは、第１のサブフレーム内の第４のシンボルで始まり、第１のサブフレーム内の第１３のシンボルは、GPとして使用され、第１のサブフレーム内の第１４のシンボルは、上りリンク送信に使用される。図５において、UE1に対応する第１の制御チャネルは、UE1に対応する第２の制御チャネルリソースを示し、UE1に対応する第２の制御チャネルは、データを送信するためのUE1の下りリンク共有チャネルをスケジューリングし、UE1及びUE2に対応する第１の制御チャネル及び第２の制御チャネルの双方は、ビームに基づく送信モードを使用してもよく、UE1に対応する第１の制御チャネルは、ローカライズ型送信モードを使用する。
【０３３６】
本発明のこの実施例の他の実現方式は以下の通りでもよい。
【０３３７】
このステップにおいて、基地局が、制御チャネルの時間周波数リソースを決定することは、
基地局が、第１の制御チャネルの時間周波数リソースを決定することを更に含んでもよい。
【０３３８】
さらに、基地局が、第１の制御チャネルの時間周波数リソースを決定することは、
基地局が、第１の制御チャネルの基本セットの時間周波数リソースを決定し、
基地局が、基本セットの時間周波数リソースに基づいて、下りリンク制御情報を送信し、下りリンク制御情報は、第１の制御チャネルの拡張セットの時間周波数リソースについての情報を含むことを含む。
【０３３９】
任意選択で、方法は、
基地局が、システム情報を送信し、システム情報は、第１の制御チャネルの基本セットの時間周波数リソースについての情報を含むことを更に含む。
【０３４０】
さらに、システム情報が第１の制御チャネルの基本セットの時間周波数リソースについての情報を含むことは、具体的には、
システム情報が第１の制御チャネルの基本セットの時間周波数リソースにより占有されるシンボル数についての情報を含むこと、又は
システム情報が第１の制御チャネルの基本セットの時間周波数リソースにより占有される物理リソースブロックペア数についての情報を含むこと、又は
システム情報が第１の制御チャネルの基本セットの時間周波数リソースにより占有される物理リソースブロック数についての情報を含むこと、又は
システム情報が第１の制御チャネルの基本セットの時間周波数リソースにより占有されるリソースブロック数についての情報を含むこと、又は
システム情報が第１の制御チャネルの基本セットの時間周波数リソースにより占有されるサブキャリア数についての情報を含むこと、又は
システム情報が第１の制御チャネルの基本セットの時間周波数リソースに対応する制御チャネル要素CCE数についての情報を含むことである。
【０３４１】
任意選択で、基地局が、制御チャネルの基本セットの時間周波数リソースを決定することは、
基地局が、予め設定されたルールに従って、第１の制御チャネルの基本セットの時間周波数リソースを決定することを含む。
【０３４２】
さらに、予め設定されたルールは、第１の制御チャネルの基本セットの時間周波数リソースが１つのシンボルを占有することである。
【０３４３】
任意選択で、基地局が、基本セットの時間周波数リソースに基づいて、下りリンク制御情報を送信し、下りリンク制御情報は、第１の制御チャネルの拡張セットの時間周波数リソースについての情報を含むことは、
基地局が、サブフレームn内の基本セットの時間周波数リソースに基づいて、下りリンク制御情報を送信し、下りリンク制御情報は、サブフレームn+k内の第１の制御チャネルの拡張セットの時間周波数リソースについての情報を含み、nは整数であり、kは0以上の正の整数であることを含む。例えば、kの値は1に等しい。
【０３４４】
任意選択で、方法は、
下りリンク制御情報は、第１の制御チャネルの拡張セットが存在することを示す情報を含むこと、又は
下りリンク制御情報は、第１の制御チャネルの拡張セットに対応する送信モードを示す情報を含むことを更に含む。
【０３４５】
任意選択で、基本セットは、下りリンク送信に使用されるシンボルを含む全てのサブフレーム内に存在する。
【０３４６】
任意選択で、拡張セットは、同期信号及び／又はシステム情報を搬送するサブフレーム内に存在しない。
【０３４７】
図１１は、具体的な事例を提供する。図１１において、第１の制御チャネルの時間周波数リソースは、第１のサブフレーム内の第１のシンボルから第iのシンボルに対応する、第１のサブフレーム内のi個のシンボルを占有し、iは1以上の正の整数であり、iは2に等しく、第１の制御チャネルは、第１の制御チャネルの基本セット及び第１の制御チャネルの拡張セットを含み、第１の制御チャネルの拡張セット内のリソースは、前のサブフレーム内の第１の制御チャネルを使用することにより示されてもよく、第１のサブフレーム内の第３のシンボルは、参照信号を送信するために使用され、参照信号は、第２の制御チャネル及び／又はデータを復調するために使用され、第２の制御チャネルの時間周波数リソースは、第１のサブフレーム内の第４のシンボルで始まり、第１のサブフレーム内の第１３のシンボルは、GPとして使用され、第１のサブフレーム内の第１４のシンボルは、上りリンク送信に使用される。図６において、拡張セット内のリソースは動的に示されるため、前方互換がより良くサポートできる。例えば、サブフレームセット2内のいくつかのサブフレームが将来の機能に動的に使用されるとき、拡張セット内の下りリンク制御チャネルリソースがサブフレーム内に存在しないことがレガシーのユーザ装置に動的に示されてもよく、それにより、新たな機能がサポートでき、一方で、レガシーのユーザ装置も共存できる。
【０３４８】
本発明のこの実施例の他の実現方式は、２レベルの制御チャネル方式でもよい。
【０３４９】
基地局が、制御チャネルの時間周波数リソースを決定すること、及び基地局が、制御チャネルの時間周波数リソースに基づいて、下りリンク制御情報を送信することは、
基地局が、第１の制御チャネルの時間周波数リソースを決定し、
基地局が、第２の制御チャネルの時間周波数リソースを決定し、
基地局が、第１の制御チャネルの時間周波数リソースに基づいて、第１の下りリンク制御情報を検出し、
基地局が、第２の制御チャネルの時間周波数リソースに基づいて、第２の下りリンク制御情報を検出することを具体的に含んでもよい。
【０３５０】
さらに任意選択で、第１の制御チャネルの時間周波数リソースにより占有されるシンボルは、第２の制御チャネルの時間周波数リソースにより占有されるシンボルの前に位置する。
【０３５１】
さらに任意選択で、第１の制御チャネルの時間周波数リソースは、シンボルl0,...,li-1に対応するi個のシンボルを占有し、iは1以上の正の整数であり、第２の制御チャネルの時間周波数リソースは、シンボルli+kで始まり、kは1以上の正の整数であり、シンボルliからシンボルli+k-1は、参照信号を送信するために使用され、参照信号は、第２の制御チャネル及び／又はデータを復調するために使用されるか、或いは
第１の制御チャネルの時間周波数リソースは、シンボルl0,...,li-1に対応するi個のシンボルを占有し、iは1以上の正の整数であり、第２の制御チャネルの時間周波数リソースは、シンボルliで始まるか、或いは第２の制御チャネルの時間周波数リソースは、シンボルli-1の後のシンボル上に位置し、第２の制御チャネル及び下りリンクデータは、シンボルli-1の後のシンボルに対応する時間周波数リソース上に多重される。
【０３５２】
ここで、第１の制御チャネル、第２の制御チャネル、及び第２の制御チャネル及び／又はデータを復調するために使用される参照信号は、前方に配置され、それにより、検出が迅速に実行でき、待ち時間が低減できる。さらに、第２の制御チャネル及び／又はデータを復調するために使用される参照信号は、第１の制御チャネルの後且つ第２の制御チャネルの前に配置され、それにより、第２の制御チャネル及びデータが迅速に検出できる。第２の制御チャネル及びデータは多重され、それにより、多重効率が改善でき、スペクトル効率が改善される。
【０３５３】
任意選択で、基地局が、第１の制御チャネルの時間周波数リソースを決定すること、及び基地局が、第２の制御チャネルの時間周波数リソースを決定することは、
基地局が、第１のサブフレーム内の第１の制御チャネルの時間周波数リソースを決定し、
基地局が、第１のサブフレーム内の第２の制御チャネルの時間周波数リソースを決定し、
第１のサブフレームは、下りリンク送信に使用されるシンボルと、ガード期間GPと、上りリンク送信に使用されるシンボルとを含み、第１のサブフレームに含まれ且つ上りリンク送信に使用されるシンボルに対応する上りリンク送信は、ハイブリッド自動再送要求送達確認HARQ-ACK送信を含み、第１のサブフレームに含まれ且つ下りリンク送信に使用されるシンボルに対応する下りリンク送信は、下りリンク制御送信と、下りリンクデータ送信と、第１の参照信号の送信とを含み、
第１のサブフレームに含まれ且つ下りリンク送信に使用されるシンボルは、第１の制御チャネルの時間周波数リソースにより占有されるシンボルと、第２の制御チャネルの時間周波数リソースにより占有されるシンボルとを含むことを含む。
【０３５４】
さらに任意選択で、第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+k+1)のシンボルで始まり、kは1以上の正の整数であり、第１のサブフレーム内の第(i+1)のシンボルから第(i+k)のシンボルは、参照信号を送信するために使用され、参照信号は、第２の制御チャネル及び／又はデータを復調するために使用され、第１のサブフレーム内の第(l-k1)のシンボルから第lのシンボルは、第１のサブフレーム内で上りリンク送信に使用されるシンボルであり、lは第１のサブフレームに含まれるシンボル数であり、k1は1以上の正の整数であるか、或いは
第１の制御チャネルの時間周波数リソースは、第１のサブフレーム内の第１のシンボルから第iのシンボルに対応する、第１のサブフレーム内のi個のシンボルを占有し、iは1以上の正の整数であり、第２の制御チャネルの時間周波数リソースは、第１のサブフレーム内の第(i+1)のシンボルで始まるか、或いは第２の制御チャネルの時間周波数リソースは、第１のサブフレーム内の第iのシンボルの後のシンボル上に位置し、第２の制御チャネル及び下りリンクデータは、第１のサブフレーム内の第iのシンボルから第１のサブフレーム内の第(i+k2)のシンボルに対応する時間周波数リソース上に多重され、k2は1より大きい正の整数であり、第１のサブフレーム内の第(i+k2+1)のシンボルは、第１のサブフレーム内のガード期間GPであり、第１のサブフレーム内の第(i+k2+2)のシンボルから第lのシンボルは、第１のサブフレーム内で上りリンク送信に使用されるシンボルであり、lは第１のサブフレームに含まれるシンボル数である。
【０３５５】
第１の制御チャネル、第２の制御チャネル、及び第２の制御チャネル及び／又はデータを復調するために使用される参照信号は、第１のサブフレーム内で前方に配置され、それにより、検出が迅速に実行でき、待ち時間が低減できる。さらに、第２の制御チャネル及び／又はデータを復調するために使用される参照信号は、第１のサブフレーム内で第１の制御チャネルの後且つ第２の制御チャネルの前に配置され、それにより、第２の制御チャネル及びデータが迅速に検出できる。第２の制御チャネル及びデータは多重され、それにより、多重効率が改善でき、スペクトル効率が改善される。第１のサブフレームの設計は、自己完結型の制御及びパイロットの送信を可能にする。具体的には、現在のサブフレームのデータに対応する制御は、他のサブフレームに依存せずに、現在のサブフレーム内でフィードバック又は送信されてもよく、それにより、他のサブフレームは、常に将来のサービスにより占有されてもよく、すなわち、より良く前方互換をサポートできる。
【０３５６】
任意選択で、基地局が、第１の制御チャネルの時間周波数リソースを決定すること、及び基地局が、第２の制御チャネルの時間周波数リソースを決定することは、
基地局が、第２のサブフレーム内の第１の制御チャネルの時間周波数リソースを決定し、
基地局が、第２の制御チャネルの時間周波数リソースが第２のサブフレーム内に存在しないと決定し、
第２のサブフレームは、下りリンク送信に使用されるシンボルと、ガード期間GPと、上りリンク送信に使用されるシンボルとを含み、第２のサブフレームに含まれ且つ下りリンク送信に使用されるシンボルに対応する下りリンク送信は、下りリンク制御送信を含み、第２のサブフレームに含まれ且つ上りリンク送信に使用されるシンボルに対応する上りリンク送信は、第２の参照信号の送信と、上りリンクデータ送信と、上りリンク制御送信とを含むことを含む。
【０３５７】
さらに、第２のサブフレームに含まれ且つ下りリンク送信に使用されるシンボルは、第２のサブフレーム内の第１のシンボルであり、第１の制御チャネルの時間周波数リソースは、第２のサブフレーム内の第１のシンボルを占有する。
【０３５８】
ここで、第２のサブフレームは、上りリンクデータ送信に主に使用され、第１の制御チャネルを含み、自己完結型の上りリンクデータのスケジューリングが可能になる。具体的には、サブフレームの上りリンクデータ送信は、第１の下りリンク制御チャネルを使用することによりスケジューリングされ、それにより、自己完結型の制御及びパイロットの送信が可能になる。具体的には、現在のサブフレームのデータに対応する制御は、他のサブフレームに依存せずに、現在のサブフレーム内でフィードバック又は送信されてもよく、それにより、他のサブフレームは、常に将来のサービスにより占有されてもよく、すなわち、より良く前方互換をサポートできる。
【０３５９】
さらに任意選択で、基地局は、第１の制御チャネルの時間周波数に基づいて、第１の下りリンク制御情報を検出し、第１の下りリンク制御情報は、第２の制御チャネルの時間周波数についての情報を含む。
【０３６０】
さらに、第１の下りリンク制御情報は、サブフレームn内で搬送され、第２の制御チャネルは、サブフレームn内で搬送されるか、或いは第１の下りリンク制御情報は、サブフレームn内で搬送され、第２の制御チャネルは、サブフレームn+k内で搬送され、kは1以上の正の整数である。例えば、kは1に等しく、nは正の整数である。
【０３６１】
第２の制御チャネルの時間周波数リソースは、第１の下りリンク制御情報を使用することにより示されるため、制御チャネルリソースは動的に変更できる。したがって、制御チャネルリソースは、実際の要件に従って設定でき、固定の下りリンクリソースが最小化され、上りリンク及び下りリンク方向の動的な変化がより多くのリソースに適用でき、ダイナミックTDDがより良く使用できる。他方、サブフレームn+k内の第２の制御チャネルリソースがサブフレームn内の第１の下りリンク制御情報を使用することにより示されるとき、第２の制御チャネルリソースが動的に示され、したがって、前方互換がより良くサポートできる。例えば、サブフレームn+kが将来の機能に使用されるとき、下りリンク制御シグナリングは、第２の下りリンク制御チャネルリソースがサブフレーム内に存在しないことをレガシーのユーザ装置に示すために使用されてもよく、それにより、新たな機能がサポートでき、一方で、レガシーのユーザ装置も共存できる。
【０３６２】
任意選択で、方法は、
基地局が、下りリンク共有チャネルを送信し、
第１の下りリンク制御情報は、第２の下りリンク制御チャネルの時間周波数リソースについての情報及び／又は下りリンク共有チャネルの時間周波数リソースについての情報を含み、
第２の下りリンク制御情報は、下りリンク共有チャネルの変調及び符号化情報を含むことを更に含む。
【０３６３】
第２の制御チャネルリソースは、第１の制御チャネルを使用することにより示され、第１の制御情報及び第２の制御情報は、一緒に下りリンク共有チャネルをスケジューリングする。したがって、低待ち時間サービスが短い送信時間単位又は短い送信時間間隔でスケジューリングでき、短い送信時間単位又は短い送信時間間隔での制御チャネルのオーバーヘッドが低減でき、一方で、低待ち時間サービスが迅速にスケジューリングされる。
【０３６４】
さらに任意選択で、基地局は、第１の制御チャネルの時間周波数リソース上で参照信号を送信し、参照信号は、第１の制御チャネルを復調するために使用される。自己完結型の第１の制御チャネルが可能になり、それにより、第１の制御チャネルの復調は、他のリソースに依存しない。これは、前方互換をサポートするのに役立つ。
【０３６５】
前述の実現方式において実現される第１の制御チャネルの説明を参照して、サブフレームセット1内の第１の制御チャネルリソースは予め設定されたルールに従って決定されるため、サブフレームセット1内の制御チャネルリソースは、予め規定されるか、或いは固定され、ユーザ装置は、下りリンク制御チャネルを検出し、セル内でアクセスを完了できることが認識できる。さらに、本発明のこの実施例では、サブフレームセット2内の第１の制御チャネルの時間周波数リソースは下りリンク制御シグナリングを使用することにより決定されるため、サブフレームセット2内の第１の制御チャネルリソースは動的に変更できる。したがって、制御チャネルリソースは、実際の要件に従って設定でき、固定の下りリンクリソースが最小化され、上りリンク及び下りリンク方向の動的な変化がより多くのリソースに適用でき、ダイナミックTDDがより良く使用できる。他方、サブフレームセット2内の第１の制御チャネルリソースは下りリンク制御シグナリングを使用することにより示されるため、前方互換がより良くサポートできる。例えば、サブフレームセット2内のいくつかのサブフレームが将来の機能に動的に使用されるとき、下りリンク制御シグナリングは、第１の下りリンク制御チャネルリソースがサブフレーム内に存在しないことをレガシーのユーザ装置に示すために使用されてもよく、それにより、新たな機能がサポートでき、一方で、レガシーのユーザ装置も共存できる。
【０３６６】
第１の制御チャネルの基本セットの時間周波数リソースは、予め決定されたルールに従って決定され、下りリンク制御情報は、基本セットの時間周波数リソースに基づいて検出され、第１の制御チャネルの拡張セットの時間周波数リソースは、検出された下りリンク制御情報に従って決定される。したがって、固定の下りリンクリソースが最小化されて基本セットの時間周波数リソースとして使用され、ダイナミックTDDがより良く使用できる。他方、拡張セット内のリソースが動的に示されるため、前方互換がより良くサポートできる。例えば、サブフレームセット2内のいくつかのサブフレームが将来の機能に動的に使用されるとき、拡張セット内の下りリンク制御チャネルリソースがサブフレーム内に存在しないことが、レガシーのユーザ装置に動的に示されてもよく、それにより、新たな機能がサポートでき、一方で、レガシーのユーザ装置も共存できる。
【０３６７】
さらに、拡張セットの送信モードが動的なシグナリングを使用することにより示されるため、より良く制御チャネルの送信モードにマッチできる。例えば、拡張制御チャネルが共通制御シグナリングに主に使用されるとき、拡張セットの送信モードは、分散型モードとして示されてもよく、或いは拡張セットのシグナリングがユーザ装置専用のシグナリングに主に使用されるとき、ローカライズ型送信モードが示されてもよく、それにより、より良く制御チャネルの送信モードにマッチする。
【０３６８】
図１２を参照して、本発明の実施例におけるデバイスの実施例の概略図は、
参照信号の位置を決定するように構成された決定モジュール601と、
参照信号の決定された位置に基づいて、参照信号を送信又は受信するように構成された送受信機モジュール602と
を含む。
【０３６９】
この実施例では、この実施例において使用される用語についての説明及び記載、並びに決定モジュール601及び送受信機モジュール602についての詳細な説明について、前述のステップ101、ステップ102、ステップ201〜ステップ204及びステップ301〜ステップ304を参照する。詳細はここでは再び説明しない。
【０３７０】
図１３を参照して、本発明の実施例におけるユーザ装置の実施例の概略図は、
制御チャネルの時間周波数リソースを決定するように構成された決定モジュール701と、
制御チャネルの時間周波数リソースに基づいて、下りリンク制御情報を受信するように構成された受信モジュール702と
を含む。
【０３７１】
この実施例では、決定モジュール701及び送受信機モジュール702についての詳細な説明について、前述のステップ401及びステップ402を参照する。詳細はここでは再び説明しない。
【０３７２】
図１４を参照して、本発明の実施例における基地局の実施例の概略図は、
制御チャネルの時間周波数リソースを決定するように構成された決定モジュール801と、
制御チャネルの時間周波数リソースに基づいて、下りリンク制御情報を送信するように構成された送信モジュール802と
を含む。
【０３７３】
この実施例では、決定モジュール801及び送信モジュール802についての詳細な説明について、前述のステップ501及びステップ502を参照する。詳細はここでは再び説明しない。
【０３７４】
便宜上且つ簡潔な説明の目的で、前述のシステム、装置及びユニットの詳細な動作プロセスについて、前述の方法の実施例における対応するプロセスに参照が行われてもよく、詳細はここでは再び説明しないことが当業者により明確に理解され得る。
【０３７５】
この出願において提供されるいくつかの実施例において、開示のシステム、装置及び方法は、他の方式で実現されてもよいことが理解されるべきである。例えば、記載の装置の実施例は、単なる例である。例えば、ユニットの分割は、単に論理的な機能分割であり、実際の実現方式では他の分割でもよい。例えば、複数のユニット又はコンポーネントは結合されてもよく、或いは他のシステムに統合されてもよく、或いはいくつかの特徴が無視されてもよく或いは実行されなくてもよい。さらに、表示又は説明した相互結合若しくは直接結合又は通信接続は、いくつかのインタフェースを使用することにより実現されてもよい。装置又はユニットの間の間接結合又は通信接続は、電子的、機械的或いは他の形式で実現されてもよい。
【０３７６】
別々の部分として記載したユニットは、物理的に別々でもよく或いは別々でなくてもよく、ユニットとして表示された部分は、物理的なユニットでもよく或いは物理的なユニットでなくてもよく、１つの場所に位置してもよく、或いは複数のネットワークユニットに分散されてもよい。ユニットの一部又は全部は、実施例の解決策の目的を達成するために、実際の要件に依存して選択されてもよい。
【０３７７】
さらに、本発明の実施例における機能ユニットは、１つの処理ユニットに統合されてもよく、或いはユニットのそれぞれが物理的に単独で存在してもよく、或いは２つ以上のユニットが１つのユニットに統合される。統合されたユニットは、ハードウェアの形式で実現されてもよく、或いはソフトウェア機能ユニットの形式で実現されてもよい。
【０３７８】
統合されたユニットがソフトウェア機能ユニットの形式で実現され、独立したプロダクトとして販売又は使用されるとき、統合されたユニットは、コンピュータ読み取り可能記憶媒体に記憶されてもよい。このような理解に基づいて、本発明の技術的解決策は、本質的に、或いは、従来技術に寄与する部分又は技術的解決策の全部若しくは一部は、ソフトウェアプロダクトの形式で実現されてもよい。ソフトウェアプロダクトは、記憶媒体に記憶され、コンピュータデバイス（パーソナルコンピュータ、サーバ、ネットワークデバイス等でもよい）に対して本発明の実施例に記載の方法のステップの全部又は一部を実行するように命令するためのいくつかの命令を含む。前述の記憶媒体は、USBフラッシュドライブ、取り外し可能ハードディスク、読み取り専用メモリ（ROM、Read-Only  Memory）、ランダムアクセスメモリ（RAM、Random  Access  Memory）、磁気ディスク又は光ディスクのようなプログラムコードを記憶できるいずれかの媒体を含む。
【０３７９】
前述の実施例は、単に本発明の技術的解決策を説明することを意図しており、本発明を限定することを意図するものではない。前述の実施例を参照して本発明について詳細に説明したが、当業者は、本発明の実施例の技術的解決策の真意及び範囲を逸脱することなく、依然として前述の実施例に記載の技術的解決策に変更を行ってもよく、或いはそのいくつかの技術的特徴に等価置換を行ってもよいことを理解するべきである。
【図１】
2019521556.tif 000003
【図２】
2019521556.tif 000004
【図３】
2019521556.tif 000005
【図４】
2019521556.tif 000006
【図５】
2019521556.tif 000007
【図６】
2019521556.tif 000008
【図７】
2019521556.tif 000009
【図８】
2019521556.tif 000010
【図９】
2019521556.tif 000011
【図１０】
2019521556.tif 000012
【図１１】
2019521556.tif 000013
【図１２】
2019521556.tif 000014
【図１３】
2019521556.tif 000015
【図１４】
2019521556.tif 000016
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
情報処理のための方法であって、
第１のデバイスにより、参照信号の位置を決定するステップと、
前記第１のデバイスにより、前記参照信号の前記決定された位置に基づいて、前記参照信号を送信又は受信するステップと
を含む方法。
【請求項２】
前記参照信号は、第１の参照信号及び第２の参照信号を含み、第１のデバイスにより、参照信号の位置を決定するステップは、
前記第１のデバイスにより、前記第１の参照信号の位置を決定するステップであり、前記第１の参照信号は、下りリンクデータ復調に使用される、ステップと、
前記第１のデバイスにより、前記第２の参照信号の位置を決定するステップであり、前記第２の参照信号は、上りリンクデータ復調に使用される、ステップと
を含み、
前記第１の参照信号の時間ドメイン位置は、前記第２の参照信号の時間ドメイン位置と同じであり、及び／又は
前記第１の参照信号の周波数ドメイン位置は、前記第２の参照信号の周波数ドメイン位置と同じである、請求項１に記載の方法。
【請求項３】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、前記第１の送信単位内の前記第１の参照信号の時間ドメイン位置が前記第２の送信単位内の前記第２の参照信号の時間ドメイン位置と同じであることであり、前記第１の送信単位の持続時間は、前記第２の送信単位の持続時間と等しい、請求項２に記載の方法。
【請求項４】
前記第１の参照信号は、前記第１の送信単位内の第３のシンボル上に位置し、前記第２の参照信号は、前記第２の送信単位内の第３のシンボル上に位置する、請求項３に記載の方法。
【請求項５】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項２乃至４のうちいずれか１項に記載の方法。
【請求項６】
前記第１のサブフレームは、下りリンク送信に使用される１つ以上のシンボルと、ガード期間（GP）と、上りリンク送信に使用される１つ以上のシンボルとを含み、前記第１のサブフレームに含まれ且つ上りリンク送信に使用される１つ以上のシンボルに対応する上りリンク送信は、ハイブリッド自動再送要求送達確認（HARQ-ACK）送信を含み、前記第１のサブフレームに含まれ且つ下りリンク送信に使用される１つ以上のシンボルに対応する下りリンク送信は、下りリンク制御送信と、下りリンクデータ送信と、前記第１の参照信号の送信とを含み、前記第２のサブフレームは、下りリンク送信に使用される１つ以上のシンボルと、ガード期間（GP）と、上りリンク送信に使用される１つ以上のシンボルとを含み、前記第２のサブフレームに含まれ且つ下りリンク送信に使用される１つ以上のシンボルに対応する下りリンク送信は、下りリンク制御送信を含み、前記第２のサブフレームに含まれ且つ上りリンク送信に使用される１つ以上のシンボルに対応する上りリンク送信は、上りリンク制御送信と、上りリンクデータ送信と、前記第２の参照信号の送信とを含む、請求項５に記載の方法。
【請求項７】
前記第１のサブフレームは、前記第１のサブフレームに含まれ且つ下りリンク送信に使用されるシンボルで始まり、前記第１のサブフレームに含まれ且つ上りリンク送信に使用されるシンボルで終わり、前記第２のサブフレームは、前記第２のサブフレームに含まれ且つ下りリンク送信に使用されるシンボルで始まり、前記第２のサブフレームに含まれ且つ上りリンク送信に使用されるシンボルで終わる、請求項６に記載の方法。
【請求項８】
前記第１のサブフレーム内の前記第１の参照信号の時間ドメイン位置が前記第２のサブフレーム内の前記第２の参照信号の時間ドメイン位置と同じであることは、前記第１のサブフレーム内の前記第１の参照信号により占有されるシンボルのインデックスが前記第２のサブフレーム内の前記第２の参照信号により占有されるシンボルのインデックスと同じであることである、請求項５乃至７のうちいずれか１項に記載の方法。
【請求項９】
前記第１の参照信号は、前記第１のサブフレーム内の第３のシンボル上に位置し、前記第２の参照信号は、前記第２のサブフレーム内の第３のシンボル上に位置する、請求項５乃至８のうちいずれか１項に記載の方法。
【請求項１０】
情報を受信するための方法であって、
ユーザ装置により、制御チャネルの時間周波数リソースを決定するステップと、
前記ユーザ装置により、前記制御チャネルの前記時間周波数リソースに基づいて、下りリンク制御情報を受信するステップと
を含む方法。
【請求項１１】
ユーザ装置により、制御チャネルの時間周波数リソースを決定するステップは、
前記ユーザ装置により、前記制御チャネルの基本セットの時間周波数リソースを決定するステップと、
前記ユーザ装置により、前記基本セットの前記時間周波数リソースに基づいて、前記下りリンク制御情報を検出するステップと、
前記ユーザ装置により、前記検出された下りリンク制御情報に従って、前記制御チャネルの拡張セットの時間周波数リソースを決定するステップと
を含む、請求項１０に記載の方法。
【請求項１２】
前記ユーザ装置により、前記制御チャネルの基本セットの時間周波数リソースを決定するステップは、
前記ユーザ装置により、システム情報を受信するステップと、
前記ユーザ装置により、前記システム情報に従って、前記制御チャネルの前記基本セットの前記時間周波数リソースを決定するステップと
を含む、請求項１１に記載の方法。
【請求項１３】
前記ユーザ装置により、前記システム情報に従って、前記制御チャネルの前記基本セットの前記時間周波数リソースを決定するステップは、
前記ユーザ装置により、前記システム情報に従って、前記制御チャネルの前記基本セットの前記時間周波数リソースにより占有されるシンボル数を決定するステップ、又は
前記ユーザ装置により、前記システム情報に従って、前記制御チャネルの前記基本セットの前記時間周波数リソースにより占有される物理リソースブロック数を決定するステップ、又は
前記ユーザ装置により、前記システム情報に従って、前記制御チャネルの前記基本セットの前記時間周波数リソースに対応する制御チャネル要素（CCE）数を決定するステップ
を含む、請求項１２に記載の方法。
【請求項１４】
前記ユーザ装置により、前記制御チャネルの基本セットの時間周波数リソースを決定するステップは、
前記ユーザ装置により、予め設定されたルールに従って、前記制御チャネルの前記基本セットの前記時間周波数リソースを決定するステップ
を含み、
前記予め設定されたルールは、前記制御チャネルの前記基本セットの前記時間周波数リソースが１つのシンボルを占有することである、請求項１１乃至１３のうちいずれか１項に記載の方法。
【請求項１５】
前記ユーザ装置により、前記基本セットの前記時間周波数リソースに基づいて、前記下りリンク制御情報を検出するステップ、及び前記ユーザ装置により、前記検出された下りリンク制御情報に従って、前記制御チャネルの拡張セットの時間周波数リソースを決定するステップは、
前記ユーザ装置により、サブフレームn内の前記基本セットの時間周波数リソースに基づいて、前記下りリンク制御情報を検出するステップと、
前記ユーザ装置により、前記サブフレームn内で検出された前記下りリンク制御情報に従って、サブフレームn+k内の前記制御チャネルの前記拡張セットの時間周波数リソースを決定するステップであり、nは整数であり、kは0以上の正の整数である、ステップと
を含む、請求項１１乃至１４のうちいずれか１項に記載の方法。
【請求項１６】
前記基本セットは、下りリンク送信に使用されるシンボルを含む全てのサブフレーム内に存在し、及び／又は
前記拡張セットは、同期信号及び／又はシステム情報を搬送するサブフレーム内に存在しない、請求項１１乃至１５のうちいずれか１項に記載の方法。
【請求項１７】
情報を送信するための方法であって、
基地局により、制御チャネルの時間周波数リソースを決定するステップと、
前記基地局により、前記制御チャネルの前記時間周波数リソースに基づいて、下りリンク制御情報を送信するステップと
を含む方法。
【請求項１８】
基地局により、制御チャネルの時間周波数リソースを決定するステップ、及び前記基地局により、前記制御チャネルの前記時間周波数リソースに基づいて下りリンク制御情報を送信するステップは、
前記基地局により、前記制御チャネルの基本セットの時間周波数リソースを決定するステップと、
前記基地局により、前記基本セットの前記時間周波数リソースに基づいて、前記下りリンク制御情報を送信するステップであり、前記下りリンク制御情報は、前記制御チャネルの拡張セットの時間周波数リソースについての情報を含む、ステップと
を含む、請求項１７に記載の方法。
【請求項１９】
前記基地局により、システム情報を送信するステップであり、前記システム情報は、前記制御チャネルの前記基本セットの前記時間周波数リソースについての情報を含む、ステップを更に含む、請求項１８に記載の方法。
【請求項２０】
前記システム情報が前記制御チャネルの前記基本セットの前記時間周波数リソースについての情報を含むことは、
前記システム情報が前記制御チャネルの前記基本セットの前記時間周波数リソースにより占有されるシンボル数についての情報を含むこと、又は
前記システム情報が前記制御チャネルの前記基本セットの前記時間周波数リソースにより占有される物理リソースブロック数についての情報を含むこと、又は
前記システム情報が前記制御チャネルの前記基本セットの前記時間周波数リソースに対応する制御チャネル要素（CCE）数についての情報を含むこと
である、請求項１９に記載の方法。
【請求項２１】
前記基地局により、前記制御チャネルの基本セットの時間周波数リソースを決定するステップは、
前記基地局により、予め設定されたルールに従って、前記制御チャネルの前記基本セットの前記時間周波数リソースを決定するステップを含み、
前記予め設定されたルールは、前記制御チャネルの前記基本セットの前記時間周波数リソースが１つのシンボルを占有することである、請求項１８乃至２０のうちいずれか１項に記載の方法。
【請求項２２】
前記基地局により、前記基本セットの前記時間周波数リソースに基づいて、下りリンク制御情報を送信するステップであり、前記下りリンク制御情報は、前記制御チャネルの拡張セットの時間周波数リソースについての情報を含む、ステップは、
前記基地局により、サブフレームn内の前記基本セットの前記時間周波数リソースに基づいて、前記下りリンク制御情報を送信するステップであり、前記下りリンク制御情報は、サブフレームn+k内の前記制御チャネルの前記拡張セットの時間周波数リソースについての情報を含む、ステップを含み、
nは整数であり、kは0以上の正の整数である、請求項１８乃至２１のうちいずれか１項に記載の方法。
【請求項２３】
前記基本セットは、下りリンク送信に使用されるシンボルを含む全てのサブフレーム内に存在し、及び／又は
前記拡張セットは、同期信号及び／又はシステム情報を搬送するサブフレーム内に存在しない、請求項１８乃至２２のうちいずれか１項に記載の方法。
【請求項２４】
第１のデバイスにおいて適用されるデバイスであって、
参照信号の位置を決定するように決定された決定モジュールと、
前記参照信号の前記決定された位置に基づいて、前記参照信号を送信又は受信するように構成された送受信機モジュールと
を含むデバイス。
【請求項２５】
前記参照信号は、第１の参照信号及び第２の参照信号を含み、前記決定モジュールは、前記第１の参照信号の位置を決定し、前記第１の参照信号は、下りリンクデータ復調に使用され、前記第２の参照信号の位置を決定し、前記第２の参照信号は、上りリンクデータ復調に使用され、前記第１の参照信号の時間ドメイン位置は、前記第２の参照信号の時間ドメイン位置と同じである、ように構成される、請求項２４に記載のデバイス。
【請求項２６】
前記第１の参照信号は、第１の送信単位内で搬送され、前記第１の参照信号の前記位置は、前記第１の送信単位内の前記第１の参照信号の位置であり、前記第２の参照信号は、第２の送信単位内で搬送され、前記第２の参照信号の前記位置は、前記第２の送信単位内の前記第２の参照信号の位置であり、前記第１の参照信号の時間ドメイン位置が前記第２の参照信号の時間ドメイン位置と同じであることは、前記第１の送信単位内の前記第１の参照信号の時間ドメイン位置が前記第２の送信単位内の前記第２の参照信号の時間ドメイン位置と同じであることであり、前記第１の送信単位に対応する持続時間は、前記第２の送信単位に対応する持続時間と等しい、請求項２５に記載のデバイス。
【請求項２７】
前記第１の参照信号は、前記第１の送信単位内の第３のシンボル上に位置し、前記第２の参照信号は、前記第２の送信単位内の第３のシンボル上に位置する、請求項２６に記載のデバイス。
【請求項２８】
前記第１の参照信号は、第１のサブフレーム内で搬送され、前記第１の参照信号の前記位置は、前記第１のサブフレーム内の前記第１の参照信号の位置であり、前記第２の参照信号は、第２のサブフレーム内で搬送され、前記第２の参照信号の前記位置は、前記第２のサブフレーム内の前記第２の参照信号の位置であり、前記第１の参照信号の時間ドメイン位置が前記第２の参照信号の時間ドメイン位置と同じであることは、前記第１のサブフレーム内の前記第１の参照信号の時間ドメイン位置が前記第２のサブフレーム内の前記第２の参照信号の時間ドメイン位置と同じであることであり、前記第１のサブフレーム内で下りリンク送信に使用されるシンボル数は、前記第１のサブフレーム内で上りリンク送信に使用されるシンボル数より多く、前記第２のサブフレーム内で下りリンク送信に使用されるシンボル数は、前記第２のサブフレーム内で上りリンク送信に使用されるシンボル数未満である、請求項２５乃至２７のうちいずれか１項に記載のデバイス。
【請求項２９】
制御チャネルの時間周波数リソースを決定するように構成された決定モジュールと、
前記制御チャネルの前記時間周波数リソースに基づいて、下りリンク制御情報を受信するように構成された受信モジュールと
を含むユーザ装置。
【請求項３０】
制御チャネルの時間周波数リソースを決定するように構成された決定モジュールと、
前記制御チャネルの前記時間周波数リソースに基づいて、下りリンク制御情報を送信するように構成された送信モジュールと
を含む基地局。
【請求項３１】
第１のデバイスにおいて適用されるデバイスであって、
参照信号の位置を決定するように決定されたプロセッサと、
前記参照信号の前記決定された位置に基づいて、前記参照信号を送信又は受信するように構成された送受信機と
を含むデバイス。
【請求項３２】
制御チャネルの時間周波数リソースを決定するように構成されたプロセッサと、
前記制御チャネルの前記時間周波数リソースに基づいて、下りリンク制御情報を受信するように構成された受信機と
を含むユーザ装置。
【請求項３３】
制御チャネルの時間周波数リソースを決定するように構成されたプロセッサと、
前記制御チャネルの前記時間周波数リソースに基づいて、下りリンク制御情報を送信するように構成された送信機と
を含む基地局。
【請求項３４】
請求項１乃至１６のうちいずれか１項に記載の方法をコンピュータに実現させる命令を記録したコンピュータ読み取り可能記憶媒体。
【請求項３５】
請求項１７乃至２３のうちいずれか１項に記載の方法をコンピュータに実現させる命令を記録したコンピュータ読み取り可能記憶媒体。
【手続補正２】
【補正対象書類名】明細書
【補正対象項目名】００１０
【補正方法】変更
【補正の内容】
【００１０】
任意選択で、第１のデバイスは、第１の参照信号の位置に基づいて、第１の参照信号を受信し、第２の参照信号の位置に基づいて、第２の参照信号を送信するか、或いは第１のデバイスは、第１の参照信号の位置に基づいて、第１の参照信号を送信し、第２の参照信号の位置に基づいて、第２の参照信号を受信する。
【手続補正３】
【補正対象書類名】明細書
【補正対象項目名】０３３５
【補正方法】変更
【補正の内容】
【０３３５】
図１０は、具体的な事例を提供する。図１０において、第１の制御チャネルの時間周波数リソースは、第１のサブフレーム内の第１のシンボルから第iのシンボルに対応する、第１のサブフレーム内のi個のシンボルを占有し、iは1以上の正の整数であり、iは2に等しく、第１の制御チャネルは、第１の制御チャネルセット1（分散型送信モードを使用する）及び第１の制御チャネルセット2（ローカライズ型送信モードを使用する）を含み、第１のサブフレーム内の第３のシンボルは、参照信号を送信するために使用され、参照信号は、第２の制御チャネル及び／又はデータを復調するために使用され、第２の制御チャネルの時間周波数リソースは、第１のサブフレーム内の第４のシンボルで始まり、第１のサブフレーム内の第１３のシンボルは、GPとして使用され、第１のサブフレーム内の第１４のシンボルは、上りリンク送信に使用される。図１０において、UE1に対応する第１の制御チャネルは、UE1に対応する第２の制御チャネルリソースを示し、UE1に対応する第２の制御チャネルは、データを送信するためのUE1の下りリンク共有チャネルをスケジューリングし、UE1及びUE2に対応する第１の制御チャネル及び第２の制御チャネルの双方は、ビームに基づく送信モードを使用してもよく、UE1に対応する第１の制御チャネルは、ローカライズ型送信モードを使用する。
【手続補正４】
【補正対象書類名】明細書
【補正対象項目名】０３４７
【補正方法】変更
【補正の内容】
【０３４７】
図１１は、具体的な事例を提供する。図１１において、第１の制御チャネルの時間周波数リソースは、第１のサブフレーム内の第１のシンボルから第iのシンボルに対応する、第１のサブフレーム内のi個のシンボルを占有し、iは1以上の正の整数であり、iは2に等しく、第１の制御チャネルは、第１の制御チャネルの基本セット及び第１の制御チャネルの拡張セットを含み、第１の制御チャネルの拡張セット内のリソースは、前のサブフレーム内の第１の制御チャネルを使用することにより示されてもよく、第１のサブフレーム内の第３のシンボルは、参照信号を送信するために使用され、参照信号は、第２の制御チャネル及び／又はデータを復調するために使用され、第２の制御チャネルの時間周波数リソースは、第１のサブフレーム内の第４のシンボルで始まり、第１のサブフレーム内の第１３のシンボルは、GPとして使用され、第１のサブフレーム内の第１４のシンボルは、上りリンク送信に使用される。図１１において、拡張セット内のリソースは動的に示されるため、前方互換がより良くサポートできる。例えば、サブフレームセット2内のいくつかのサブフレームが将来の機能に動的に使用されるとき、拡張セット内の下りリンク制御チャネルリソースがサブフレーム内に存在しないことがレガシーのユーザ装置に動的に示されてもよく、それにより、新たな機能がサポートでき、一方で、レガシーのユーザ装置も共存できる。
【手続補正５】
【補正対象書類名】明細書
【補正対象項目名】０３４９
【補正方法】変更
【補正の内容】
【０３４９】
基地局が、制御チャネルの時間周波数リソースを決定すること、及び基地局が、制御チャネルの時間周波数リソースに基づいて、下りリンク制御情報を送信することは、
基地局が、第１の制御チャネルの時間周波数リソースを決定し、
基地局が、第２の制御チャネルの時間周波数リソースを決定し、
基地局が、第１の制御チャネルの時間周波数リソースに基づいて、第１の下りリンク制御情報を送信し、
基地局が、第２の制御チャネルの時間周波数リソースに基づいて、第２の下りリンク制御情報を送信することを具体的に含んでもよい。
【手続補正６】
【補正対象書類名】明細書
【補正対象項目名】０３７１
【補正方法】変更
【補正の内容】
【０３７１】
この実施例では、決定モジュール701及び受信モジュール702についての詳細な説明について、前述のステップ401及びステップ402を参照する。詳細はここでは再び説明しない。
【国際調査報告】
2019521556.tif 000017
2019521556.tif 000018
2019521556.tif 000019
2019521556.tif 000020